(57)【要約】      （修正有）【課題】最ワイヤレス通信システムにおいてアップリンク制御チャネルのペイロード中で肯定応答（ＡＣＫ）または否定応答（ＮＡＫ）されるダウンリンクコンポーネントキャリアの数を増加させる方法を提供する。【解決手段】ワイヤレス通信の方法は、報告間隔中にユーザ機器（ＵＥ）のためにスケジュールされたダウンリンクコンポーネントキャリア（ＣＣ）の数に少なくとも部分的に基づいて、報告間隔について物理アップリンク制御チャネル（ＰＵＣＣＨ）肯定応答／否定応答（ＡＣＫ／ＮＡＫ）ペイロード中に含まれるべきビット数を決定することと、決定したビット数に少なくとも部分的に基づいて、ＰＵＣＣＨ  ＡＣＫ／ＮＡＫペイロードのフォーマットを選択することと、を含む。【選択図】図２
2020109970.tif 000002
【特許請求の範囲】
【請求項１】
ワイヤレス通信のための方法であって、
報告間隔中にユーザ機器（ＵＥ）のためにスケジュールされたダウンリンクコンポーネントキャリア（ＣＣ）の数に少なくとも部分的に基づいて、前記報告間隔について物理アップリンク制御チャネル（ＰＵＣＣＨ）肯定応答／否定応答（ＡＣＫ／ＮＡＫ）ペイロード中に含まれるべきビット数を決定することと、
前記決定されたビット数に少なくとも部分的に基づいて、前記ＰＵＣＣＨ  ＡＣＫ／ＮＡＫペイロードのフォーマットを選択することと
を備える、方法。
【請求項２】
前記ＰＵＣＣＨ  ＡＣＫ／ＮＡＫペイロードの前記フォーマットを選択することが、  前記ＰＵＣＣＨ  ＡＣＫ／ＮＡＫペイロードのための複数のあらかじめ定義されたフォーマットのうちの１つを選択すること
を備え、ここにおいて、前記ＰＵＣＣＨ  ＡＣＫ／ＮＡＫペイロードのための前記あらかじめ定義されたフォーマットが、リソースブロック（ＲＢ）内のＵＥ多重化密度、拡散率、またはシンボル期間ごとに割り振られるＲＢの数
の異なる組合せを備える、請求項１に記載の方法。
【請求項３】
前記ＰＵＣＣＨ  ＡＣＫ／ＮＡＫペイロードのための前記あらかじめ定義されたフォーマットの各々が、スロットごとに２つの基準信号シンボル期間を備えるフォーマットに少なくとも部分的に基づく、請求項２に記載の方法。
【請求項４】
前記ＰＵＣＣＨ  ＡＣＫ／ＮＡＫペイロードの前記選択されたフォーマットが、スロットごとに２つの基準信号シンボル期間を備えるフォーマットに少なくとも部分的に基づく、請求項１に記載の方法。
【請求項５】
前記ＰＵＣＣＨ  ＡＣＫ／ＮＡＫペイロードの前記選択されたフォーマットが、さらに、スロットごとに１つの基準信号シンボルを備えるフォーマットに少なくとも部分的に基づく、請求項１に記載の方法。
【請求項６】
前記ＰＵＣＣＨ  ＡＣＫ／ＮＡＫペイロードの前記フォーマットを選択することが、  前記ＰＵＣＣＨ  ＡＣＫ／ＮＡＫペイロード中に含まれるべき前記ビット数を複数のビット範囲と比較することと、
前記比較することに少なくとも部分的に基づいて前記ＰＵＣＣＨ  ＡＣＫ／ＮＡＫペイロードの前記フォーマットを選択することと
を備える、請求項１に記載の方法。
【請求項７】
前記ＰＵＣＣＨ  ＡＣＫ／ＮＡＫペイロードの前記選択されたフォーマットが、
少なくとも４つのＵＥの、ＲＢ内のＵＥ多重化密度
を備える、請求項６に記載の方法。
【請求項８】
前記ＰＵＣＣＨ  ＡＣＫ／ＮＡＫペイロードの前記選択されたフォーマットは、
２つのＵＥの、ＲＢ内のＵＥ多重化密度と、
シンボル期間の少なくとも２つのグループと、ここにおいて、シンボル期間の前記少なくとも２つのグループの各々が少なくとも１つのシンボルを備え、ここにおいて、シンボル期間の前記少なくとも２つのグループの各々内で拡散が独立して適用される、
を備える、請求項６に記載の方法。
【請求項９】
拡散率３が３つのシンボル期間の第１のグループに適用され、拡散率２が２つのシンボル期間の第２のグループに適用され、ここにおいて、前記拡散率３を適用するときに、３つの直交カバーコード（ＯＣＣ）のうちの２つが使用される、請求項８に記載の方法。
【請求項１０】
第１の拡散率２が１つのシンボル期間の第１のグループに適用され、第２の拡散率２が２つのシンボル期間の第２のグループに適用され、第３の拡散率２が２つのシンボル期間の第３のグループに適用される、請求項８に記載の方法。
【請求項１１】
前記第１の拡散率が、ウォルシュコードを使用して、または直交高速フーリエ変換（ＦＦＴ）行列の要素を使用して適用される、請求項１０に記載の方法。
【請求項１２】
複数の拡散率２の各拡散率が複数のシンボル期間のそれぞれのシンボル期間に適用される、請求項８に記載の方法。
【請求項１３】
前記複数の拡散率２の各拡散率が、ウォルシュコードを使用して、または直交ＦＦＴ行列の要素を使用して適用される、請求項１２に記載の方法。
【請求項１４】
前記ＰＵＣＣＨ  ＡＣＫ／ＮＡＫペイロードの前記選択されたフォーマットが、
ＲＢ内のＵＥ多重化を備えず、
拡散率を備えず、
１のシンボル期間ごとＲＢ割振りを備える、
請求項６に記載の方法。
【請求項１５】
前記ＰＵＣＣＨ  ＡＣＫ／ＮＡＫペイロードの前記選択されたフォーマットが、
ＲＢ内のＵＥ多重化を備えず、
拡散率を備えず、
２のシンボル期間ごとＲＢ割振りを備える、
請求項６に記載の方法。
【請求項１６】
前記ＰＵＣＣＨ  ＡＣＫ／ＮＡＫペイロードの前記選択されたフォーマットが、
ＲＢ内のＵＥ多重化を備えず、
拡散率を備えず、
３のシンボル期間ごとＲＢ割振りを備える、
請求項６に記載の方法。
【請求項１７】
前記ＵＥのための複数のダウンリンクＣＣの割振りを識別することと、
前記複数のダウンリンクＣＣ内のダウンリンクＣＣの第１のサブセットを識別することと
をさらに備え、
ここにおいて、前記ＰＵＣＣＨ  ＡＣＫ／ＮＡＫペイロード中に含まれるべき前記ビット数がダウンリンクＣＣの前記第１のサブセットのために識別される、請求項１に記載の方法。
【請求項１８】
前記ＰＵＣＣＨ  ＡＣＫ／ＮＡＫペイロードが第１のＰＵＣＣＨ  ＡＣＫ／ＮＡＫペイロードを備え、前記方法が、
前記複数のダウンリンクＣＣ内のダウンリンクＣＣの第２のサブセットを識別することをさらに備え、ここにおいて、ダウンリンクＣＣの前記第２のサブセットが第２のＰＵＣＣＨ  ＡＣＫ／ＮＡＫペイロードに対応する、
請求項１７に記載の方法。
【請求項１９】
第１のアップリンクＣＣ上で前記第１のＰＵＣＣＨ  ＡＣＫ／ＮＡＫペイロードを送信することと、
第２のアップリンクＣＣ上で前記第２のＰＵＣＣＨ  ＡＣＫ／ＮＡＫペイロードを送信することと
をさらに備える、請求項１８に記載の方法。
【請求項２０】
同じアップリンクＣＣ上で前記第１のＰＵＣＣＨ  ＡＣＫ／ＮＡＫペイロードと前記第２のＰＵＣＣＨ  ＡＣＫ／ＮＡＫペイロードとを送信すること
をさらに備える、請求項１８に記載の方法。
【請求項２１】
前記ＵＥにおいて、前記ＵＥのためにスケジュールされた前記ダウンリンクＣＣを示すいくつかのダウンリンク許可を受信することと、
前記ダウンリンク許可の各々とともに、それぞれのダウンリンク割当てインデックス（ＤＡＩ）を受信することと
をさらに備える、請求項１に記載の方法。
【請求項２２】
ダウンリンク許可のための前記それぞれのＤＡＩが、前記ダウンリンク許可中でスケジュールされた各ダウンリンクＣＣを介した各送信に肯定応答／否定応答するために、前記ＰＵＣＣＨ  ＡＣＫ／ＮＡＫペイロード中でビットマッピングとリソース選択とを示す、請求項２１に記載の方法。
【請求項２３】
ダウンリンク許可のための前記それぞれのＤＡＩが、前記ダウンリンク許可中でスケジュールされた少なくとも１つのダウンリンクＣＣと、別のダウンリンク許可中でスケジュールされた少なくとも１つのダウンリンクＣＣとの間の関係を示すシーケンス番号を備え、前記方法が、
前記ダウンリンク許可中でスケジュールされた各ダウンリンクＣＣを介した各送信に肯定応答／否定応答するために、前記シーケンス番号に少なくとも部分的に基づいて、前記ＰＵＣＣＨ  ＡＣＫ／ＮＡＫペイロード中でビットマッピングとリソース選択とを決定すること
をさらに備える、請求項２１に記載の方法。
【請求項２４】
基地局から前記ＵＥに、前記ＵＥのためにスケジュールされた前記ダウンリンクＣＣを示す複数のダウンリンク許可を送信することと、
複数のＤＡＩを送信することと、ここにおいて、前記複数のダウンリンク許可の各々が前記複数のＤＡＩ中の前記ＤＡＩのそれぞれの１つを含む、
をさらに備える、請求項１に記載の方法。
【請求項２５】
前記複数のＤＡＩが複数のシーケンス番号を備え、前記方法が、
前記ＰＵＣＣＨ  ＡＣＫ／ＮＡＫペイロード中に含まれるべき前記ビット数を増加させるために、前記複数のシーケンス番号中にシーケンス不連続性を導入すること
をさらに備える、請求項２４に記載の方法。
【請求項２６】
前記ＰＵＣＣＨ  ＡＣＫ／ＮＡＫペイロードを受信することと、
前記ＰＵＣＣＨ  ＡＣＫ／ＮＡＫペイロード中のＡＣＫ／ＮＡＫビットのセットを使用することと、ＡＣＫ／ＮＡＫビットの前記セットが仮想巡回冗長検査（ＣＲＣ）として前記シーケンス不連続性に対応する、
をさらに備える、請求項２５に記載の方法。
【請求項２７】
前記ＵＥにおいて、少なくとも２つの異なるアップリンクＣＣを識別するＡＣＫ／ＮＡＫリソースインジケータ（ＡＲＩ）を受信すること
をさらに備える、請求項１に記載の方法。
【請求項２８】
前記ＵＥにおいて、前記ＵＥのためにスケジュールされた前記ダウンリンクＣＣを示すいくつかのダウンリンク許可を受信すること
をさらに備え、
ここにおいて、前記ＰＵＣＣＨ  ＡＣＫ／ＮＡＫペイロードの前記フォーマットを選択することが、前記ＰＵＣＣＨ  ＡＣＫ／ＮＡＫペイロードを送信するために使用されるフォーマットを選択することを備える、請求項１に記載の方法。
【請求項２９】
基地局から前記ＵＥに、前記ＵＥのためにスケジュールされた前記ダウンリンクＣＣを示す複数のダウンリンク許可を送信すること
をさらに備え、
ここにおいて、前記ＰＵＣＣＨ  ＡＣＫ／ＮＡＫペイロードの前記フォーマットを選択することが、前記ＰＵＣＣＨ  ＡＣＫ／ＮＡＫペイロードを復号するために使用されるフォーマットを選択することを備える、請求項１に記載の方法。
【請求項３０】
ダウンリンクＣＣの少なくとも２つのグループを構成することをさらに備え、ここにおいて、前記ＰＵＣＣＨ  ＡＣＫ／ＮＡＫペイロードの前記フォーマットを選択することが、ダウンリンクＣＣの前記少なくとも２つのグループの各々について実行される、
請求項１に記載の方法。
【請求項３１】
ダウンリンクＣＣの少なくとも２つのグループを構成することをさらに備え、ここにおいて、前記ＰＵＣＣＨ  ＡＣＫ／ＮＡＫペイロードの前記フォーマットを選択することが、ダウンリンクＣＣの各グループ内の前記ダウンリンクＣＣのためのＡＣＫ／ＮＡＫビットのバンドリングを考慮して実行される、
請求項１に記載の方法。
【請求項３２】
ワイヤレス通信のための装置であって、
報告間隔中にユーザ機器（ＵＥ）のためにスケジュールされたダウンリンクコンポーネントキャリア（ＣＣ）の数に少なくとも部分的に基づいて、前記報告間隔について物理アップリンク制御チャネル（ＰＵＣＣＨ）肯定応答／否定応答（ＡＣＫ／ＮＡＫ）ペイロード中に含まれるべきビット数を決定するための手段と、
前記決定されたビット数に少なくとも部分的に基づいて、前記ＰＵＣＣＨ  ＡＣＫ／ＮＡＫペイロードのフォーマットを選択するための手段と
を備える、装置。
【請求項３３】
前記ＰＵＣＣＨ  ＡＣＫ／ＮＡＫペイロードの前記フォーマットを選択するための前記手段が、
前記ＰＵＣＣＨ  ＡＣＫ／ＮＡＫペイロードのための複数のあらかじめ定義されたフォーマットのうちの１つを選択するための手段
を備え、ここにおいて、前記ＰＵＣＣＨ  ＡＣＫ／ＮＡＫペイロードのための前記あらかじめ定義されたフォーマットが、リソースブロック（ＲＢ）内のＵＥ多重化密度、拡散率、またはシンボル期間ごとに割り振られるＲＢの数
の異なる組合せを備える、請求項３２に記載の装置。
【請求項３４】
前記ＰＵＣＣＨ  ＡＣＫ／ＮＡＫペイロードのための前記あらかじめ定義されたフォーマットの各々が、スロットごとに２つの基準信号シンボル期間を備えるフォーマットに少なくとも部分的に基づく、請求項３３に記載の装置。
【請求項３５】
前記ＰＵＣＣＨ  ＡＣＫ／ＮＡＫペイロードの前記選択されたフォーマットが、スロットごとに２つの基準信号シンボル期間を備えるフォーマットに少なくとも部分的に基づく、請求項３２に記載の装置。
【請求項３６】
前記ＰＵＣＣＨ  ＡＣＫ／ＮＡＫペイロードの前記選択されたフォーマットが、さらに、スロットごとに１つの基準信号シンボルを備えるフォーマットに少なくとも部分的に基づく、請求項３２に記載の装置。
【請求項３７】
前記ＰＵＣＣＨ  ＡＣＫ／ＮＡＫペイロードの前記フォーマットを選択することが、  前記ＰＵＣＣＨ  ＡＣＫ／ＮＡＫペイロード中に含まれるべき前記ビット数を複数のビット範囲と比較するための手段と、
前記比較することに少なくとも部分的に基づいて前記ＰＵＣＣＨ  ＡＣＫ／ＮＡＫペイロードの前記フォーマットを選択するための手段と
を備える、請求項３２に記載の装置。
【請求項３８】
前記ＰＵＣＣＨ  ＡＣＫ／ＮＡＫペイロードの前記選択されたフォーマットが、
少なくとも４つのＵＥの、ＲＢ内のＵＥ多重化密度
を備える、請求項３７に記載の装置。
【請求項３９】
前記ＰＵＣＣＨ  ＡＣＫ／ＮＡＫペイロードの前記選択されたフォーマットは、
２つのＵＥの、ＲＢ内のＵＥ多重化密度と、
シンボル期間の少なくとも２つのグループと、ここにおいて、シンボル期間の前記少なくとも２つのグループの各々が少なくとも１つのシンボルを備え、ここにおいて、シンボル期間の前記少なくとも２つのグループの各々内で拡散が独立して適用される、
を備える、請求項３７に記載の装置。
【請求項４０】
拡散率３が３つのシンボル期間の第１のグループに適用され、拡散率２が２つのシンボル期間の第２のグループに適用され、ここにおいて、前記拡散率３を適用するときに、３つの直交カバーコード（ＯＣＣ）のうちの２つが使用される、請求項３９に記載の装置。
【請求項４１】
第１の拡散率２が１つのシンボル期間の第１のグループに適用され、第２の拡散率２が２つのシンボル期間の第２のグループに適用され、第３の拡散率２が２つのシンボル期間の第３のグループに適用される、請求項３９に記載の装置。
【請求項４２】
前記第１の拡散率が、ウォルシュコードを使用して、または直交高速フーリエ変換（ＦＦＴ）行列の要素を使用して適用される、請求項４１に記載の装置。
【請求項４３】
複数の拡散率２の各拡散率が複数のシンボル期間のそれぞれのシンボル期間に適用される、請求項３９に記載の装置。
【請求項４４】
前記複数の拡散率２の各拡散率が、ウォルシュコードを使用して、または直交ＦＦＴ行列の要素を使用して適用される、請求項４３に記載の装置。
【請求項４５】
前記ＰＵＣＣＨ  ＡＣＫ／ＮＡＫペイロードの前記選択されたフォーマットが、
ＲＢ内のＵＥ多重化
を備えず、
拡散率
を備えず、
１のシンボル期間ごとＲＢ割振り
を備える、請求項３７に記載の装置。
【請求項４６】
前記ＰＵＣＣＨ  ＡＣＫ／ＮＡＫペイロードの前記選択されたフォーマットが、
ＲＢ内のＵＥ多重化
を備えず、
拡散率
を備えず、
２のシンボル期間ごとＲＢ割振り
を備える、請求項３７に記載の装置。
【請求項４７】
前記ＰＵＣＣＨ  ＡＣＫ／ＮＡＫペイロードの前記選択されたフォーマットが、
ＲＢ内のＵＥ多重化
を備えず、
拡散率
を備えず、
３のシンボル期間ごとＲＢ割振り
を備える、請求項３７に記載の装置。
【請求項４８】
前記ＵＥのための複数のダウンリンクＣＣの割振りを識別するための手段と、
前記複数のダウンリンクＣＣ内のダウンリンクＣＣの第１のサブセットを識別するための手段と
をさらに備え、
ここにおいて、前記ＰＵＣＣＨ  ＡＣＫ／ＮＡＫペイロード中に含まれるべき前記ビット数がダウンリンクＣＣの前記第１のサブセットのために識別される、請求項３２に記載の装置。
【請求項４９】
前記ＰＵＣＣＨ  ＡＣＫ／ＮＡＫペイロードが第１のＰＵＣＣＨ  ＡＣＫ／ＮＡＫペイロードを備え、前記装置が、
前記複数のダウンリンクＣＣ内のダウンリンクＣＣの第２のサブセットを識別するための手段をさらに備え、ここにおいて、ダウンリンクＣＣの前記第２のサブセットが第２のＰＵＣＣＨ  ＡＣＫ／ＮＡＫペイロードに対応する、
請求項４８に記載の装置。
【請求項５０】
第１のアップリンクＣＣ上で前記第１のＰＵＣＣＨ  ＡＣＫ／ＮＡＫペイロードを送信するための手段と、
第２のアップリンクＣＣ上で前記第２のＰＵＣＣＨ  ＡＣＫ／ＮＡＫペイロードを送信するための手段と
をさらに備える、請求項４９に記載の装置。
【請求項５１】
同じアップリンクＣＣ上で前記第１のＰＵＣＣＨ  ＡＣＫ／ＮＡＫペイロードと前記第２のＰＵＣＣＨ  ＡＣＫ／ＮＡＫペイロードとを送信するための手段
をさらに備える、請求項４９に記載の装置。
【請求項５２】
前記ＵＥにおいて、前記ＵＥのためにスケジュールされた前記ダウンリンクＣＣを示すいくつかのダウンリンク許可を受信するための手段と、
前記ダウンリンク許可の各々とともに、それぞれのダウンリンク割当てインデックス（ＤＡＩ）を受信するための手段と
をさらに備える、請求項３２に記載の装置。
【請求項５３】
ダウンリンク許可のための前記それぞれのＤＡＩが、前記ダウンリンク許可中でスケジュールされた各ダウンリンクＣＣを介した各送信に肯定応答／否定応答するために、前記ＰＵＣＣＨ  ＡＣＫ／ＮＡＫペイロード中でビットマッピングとリソース選択とを示す、請求項５２に記載の装置。
【請求項５４】
ダウンリンク許可のための前記それぞれのＤＡＩが、前記ダウンリンク許可中でスケジュールされた少なくとも１つのダウンリンクＣＣと、別のダウンリンク許可中でスケジュールされた少なくとも１つのダウンリンクＣＣとの間の関係を示すシーケンス番号を備え、前記装置が、
前記ダウンリンク許可中でスケジュールされた各ダウンリンクＣＣを介した各送信に肯定応答／否定応答するために、前記シーケンス番号に少なくとも部分的に基づいて、前記ＰＵＣＣＨ  ＡＣＫ／ＮＡＫペイロード中でビットマッピングとリソース選択とを決定するための手段
をさらに備える、請求項５２に記載の装置。
【請求項５５】
基地局から前記ＵＥに、前記ＵＥのためにスケジュールされた前記ダウンリンクＣＣを示す複数のダウンリンク許可を送信するための手段と、
複数のＤＡＩを送信するための手段と、ここにおいて、前記複数のダウンリンク許可の各々が前記複数のＤＡＩ中の前記ＤＡＩのそれぞれの１つを含む、
をさらに備える、請求項３２に記載の装置。
【請求項５６】
前記複数のＤＡＩが複数のシーケンス番号を備え、前記装置が、
前記ＰＵＣＣＨ  ＡＣＫ／ＮＡＫペイロード中に含まれるべき前記ビット数を増加させるために、前記複数のシーケンス番号中にシーケンス不連続性を導入するための手段
をさらに備える、請求項５５に記載の装置。
【請求項５７】
前記ＰＵＣＣＨ  ＡＣＫ／ＮＡＫペイロードを受信するための手段と、
前記ＰＵＣＣＨ  ＡＣＫ／ＮＡＫペイロード中のＡＣＫ／ＮＡＫビットのセットを使用するための手段と、ＡＣＫ／ＮＡＫビットの前記セットが仮想巡回冗長検査（ＣＲＣ）として前記シーケンス不連続性に対応する、
をさらに備える、請求項５６に記載の装置。
【請求項５８】
前記ＵＥにおいて、少なくとも２つの異なるアップリンクＣＣを識別するＡＣＫ／ＮＡＫリソースインジケータ（ＡＲＩ）を受信するための手段
をさらに備える、請求項３２に記載の装置。
【請求項５９】
前記ＵＥにおいて、前記ＵＥのためにスケジュールされた前記ダウンリンクＣＣを示すいくつかのダウンリンク許可を受信するための手段
をさらに備え、
ここにおいて、前記ＰＵＣＣＨ  ＡＣＫ／ＮＡＫペイロードの前記フォーマットを選択するための前記手段が、前記ＰＵＣＣＨ  ＡＣＫ／ＮＡＫペイロードを送信するために使用されるフォーマットを選択するための手段を備える、請求項３２に記載の装置。
【請求項６０】
基地局から前記ＵＥに、前記ＵＥのためにスケジュールされた前記ダウンリンクＣＣを示す複数のダウンリンク許可を送信するための手段
をさらに備え、
ここにおいて、前記ＰＵＣＣＨ  ＡＣＫ／ＮＡＫペイロードの前記フォーマットを選択するための前記手段が、前記ＰＵＣＣＨ  ＡＣＫ／ＮＡＫペイロードを復号するために使用されるフォーマットを選択するための手段を備える、請求項３２に記載の装置。
【請求項６１】
ダウンリンクＣＣの少なくとも２つのグループを構成するための手段をさらに備え、ここにおいて、前記ＰＵＣＣＨ  ＡＣＫ／ＮＡＫペイロードの前記フォーマットを選択することが、ダウンリンクＣＣの前記少なくとも２つのグループの各々について実行される、請求項３２に記載の装置。
【請求項６２】
ダウンリンクＣＣの少なくとも２つのグループを構成するための手段をさらに備え、ここにおいて、前記ＰＵＣＣＨ  ＡＣＫ／ＮＡＫペイロードの前記フォーマットを選択することが、ダウンリンクＣＣの各グループ内の前記ダウンリンクＣＣのためのＡＣＫ／ＮＡＫビットのバンドリングを考慮して実行される、
請求項３２に記載の装置。
【請求項６３】
ワイヤレス通信のための装置であって、
プロセッサと、
前記プロセッサと電子通信しているメモリと、
前記メモリに記憶された命令と
を備え、前記命令が、
報告間隔中にユーザ機器（ＵＥ）のためにスケジュールされたダウンリンクコンポーネントキャリア（ＣＣ）の数に少なくとも部分的に基づいて、前記報告間隔について物理アップリンク制御チャネル（ＰＵＣＣＨ）肯定応答／否定応答（ＡＣＫ／ＮＡＫ）ペイロード中に含まれるべきビット数を決定することと、
前記決定されたビット数に少なくとも部分的に基づいて、前記ＰＵＣＣＨ  ＡＣＫ／ＮＡＫペイロードのフォーマットを選択することと
を行うために前記プロセッサによって実行可能である、装置。
【請求項６４】
前記ＰＵＣＣＨ  ＡＣＫ／ＮＡＫペイロードの前記フォーマットを選択するために前記プロセッサによって実行可能な前記命令が、
前記ＰＵＣＣＨ  ＡＣＫ／ＮＡＫペイロードのための複数のあらかじめ定義されたフォーマットのうちの１つを選択する
ために前記プロセッサによって実行可能な命令を備え、ここにおいて、前記ＰＵＣＣＨ  ＡＣＫ／ＮＡＫペイロードのための前記あらかじめ定義されたフォーマットが、リソースブロック（ＲＢ）内のＵＥ多重化密度、拡散率、またはシンボル期間ごとに割り振られるＲＢの数
の異なる組合せを備える、請求項６３に記載の装置。
【請求項６５】
前記ＰＵＣＣＨ  ＡＣＫ／ＮＡＫペイロードの前記選択されたフォーマットが、スロットごとに２つの基準信号シンボル期間を備えるフォーマットに少なくとも部分的に基づく、請求項６３に記載の装置。
【請求項６６】
前記ＰＵＣＣＨ  ＡＣＫ／ＮＡＫペイロードの前記選択されたフォーマットが、さらに、スロットごとに１つの基準信号シンボルを備えるフォーマットに少なくとも部分的に基づく、請求項６３に記載の装置。
【請求項６７】
前記ＰＵＣＣＨ  ＡＣＫ／ＮＡＫペイロードの前記フォーマットを選択するために前記プロセッサによって実行可能な前記命令が、
前記ＰＵＣＣＨ  ＡＣＫ／ＮＡＫペイロード中に含まれるべき前記ビット数を複数のビット範囲と比較することと、
前記比較することに少なくとも部分的に基づいて前記ＰＵＣＣＨ  ＡＣＫ／ＮＡＫペイロードの前記フォーマットを選択することと
を行うために前記プロセッサによって実行可能な命令を備える、請求項６３に記載の装置。
【請求項６８】
前記命令が、
前記ＵＥのための複数のダウンリンクＣＣの割振りを識別することと、
前記複数のダウンリンクＣＣ内のダウンリンクＣＣの第１のサブセットを識別することと
を行うために前記プロセッサによって実行可能であり、
ここにおいて、前記ＰＵＣＣＨ  ＡＣＫ／ＮＡＫペイロード中に含まれるべき前記ビット数がダウンリンクＣＣの前記第１のサブセットのために識別される、請求項６３に記載の装置。
【請求項６９】
前記命令が、
前記ＵＥにおいて、前記ＵＥのためにスケジュールされた前記ダウンリンクＣＣを示すいくつかのダウンリンク許可を受信することと、
前記ダウンリンク許可の各々とともに、それぞれのダウンリンク割当てインデックス（ＤＡＩ）を受信することと
を行うために前記プロセッサによって実行可能である、請求項６３に記載の装置。
【請求項７０】
前記命令は、
基地局から前記ＵＥに、前記ＵＥのためにスケジュールされた前記ダウンリンクＣＣを示す複数のダウンリンク許可を送信することと、
複数のＤＡＩを送信することと、ここにおいて、前記複数のダウンリンク許可の各々が前記複数のＤＡＩ中の前記ＤＡＩのそれぞれの１つを含む、
を行うために前記プロセッサによって実行可能である、請求項６３に記載の装置。
【請求項７１】
前記命令が、
ダウンリンクＣＣの少なくとも２つのグループを構成するために前記プロセッサによって実行可能であり、ここにおいて、前記ＰＵＣＣＨ  ＡＣＫ／ＮＡＫペイロードの前記フォーマットを選択することが、ダウンリンクＣＣの前記少なくとも２つのグループの各々について実行される、
請求項６３に記載の装置。
【請求項７２】
前記命令が、
ダウンリンクＣＣの少なくとも２つのグループを構成するために前記プロセッサによって実行可能であり、ここにおいて、前記ＰＵＣＣＨ  ＡＣＫ／ＮＡＫペイロードの前記フォーマットを選択することが、ダウンリンクＣＣの各グループ内の前記ダウンリンクＣＣのためのＡＣＫ／ＮＡＫビットのバンドリングを考慮して実行される、
請求項６３に記載の装置。
【請求項７３】
非一時的コンピュータ可読媒体を備えるコンピュータプログラム製品であって、前記非一時的コンピュータ可読媒体が、
報告間隔中にユーザ機器（ＵＥ）のためにスケジュールされたダウンリンクコンポーネントキャリア（ＣＣ）の数に少なくとも部分的に基づいて、前記報告間隔について物理アップリンク制御チャネル（ＰＵＣＣＨ）肯定応答／否定応答（ＡＣＫ／ＮＡＫ）ペイロード中に含まれるべきビット数を決定するための命令と、
前記決定されたビット数に少なくとも部分的に基づいて、前記ＰＵＣＣＨ  ＡＣＫ／ＮＡＫペイロードのフォーマットを選択するための命令と
を備える、コンピュータプログラム製品。
【請求項７４】
前記ＰＵＣＣＨ  ＡＣＫ／ＮＡＫペイロードの前記フォーマットを選択するための前記命令が、
前記ＰＵＣＣＨ  ＡＣＫ／ＮＡＫペイロードのための複数のあらかじめ定義されたフォーマットのうちの１つを選択するための命令
を備え、ここにおいて、前記ＰＵＣＣＨ  ＡＣＫ／ＮＡＫペイロードのための前記あらかじめ定義されたフォーマットが、リソースブロック（ＲＢ）内のＵＥ多重化密度、拡散率、またはシンボル期間ごとに割り振られるＲＢの数
の異なる組合せを備える、請求項７３に記載のコンピュータプログラム製品。
【請求項７５】
前記ＰＵＣＣＨ  ＡＣＫ／ＮＡＫペイロードの前記フォーマットを選択するための前記命令が、
前記ＰＵＣＣＨ  ＡＣＫ／ＮＡＫペイロード中に含まれるべき前記ビット数を複数のビット範囲と比較するための命令と、
前記比較することに少なくとも部分的に基づいて前記ＰＵＣＣＨ  ＡＣＫ／ＮＡＫペイロードの前記フォーマットを選択するための命令と
を備える、請求項７３に記載のコンピュータプログラム製品。
【請求項７６】
前記ＵＥのための複数のダウンリンクＣＣの割振りを識別するための命令と、
前記複数のダウンリンクＣＣ内のダウンリンクＣＣの第１のサブセットを識別するための命令と
をさらに備え、
ここにおいて、前記ＰＵＣＣＨ  ＡＣＫ／ＮＡＫペイロード中に含まれるべき前記ビット数がダウンリンクＣＣの前記第１のサブセットのために識別される、請求項７３に記載のコンピュータプログラム製品。
【発明の詳細な説明】
【技術分野】
【０００１】
相互参照
[0001]  本特許出願は、各々が本出願の譲受人に譲渡された、２０１６年１月２２日に出願された、「Uplink Control Channel for Acknowledging Increased Number of Downlink Component Carriers」と題する、Ｇａａｌらによる米国特許出願第１５／００４，５０４号、および２０１５年１月３０日に出願された、「Uplink Control Channel for Acknowledging Increased Number of Downlink Component Carriers」と題する、Ｇａａｌらによる米国仮特許出願第６２／１１０，３０７号の優先権を主張する。
【０００２】
[0002]  本開示は、たとえば、ワイヤレス通信システムに関し、より詳細には、アップリンク制御チャネル（uplink control channel）のペイロード（payload）中で肯定応答（ＡＣＫ）または否定応答（ＮＡＫ）され得るダウンリンクコンポーネントキャリア（downlink component carrier）の数を増加させるための技法に関する。
【背景技術】
【０００３】
[0003]  ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、シングルキャリア周波数分割多元接続（ＳＣ−ＦＤＭＡ）システム、および直交周波数分割多元接続（ＯＦＤＭＡ）システムがある。
【０００４】
[0004]  例として、ワイヤレス多元接続通信システムは、場合によってはユーザ機器（ＵＥ：user equipment）として知られる、複数の通信デバイスのための通信を各々が同時にサポートする、いくつかの基地局を含み得る。基地局は、（たとえば、基地局からＵＥへの送信のために）ダウンリンクチャネル上でＵＥと通信し、（たとえば、ＵＥから基地局への送信のために）アップリンクチャネル上でＵＥと通信し得る。
【０００５】
[0005]  いくつかの動作モードでは、ＵＥは、キャリアアグリゲーションモードまたはデュアル接続性モードで動作し得、それらのモードでは、ＵＥは、複数のコンポーネントキャリアを使用して１つまたは複数の基地局と通信するように構成され得る。複数のダウンリンクコンポーネントキャリアを介した送信を受信すると、ＵＥは、送信の受信にＡＣＫまたはＮＡＫするためにアップリンク制御チャネルのペイロードを使用し得る。
【発明の概要】
【０００６】
[0006]  本開示は、たとえば、アップリンク制御チャネルのペイロード中で肯定応答または否定応答され得るダウンリンクコンポーネントキャリアの数を増加させるための１つまたは複数の技法に関する。ロングタームエボリューション（ＬＴＥ（登録商標）：Long Term Evolution）通信またはＬＴＥアドバンスト（ＬＴＥ−Ａ：LTE-Advanced）通信（ＬＴＥ／ＬＴＥ−Ａ通信）のために利用可能なスペクトルの増加とともに、いくつかの場合には、利用可能なスペクトルのグラニュラリティ（granularity）の増加とともに、ＵＥがそれを介して同時に通信することができるコンポーネントキャリア（component carrier）の数は増加されている。しかしながら、ＬＴＥ／ＬＴＥ−Ａシステム中で使用される物理アップリンク制御チャネル（ＰＵＣＣＨ：physical uplink control channel）ＡＣＫ／ＮＡＫペイロードのフォーマット（format）は、限られたＡＣＫ／ＮＡＫ容量を有する。ＡＣＫ／ＮＡＫ容量を増加させるための技法が使用され得るが、ＵＥが３２個よりも少ないコンポーネントキャリア（および場合によってはさらには５つよりも少ないコンポーネントキャリア）を介して同時に通信し得るときもある。したがって、最大数のコンポーネントキャリアを介した送信に肯定応答／否定応答する（acknowledging/non-acknowledging）ための能力を与える静的ＰＵＣＣＨ  ＡＣＫ／ＮＡＫペイロードフォーマットは、最大数よりも少ないコンポーネントキャリアがスケジュールされるとき不経済であり得る。本開示で説明される技法は、ＰＵＣＣＨ  ＡＣＫ／ＮＡＫペイロード中に含まれるべきビット数（number of bits）に応じてＰＵＣＣＨ  ＡＣＫ／ＮＡＫペイロードのフォーマットを選択することを提供する。ＵＥによって選択されたＰＵＣＣＨ  ＡＣＫ／ＮＡＫペイロードフォーマットが、基地局によって選択（および予想）される同じＰＵＣＣＨ  ＡＣＫ／ＮＡＫペイロードフォーマットであることを保証するための技法も説明される。
【０００７】
[0007]  例示的な例の第１のセットでは、ワイヤレス通信（wireless communication）のための方法が説明される。一構成では、本方法は、報告間隔中（during a reporting interval）にユーザ機器（ＵＥ：user equipment）のためにスケジュールされたダウンリンクコンポーネントキャリア（ＣＣ：component carrier）の数に少なくとも部分的に基づいて、報告間隔（reporting interval）について物理アップリンク制御チャネル（ＰＵＣＣＨ）肯定応答／否定応答（ＡＣＫ／ＮＡＫ：acknowledgement/non-acknowledgement）ペイロード中に含まれるべきビット数を決定することを含み得る。本方法はまた、決定されたビット数に少なくとも部分的に基づいて、ＰＵＣＣＨ  ＡＣＫ／ＮＡＫペイロードのフォーマットを選択することを含み得る。
【０００８】
[0008]  本方法のいくつかの例では、ＰＵＣＣＨ  ＡＣＫ／ＮＡＫペイロードのフォーマットを選択することは、ＰＵＣＣＨ  ＡＣＫ／ＮＡＫペイロードのための複数のあらかじめ定義されたフォーマット（predefined format）のうちの１つを選択することを含み得、ここにおいて、ＰＵＣＣＨ  ＡＣＫ／ＮＡＫペイロードのためのあらかじめ定義されたフォーマットは、リソースブロック（ＲＢ：resource block）内のＵＥ多重化密度（UE multiplexing density）、拡散率（spreading factor）、またはシンボル期間ごとに割り振られるＲＢの数（numbers of RBs allocated per symbol period）の異なる組合せを含む。これらの例のうちのいくつかでは、ＰＵＣＣＨ  ＡＣＫ／ＮＡＫペイロードのためのあらかじめ定義されたフォーマットの各々は、スロット（slot）ごとに２つの基準信号シンボル期間（reference signal symbol period）を含むフォーマットに少なくとも部分的に基づき得る。
【０００９】
[0009]  本方法のいくつかの例では、ＰＵＣＣＨ  ＡＣＫ／ＮＡＫペイロードの選択されたフォーマットは、スロットごとに２つの基準信号シンボル期間を含むフォーマットに少なくとも部分的に基づき得る。本方法のいくつかの例では、ＰＵＣＣＨ  ＡＣＫ／ＮＡＫペイロードの選択されたフォーマットは、さらに、スロットごとに１つの基準信号シンボル（reference signal symbol）を含むフォーマットに少なくとも部分的に基づき得る。
【００１０】
[0010]  本方法のいくつかの例では、ＰＵＣＣＨ  ＡＣＫ／ＮＡＫペイロードのフォーマットを選択することは、ＰＵＣＣＨ  ＡＣＫ／ＮＡＫペイロード中に含まれるべきビット数を複数のビット範囲（bit range）と比較することと、比較することに少なくとも部分的に基づいてＰＵＣＣＨ  ＡＣＫ／ＮＡＫペイロードのフォーマットを選択することとを含み得る。いくつかの例では、ＰＵＣＣＨ  ＡＣＫ／ＮＡＫペイロードの選択されたフォーマットは、少なくとも４つのＵＥの、ＲＢ内のＵＥ多重化密度を含み得る。いくつかの例では、ＰＵＣＣＨ  ＡＣＫ／ＮＡＫペイロードの選択されたフォーマットは、２つのＵＥの、ＲＢ内のＵＥ多重化密度と、シンボル期間（symbol period）の少なくとも２つのグループとを含み得る。シンボル期間の少なくとも２つのグループの各々は少なくとも１つのシンボルを含み得、シンボル期間の少なくとも２つのグループの各々内で拡散（spreading）が独立して適用され得る。いくつかの例では、拡散率３が３つのシンボル期間の第１のグループに適用され得、拡散率２が２つのシンボル期間の第２のグループに適用され得、拡散率３を適用するときに、３つの直交カバーコード（ＯＣＣ：orthogonal cover code）のうちの２つが使用され得る。いくつかの例では、第１の拡散率２が１つのシンボル期間の第１のグループに適用され得、第２の拡散率２が２つのシンボル期間の第２のグループに適用され得、第３の拡散率２が２つのシンボル期間の第３のグループに適用され得る。これらの後者の例では、第１の拡散率は、ウォルシュコード（Walsh code）を使用して、または直交（orthogonal）高速フーリエ変換（ＦＦＴ：Fast Fourier Transform）行列（matrix）の要素（element）を使用して適用され得る。
【００１１】
[0011]  本方法のいくつかの例では、複数の拡散率２の各拡散率は複数のシンボル期間のそれぞれのシンボル期間に適用され得る。これらの例では、複数の拡散率２の各拡散率が、ウォルシュコードを使用して、または直交ＦＦＴ行列（orthogonal FFT matrix）の要素を使用して適用され得る。いくつかの例では、ＰＵＣＣＨ  ＡＣＫ／ＮＡＫペイロードの選択されたフォーマットは、ＲＢ内のＵＥ多重化（UE multiplexing）を含まず、拡散率を含まず、１のシンボル期間ごとＲＢ割振り（RB allocation）を含み得る。いくつかの例では、ＰＵＣＣＨ  ＡＣＫ／ＮＡＫペイロードの選択されたフォーマットは、ＲＢ内のＵＥ多重化を含まず、拡散率を含まず、２のシンボル期間ごとＲＢ割振りを含み得る。いくつかの例では、ＰＵＣＣＨ  ＡＣＫ／ＮＡＫペイロードの選択されたフォーマットは、ＲＢ内のＵＥ多重化を含まず、拡散率を含まず、３のシンボル期間ごとＲＢ割振りを含み得る。
【００１２】
[0012]  いくつかの例では、本方法は、ＵＥのための複数のダウンリンクＣＣの割振り（allocation）を識別することと、複数のダウンリンクＣＣ内のダウンリンクＣＣの第１のサブセット（subset）を識別することとを含み得る。これらの例では、ＰＵＣＣＨ  ＡＣＫ／ＮＡＫペイロード中に含まれるべきビット数はダウンリンクＣＣの第１のサブセットのために識別され得る。いくつかの例では、ＰＵＣＣＨ  ＡＣＫ／ＮＡＫペイロードは第１のＰＵＣＣＨ  ＡＣＫ／ＮＡＫペイロードを含み得、本方法は、複数のダウンリンクＣＣ内のダウンリンクＣＣの第２のサブセットを識別することを含み得、ここで、ダウンリンクＣＣの第２のサブセットは第２のＰＵＣＣＨ  ＡＣＫ／ＮＡＫペイロードに対応する。いくつかの例では、本方法は、第１のアップリンクＣＣ上で第１のＰＵＣＣＨ  ＡＣＫ／ＮＡＫペイロードを送信することと、第２のアップリンクＣＣ上で第２のＰＵＣＣＨ  ＡＣＫ／ＮＡＫペイロードを送信することとをさらに含み得る。いくつかの例では、本方法は、同じアップリンクＣＣ上で第１のＰＵＣＣＨ  ＡＣＫ／ＮＡＫペイロードと第２のＰＵＣＣＨ  ＡＣＫ／ＮＡＫペイロードとを送信することをさらに含み得る。
【００１３】
[0013]  いくつかの例では、本方法は、ＵＥにおいて、ＵＥのためにスケジュールされたダウンリンクＣＣを示すいくつかのダウンリンク許可（downlink grant）を受信することと、ダウンリンク許可の各々とともに、それぞれのダウンリンク割当てインデックス（ＤＡＩ：downlink assignment index）を受信することとを含み得る。いくつかの例では、ダウンリンク許可のためのそれぞれのＤＡＩは、ダウンリンク許可中でスケジュールされた各ダウンリンクＣＣを介した各送信に肯定応答／否定応答するために、ＰＵＣＣＨ  ＡＣＫ／ＮＡＫペイロード中でビットマッピング（bit mapping）とリソース選択（resource selection）とを示し得る。いくつかの例では、ダウンリンク許可のためのそれぞれのＤＡＩは、ダウンリンク許可中でスケジュールされた少なくとも１つのダウンリンクＣＣと、別のダウンリンク許可中でスケジュールされた少なくとも１つのダウンリンクＣＣとの間の関係を示すシーケンス番号（sequence number）を含み得る。これらの後者の例では、本方法は、ダウンリンク許可中でスケジュールされた各ダウンリンクＣＣを介した各送信に肯定応答／否定応答するために、シーケンス番号に少なくとも部分的に基づいて、ＰＵＣＣＨ  ＡＣＫ／ＮＡＫペイロード中でビットマッピングとリソース選択とを決定することを含み得る。
【００１４】
[0014]  いくつかの例では、本方法は、基地局からＵＥに、ＵＥのためにスケジュールされたダウンリンクＣＣを示す複数のダウンリンク許可を送信することと、複数のＤＡＩを送信することとを含み得る。複数のダウンリンク許可の各々は複数のＤＡＩ中のＤＡＩのそれぞれの１つを含み得る。いくつかの例では、複数のＤＡＩは複数のシーケンス番号を含み得、本方法は、ＰＵＣＣＨ  ＡＣＫ／ＮＡＫペイロード中に含まれるべきビット数を増加させるために、複数のシーケンス番号中にシーケンス不連続性（sequence discontinuity）を導入することをさらに含み得る。いくつかの例では、本方法は、ＰＵＣＣＨ  ＡＣＫ／ＮＡＫペイロードを受信することと、ＰＵＣＣＨ  ＡＣＫ／ＮＡＫペイロード中のＡＣＫ／ＮＡＫビットのセットを使用することと、ＡＣＫ／ＮＡＫビットのセットが仮想（virtual）巡回冗長検査（ＣＲＣ：cyclic redundancy check）としてシーケンス不連続性に対応する、をさらに含み得る。
【００１５】
[0015]  いくつかの例では、本方法は、ＵＥにおいて、少なくとも２つの異なるアップリンクＣＣを識別するＡＣＫ／ＮＡＫリソースインジケータ（ＡＲＩ：ACK/NAK resource indicator）を受信することを含み得る。いくつかの例では、本方法は、ＵＥにおいて、ＵＥのためにスケジュールされたダウンリンクＣＣを示すいくつかのダウンリンク許可を受信することを含み得、ＰＵＣＣＨ  ＡＣＫ／ＮＡＫペイロードのフォーマットを選択することは、ＰＵＣＣＨ  ＡＣＫ／ＮＡＫペイロードを送信するために使用されるフォーマットを選択することを含み得る。いくつかの例では、本方法は、基地局からＵＥに、ＵＥのためにスケジュールされたダウンリンクＣＣを示す複数のダウンリンク許可を送信することを含み得、ＰＵＣＣＨ  ＡＣＫ／ＮＡＫペイロードのフォーマットを選択することは、ＰＵＣＣＨ  ＡＣＫ／ＮＡＫペイロードを復号するために使用されるフォーマットを選択することを含み得る。
【００１６】
[0016]  いくつかの例では、本方法は、ダウンリンクＣＣの少なくとも２つのグループを構成することを含み得、ＰＵＣＣＨ  ＡＣＫ／ＮＡＫペイロードのフォーマットを選択することは、ダウンリンクＣＣの少なくとも２つのグループの各々について実行され得る。いくつかの例では、本方法は、ダウンリンクＣＣの少なくとも２つのグループを構成することを含み得、ＰＵＣＣＨ  ＡＣＫ／ＮＡＫペイロードのフォーマットを選択することは、ダウンリンクＣＣの各グループ内のダウンリンクＣＣのためのＡＣＫ／ＮＡＫビットのバンドリング（bundling）を考慮して実行され得る。
【００１７】
[0017]  例示的な例の第２のセットでは、ワイヤレス通信のための装置（apparatus）が説明される。一構成では、本装置は、報告間隔中にＵＥのためにスケジュールされたダウンリンクＣＣの数に少なくとも部分的に基づいて、報告間隔についてＰＵＣＣＨ  ＡＣＫ／ＮＡＫペイロード中に含まれるべきビット数を決定するための手段を含む。本装置はまた、決定されたビット数に少なくとも部分的に基づいて、ＰＵＣＣＨ  ＡＣＫ／ＮＡＫペイロードのフォーマットを選択するための手段を含み得る。いくつかの例では、本装置は、例示的な例の第１のセットに関して上記で説明されたワイヤレス通信のための方法の１つまたは複数の態様を実装するための手段をさらに含み得る。
【００１８】
[0018]  例示的な例の第３のセットでは、ワイヤレス通信のための別の装置が説明される。一構成では、本装置は、プロセッサと、プロセッサと電子通信しているメモリと、メモリに記憶された命令とを含み得る。命令は、報告間隔中にＵＥのためにスケジュールされたダウンリンクＣＣの数に少なくとも部分的に基づいて、報告間隔についてＰＵＣＣＨ  ＡＣＫ／ＮＡＫペイロード中に含まれるべきビット数を決定するためにプロセッサによって実行可能であり得る。命令はまた、決定されたビット数に少なくとも部分的に基づいて、ＰＵＣＣＨ  ＡＣＫ／ＮＡＫペイロードのフォーマットを選択するためにプロセッサによって実行可能であり得る。いくつかの例では、命令はまた、例示的な例の第１のセットに関して上記で説明されたワイヤレス通信のための方法の１つまたは複数の態様を実装するためにプロセッサによって実行可能であり得る。
【００１９】
[0019]  例示的な例の第４のセットでは、非一時的コンピュータ可読媒体（non-transitory computer-readable medium）を含むコンピュータプログラム製品（computer program product）が説明される。一構成では、非一時的コンピュータ可読媒体は、報告間隔中にＵＥのためにスケジュールされたダウンリンクＣＣの数に少なくとも部分的に基づいて、報告間隔についてＰＵＣＣＨ  ＡＣＫ／ＮＡＫペイロード中に含まれるべきビット数を決定するための命令を含み得る。非一時的コンピュータ可読媒体はまた、決定されたビット数に少なくとも部分的に基づいて、ＰＵＣＣＨ  ＡＣＫ／ＮＡＫペイロードのフォーマットを選択するための命令を含み得る。いくつかの例では、非一時的コンピュータ可読媒体はまた、例示的な例の第１のセットに関して上記で説明されたワイヤレス通信のための方法の１つまたは複数の態様を実装するための命令を含み得る。
【００２０】
[0020]  上記では、以下の発明を実施するための形態がより良く理解され得るように、本開示による例の特徴および技術的利点についてやや広く概説した。以下で、追加の特徴および利点が説明される。開示する概念および具体例は、本開示の同じ目的を実行するための他の構造を変更または設計するための基礎として容易に利用され得る。そのような等価な構成は、添付の特許請求の範囲から逸脱しない。本明細書で開示する概念の特性、それらの編成と動作方法の両方は、関連する利点とともに、添付の図に関連して以下の説明を検討するとより良く理解されよう。図の各々は、例示および説明の目的で与えられるものであり、特許請求の範囲の制限の定義として与えられるものではない。
【００２１】
[0021]  以下の図面を参照すれば、本発明の性質および利点のさらなる理解が得られ得る。添付の図では、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、説明は、第２の参照ラベルにかかわらず、同じ第１の参照ラベルを有する同様の構成要素のうちのいずれにも適用可能である。
【図面の簡単な説明】
【００２２】
【図１】[0022]  本開示の様々な態様による、ワイヤレス通信システムの一例を示す図。
【図２】[0023]  本開示の様々な態様による、ＬＴＥ／ＬＴＥ−Ａが、共有無線周波数スペクトル（shared radio frequency spectrum）を使用して異なるシナリオの下で展開され得るワイヤレス通信システムを示す図。
【図３】[0024]  本開示の様々な態様による、ＬＴＥ／ＬＴＥ−Ａがキャリアアグリゲーションシナリオ（carrier aggregation scenario）において展開され得るワイヤレス通信システムを示す図。
【図４】[0025]  本開示の様々な態様による、サブフレーム（subframe）中に送信または受信され得る、ＰＵＣＣＨの例示的なリソースブロック（ＲＢ）を示す図。
【図５】[0026]  本開示の様々な態様による、サブフレーム中に送信または受信され得る、ＰＵＣＣＨの例示的なＲＢを示す図。
【図６】[0027]  本開示の様々な態様による、報告間隔について、ＰＵＣＣＨ  ＡＣＫ／ＮＡＫペイロードのフォーマットがＵＥまたは基地局によってそこから選択され得るＰＵＣＣＨ  ＡＣＫ／ＮＡＫペイロードの所定のフォーマットの例示的なテーブルを示す図。
【図７】[0028]  本開示の様々な態様による、拡散率３が３つのシンボル期間の第１のグループに適用され得、拡散率２が２つのシンボル期間の第２のグループに適用され得る、ＰＵＣＣＨ  ＡＣＫ／ＮＡＫペイロードのフォーマットを示す図。
【図８】[0029]  本開示の様々な態様による、第１の拡散率２が１つのシンボル期間の第１のグループに適用され得、第２の拡散率２が２つのシンボル期間の第２のグループに適用され得、第３の拡散率２が２つのシンボル期間の第３のグループ内に適用され得る、ＰＵＣＣＨ  ＡＣＫ／ＮＡＫペイロードのフォーマットを示す図。
【図９】[0030]  本開示の様々な態様による、複数の拡散率２の各拡散率が１つのシンボル期間のそれぞれのグループに適用される、ＰＵＣＣＨ  ＡＣＫ／ＮＡＫペイロードのフォーマットを示す図。
【図１０】[0031]  本開示の様々な態様による、ウォルシュコードを使用する、シンボル期間内のデータシンボル（たとえば、４位相シフトキーイング（ＱＰＳＫ：quadrature phase-shift keying）シンボル）への拡散率２の適用例を示す図。
【図１１】[0032]  本開示の様々な態様による、ワイヤレス通信において使用するための装置のブロック図。
【図１２】[0033]  本開示の様々な態様による、ワイヤレス通信において使用するための装置のブロック図。
【図１３】[0034]  本開示の様々な態様による、ワイヤレス通信において使用するための装置のブロック図。
【図１４】[0035]  本開示の様々な態様による、ワイヤレス通信において使用するための装置のブロック図。
【図１５】[0036]  本開示の様々な態様による、ワイヤレス通信において使用するための装置のブロック図。
【図１６】[0037]  本開示の様々な態様による、ワイヤレス通信において使用するための装置のブロック図。
【図１７】[0038]  本開示の様々な態様による、ワイヤレス通信において使用するためのＵＥのブロック図。
【図１８】[0039]  本開示の様々な態様による、ワイヤレス通信において使用するための基地局（たとえば、ｅＮＢの一部または全部を形成する基地局）のブロック図。
【図１９】[0040]  本開示の様々な態様による、基地局とＵＥとを含む多入力多出力（ＭＩＭＯ）通信システムのブロック図。
【図２０】[0041]  本開示の様々な態様による、ワイヤレス通信のための例示的な方法を示すフローチャート。
【図２１】[0042]  本開示の様々な態様による、ワイヤレス通信のための例示的な方法を示すフローチャート。
【図２２】[0043]  本開示の様々な態様による、ワイヤレス通信のための例示的な方法を示すフローチャート。
【図２３】[0044]  本開示の様々な態様による、ワイヤレス通信のための例示的な方法を示すフローチャート。
【図２４】[0045]  本開示の様々な態様による、ワイヤレス通信のための例示的な方法を示すフローチャート。
【図２５】[0046]  本開示の様々な態様による、ワイヤレス通信のための例示的な方法を示すフローチャート。
【発明を実施するための形態】
【００２３】
[0047]  単一のＵＥがアップリンク制御チャネルのペイロード全体を使用するとは限らないとき、複数のＵＥ間でのペイロードの使用を多重化する能力を与えながら、ペイロード中で肯定応答（ＡＣＫ）または否定応答（ＮＡＫ）され得るダウンリンクコンポーネントキャリアの数を増加させるための技法が説明される。過去に、ＬＴＥ／ＬＴＥ−Ａ  ＰＵＣＣＨ  ＡＣＫ／ＮＡＫペイロードのサイズは静的（static）であり、最高５つのダウンリンクコンポーネントキャリア（ＣＣ）をＡＣＫすることまたはＮＡＫすることを可能にしていた。本開示で説明される特定の例は、最高３２個のダウンリンクＣＣがＬＴＥ／ＬＴＥ−Ａ  ＰＵＣＣＨ  ＡＣＫ／ＮＡＫペイロード中でＡＣＫまたはＮＡＫされることを可能にし、複数のＵＥまたは１つのＵＥがより大きい数のダウンリンクＣＣを介した送信にＡＣＫまたはＮＡＫすることによって、それの使用を最適化するようにペイロードのフォーマットが選択されることを可能にする。本開示で説明される技法はまた、任意の数のダウンリンクＣＣを介した送信にＡＣＫまたはＮＡＫするためのＰＵＣＣＨ  ＡＣＫ／ＮＡＫペイロードフォーマットを選択するために使用され得る。
【００２４】
[0048]  以下の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。たとえば、説明される方法は、説明される順序とは異なる順序で実行され得、様々なステップが追加、省略、または組み合わせられ得る。また、いくつかの例に関して説明される特徴は、他の例において組み合わせられ得る。
【００２５】
[0049]  図１に、本開示の様々な態様による、ワイヤレス通信システム１００の一例を示す。ワイヤレス通信システム１００は、基地局１０５と、ＵＥ１１５と、コアネットワーク１３０とを含み得る。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク（backhaul link）１３２（たとえば、Ｓ１など）を通してコアネットワーク１３０とインターフェースし得、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して互いと直接または間接的に（たとえば、コアネットワーク１３０を通して）通信し得る。
【００２６】
[0050]  基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分を構成するセクタに分割され得る（図示せず）。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００２７】
[0051]  いくつかの例では、ワイヤレス通信システム１００はＬＴＥ／ＬＴＥ−Ａネットワークを含み得る。ＬＴＥ／ＬＴＥ−Ａネットワークでは、発展型ノードＢ（ｅＮＢ）という用語は、基地局１０５を表すために使用され得、ＵＥという用語は、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、または他のタイプのセルに通信カバレージを与え得る。「セル（cell）」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ（登録商標）用語である。
【００２８】
[0052]  マクロセルは、比較的大きい地理的エリア（たとえば、半径数キロメートル）をカバーし得、ネットワークプロバイダのサービスに加入しているＵＥによる無制限アクセスを可能にし得る。スモールセルは、マクロセルと比較して、同じまたは異なる（たとえば、専用、共有などの）無線周波数スペクトルにおいてマクロセルとして動作し得る低電力基地局であり得る。スモールセルは、様々な例によれば、ピコセル、フェムトセル、およびマイクロセルを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００２９】
[0053]  ワイヤレス通信システム１００は同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【００３０】
[0054]  様々な開示する例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネルを介して通信するためにパケットセグメンテーションおよびリアセンブリを実行し得る。媒体アクセス制御（ＭＡＣ：Medium Access Control）レイヤが、優先度処理と、トランスポートチャネルへの論理チャネルの多重化とを実行し得る。ＭＡＣレイヤはまた、リンク効率を改善するために、ＭＡＣレイヤにおける再送信を行うためにハイブリッドＡＲＱ（ＨＡＲＱ）を使用し得る。制御プレーンでは、無線リソース制御（ＲＲＣ：Radio Resource Control）プロトコルレイヤが、ユーザプレーンデータのための無線ベアラ（radio bearer）をサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００３１】
[0055]  ＵＥ１１５は、ワイヤレス通信システム１００全体にわたって分散され得、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００３２】
[0056]  いくつかの例では、各通信リンク１２５は１つまたは複数のキャリアを含み得、ここで、各キャリアは、上記で説明された様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数領域複信（ＦＤＤ：frequency domain duplexing）動作を使用して（たとえば、対スペクトルリソースを使用して）、または時間領域複信（ＴＤＤ：time domain duplexing）動作を使用して（たとえば、不対スペクトルリソースを使用して）双方向通信を送信し得る。ＦＤＤ動作のためのフレーム構造（たとえば、フレーム構造タイプ１）とＴＤＤ動作のためのフレーム構造（たとえば、フレーム構造タイプ２）とが定義され得る。
【００３３】
[0057]  ワイヤレス通信システム１００のいくつかの例では、基地局１０５またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００３４】
[0058]  ワイヤレス通信システム１００は、複数のセルまたはキャリア上での動作、すなわち、キャリアアグリゲーション（ＣＡ：carrier aggregation）またはデュアル接続性動作と呼ばれることがある特徴をサポートし得る。キャリアは、コンポーネントキャリア（ＣＣ）、レイヤ、チャネルなどと呼ばれることもある。「キャリア（carrier）」、「コンポーネントキャリア（component carrier）」、「セル（cell）」、および「チャネル（channel）」という用語は、本明細書では互換的に使用され得る。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。ＵＥがＣＡまたはデュアル接続性動作モードで動作するとき、複数のダウンリンクＣＣ上でＵＥによって受信されたダウンリンク送信は、個々に、同じまたは異なるアップリンクＣＣ上で、あるいは１つまたは複数のアップリンクＣＣ上で送信されたＰＵＣＣＨ  ＡＣＫ／ＮＡＫペイロードの一部として肯定応答され得る。
【００３５】
[0059]  いくつかの例では、ワイヤレス通信システム１００は、専用無線周波数スペクトル（dedicated radio frequency spectrum）（たとえば、ＬＴＥ／ＬＴＥ−Ａ通信のために使用可能な認可無線周波数スペクトル（licensed radio frequency spectrum）など、無線周波数スペクトルが、特定の使用のために特定のユーザに認可されているので、送信装置がそれのためにアクセスを求めて競合しないことがある、無線周波数スペクトル）または共有無線周波数スペクトル（たとえば、送信装置がそれのためにアクセスを求めて競合する必要があり得る、無線周波数スペクトル（たとえば、Ｗｉ−Ｆｉ（登録商標）使用など、無認可使用（unlicensed use）のために利用可能である無線周波数スペクトル、あるいは等しく共有されるかまたは優先度を付けられた様式で複数の事業者が使用するために利用可能である無線周波数スペクトル））上での動作をサポートし得る。ＵＥに割り振られたダウンリンクＣＣおよびアップリンクＣＣは、専用無線周波数スペクトル上ですべて割り振られるか、共有無線周波数スペクトル上ですべて割り振られるか、または専用無線周波数スペクトルと共有無線周波数スペクトルとの組合せ上で割り振られ得る。
【００３６】
[0060]  ワイヤレス通信システム１００に示されている通信リンク１２５は、基地局１０５からＵＥ１１５へのダウンリンク（ＤＬ）送信、またはＵＥ１１５から基地局１０５へのアップリンク（ＵＬ）送信を含み得る。ダウンリンク送信は順方向リンク送信と呼ばれることもあり、アップリンク送信は逆方向リンク送信と呼ばれることもある。ダウンリンク送信は、たとえば、物理ダウンリンク共有チャネル（ＰＤＳＣＨ：physical downlink shared channel）、物理ダウンリンク制御チャネル（ＰＤＣＣＨ：physical downlink control channel、たとえば、専用無線周波数スペクトル上での送信のためのもの）、または拡張ＰＤＣＣＨ（ＥＰＤＣＣＨ、たとえば、共有無線周波数スペクトル上での送信のためのもの）を含み得る。アップリンク送信は、たとえば、物理アップリンク共有チャネル（ＰＵＳＣＨ：physical uplink shared channel）または物理アップリンク制御チャネル（ＰＵＣＣＨ：physical uplink control channel）を含み得る。いくつかの場合には、ＰＤＳＣＨ上でＵＥによって受信されたダウンリンク送信は、ＰＵＣＣＨを介したアップリンク送信中で送信されるＡＣＫ／ＮＡＫビットによって肯定応答（ＡＣＫ）または否定応答（ＮＡＫ）され得る。
【００３７】
[0061]  キャリアアグリゲーションシナリオにおいて使用されるＣＣの数が増加するので、ＡＣＫおよびＮＡＫメッセージを送信するための新しい技法がワイヤレス通信システム１００のＵＥ１１５によって利用され得る。特に、ＵＥ１１５は、報告間隔中にＵＥのためにスケジュールされたダウンリンクＣＣの数に基づいて、ＡＣＫ／ＮＡＫメッセージを送信するためのＰＵＣＣＨフォーマットを選択し得る。たとえば、ＵＥは、報告間隔についてスケジュールされたダウンリンクＣＣの数に少なくとも部分的に基づいて、報告間隔についてＰＵＣＣＨペイロード中に含まれるべきＡＣＫ／ＮＡＫビットの数を決定し得る。決定されたビット数に基づいて、ＵＥ１１５はＰＵＣＣＨフォーマットを選択し得る。ＰＵＣＣＨフレームタイプの例、および所与の報告間隔について適切なＰＵＣＣＨフレームを選択するための技法が、以下でより詳細に説明される。
【００３８】
[0062]  図２に、本開示の様々な態様による、ＬＴＥ／ＬＴＥ−Ａが、共有無線周波数スペクトルを使用して異なるシナリオの下で展開され得るワイヤレス通信システム２００を示す。より詳細には、図２は、ＬＴＥ／ＬＴＥ−Ａが共有無線周波数スペクトルを使用して展開される、（認可支援アクセスモード（licensed assisted access mode）とも呼ばれる）補足ダウンリンクモード（supplemental downlink mode）と、キャリアアグリゲーションモードと、スタンドアロンモードとの例を示している。ワイヤレス通信システム２００は、図１を参照しながら説明されたワイヤレス通信システム１００の部分の一例であり得る。その上、第１の基地局２０５および第２の基地局２０５−ａは、図１を参照しながら説明された基地局１０５のうちの１つまたは複数の態様の例であり得、第１のＵＥ２１５、第２のＵＥ２１５−ａ、第３のＵＥ２１５−ｂ、および第４のＵＥ２１５−ｃは、図１を参照しながら説明されたＵＥ１１５のうちの１つまたは複数の態様の例であり得る。
【００３９】
[0063]  ワイヤレス通信システム２００における補足ダウンリンクモード（たとえば、認可支援アクセスモード）の例では、第１の基地局２０５は、ダウンリンクチャネル２２０を使用して第１のＵＥ２１５にＯＦＤＭＡ波形を送信し得る。ダウンリンクチャネル２２０は、共有無線周波数スペクトルにおける周波数Ｆ１に関連し得る。第１の基地局２０５は、第１の双方向リンク２２５を使用して第１のＵＥ２１５にＯＦＤＭＡ波形を送信し得、第１の双方向リンク２２５を使用して第１のＵＥ２１５からＳＣ−ＦＤＭＡ波形を受信し得る。第１の双方向リンク２２５は、専用無線周波数スペクトルにおける周波数Ｆ４に関連し得る。共有無線周波数スペクトルにおけるダウンリンクチャネル２２０および専用無線周波数スペクトルにおける第１の双方向リンク２２５は、同時に動作し得る。ダウンリンクチャネル２２０は第１の基地局２０５にダウンリンク容量オフロード（downlink capacity offload）を与え得る。いくつかの例では、ダウンリンクチャネル２２０は、（たとえば、１つのＵＥに宛てられた）ユニキャストサービスのために、または（たとえば、いくつかのＵＥに宛てられた）マルチキャストサービスのために使用され得る。このシナリオは、専用無線周波数スペクトルを使用し、トラフィックまたはシグナリング輻輳（congestion）の一部を軽減することを希望する、任意のサービスプロバイダ（たとえば、モバイルネットワーク事業者（ＭＮＯ：mobile network operator））に関して発生し得る。
【００４０】
[0064]  ワイヤレス通信システム２００におけるキャリアアグリゲーションモードの一例では、第１の基地局２０５は、第２の双方向リンク２３０を使用して第２のＵＥ２１５−ａにＯＦＤＭＡ波形を送信し得、第２の双方向リンク２３０を使用して第２のＵＥ２１５−ａからＯＦＤＭＡ波形、ＳＣ−ＦＤＭＡ波形、またはリソースブロックインターリーブ（resource block interleaved）ＦＤＭＡ波形を受信し得る。第２の双方向リンク２３０は、共有無線周波数スペクトルにおける周波数Ｆ１に関連し得る。第１の基地局２０５はまた、第３の双方向リンク２３５を使用して第２のＵＥ２１５−ａにＯＦＤＭＡ波形を送信し得、第３の双方向リンク２３５を使用して第２のＵＥ２１５−ａからＳＣ−ＦＤＭＡ波形を受信し得る。第３の双方向リンク２３５は、専用無線周波数スペクトルにおける周波数Ｆ２に関連し得る。第２の双方向リンク２３０は、第１の基地局２０５にダウンリンクおよびアップリンク容量オフロードを与え得る。上記で説明された補足ダウンリンク（たとえば、認可支援アクセスモード）のように、このシナリオは、専用無線周波数スペクトルを使用し、トラフィックまたはシグナリング輻輳の一部を軽減することを希望する、任意のサービスプロバイダ（たとえば、ＭＮＯ）に関して発生し得る。
【００４１】
[0065]  ワイヤレス通信システム２００におけるキャリアアグリゲーションモードの別の例では、第１の基地局２０５は、第４の双方向リンク２４０を使用して第３のＵＥ２１５−ｂにＯＦＤＭＡ波形を送信し得、第４の双方向リンク２４０を使用して第３のＵＥ２１５−ｂからＯＦＤＭＡ波形、ＳＣ−ＦＤＭＡ波形、またはリソースブロックインターリーブ波形を受信し得る。第４の双方向リンク２４０は、共有無線周波数スペクトルにおける周波数Ｆ３に関連し得る。第１の基地局２０５はまた、第５の双方向リンク２４５を使用して第３のＵＥ２１５−ｂにＯＦＤＭＡ波形を送信し得、第５の双方向リンク２４５を使用して第３のＵＥ２１５−ｂからＳＣ−ＦＤＭＡ波形を受信し得る。第５の双方向リンク２４５は、専用無線周波数スペクトルにおける周波数Ｆ２に関連し得る。第４の双方向リンク２４０は、第１の基地局２０５にダウンリンクおよびアップリンク容量オフロードを与え得る。この例および上記で与えた例は説明の目的で提示され、容量オフロード（capacity offload）のために、専用無線周波数スペクトルにおけるＬＴＥ／ＬＴＥ−Ａを組み合わせ、共有無線周波数スペクトルを使用する他の同様の動作モードまたは展開シナリオがあり得る。
【００４２】
[0066]  上記で説明されたように、共有無線周波数スペクトルにおけるＬＴＥ／ＬＴＥ−Ａを使用することによって提供される容量オフロードから恩恵を受け得る１つのタイプのサービスプロバイダは、専用無線周波数スペクトルＬＴＥ／ＬＴＥ−Ａへのアクセス権利を有する旧来のＭＮＯである。これらのサービスプロバイダの場合、動作例は、専用無線周波数スペクトル上のＬＴＥ／ＬＴＥ−Ａ１次コンポーネントキャリア（ＰＣＣ：primary component carrier）と共有無線周波数スペクトル上の少なくとも１つの２次コンポーネントキャリア（ＳＣＣ：secondary component carrier）とを使用するブートストラップモード（たとえば、補足ダウンリンク（たとえば、認可支援アクセス（licensed assisted access））、キャリアアグリゲーション）を含み得る。
【００４３】
[0067]  キャリアアグリゲーションモードでは、データおよび制御は、たとえば、専用無線周波数スペクトルにおいて（たとえば、第１の双方向リンク２２５、第３の双方向リンク２３５、および第５の双方向リンク２４５を介して）通信され得るが、データは、たとえば、共有無線周波数スペクトルにおいて（たとえば、第２の双方向リンク２３０および第４の双方向リンク２４０を介して）通信され得る。共有無線周波数スペクトルを使用するときにサポートされるキャリアアグリゲーション機構は、ハイブリッド周波数分割複信−時分割複信（ＦＤＤ−ＴＤＤ）キャリアアグリゲーションまたはコンポーネントキャリアにわたる異なる対称性を伴うＴＤＤ−ＴＤＤキャリアアグリゲーションに入り得る。
【００４４】
[0068]  ワイヤレス通信システム２００におけるスタンドアロンモードの一例では、第２の基地局２０５−ａは、双方向リンク２５０を使用して第４のＵＥ２１５−ｃにＯＦＤＭＡ波形を送信し得、双方向リンク２５０を使用して第４のＵＥ２１５−ｃからＯＦＤＭＡ波形、ＳＣ−ＦＤＭＡ波形、またはリソースブロックインターリーブＦＤＭＡ波形を受信し得る。双方向リンク２５０は、共有無線周波数スペクトルにおける周波数Ｆ３に関連し得る。スタンドアロンモードは、スタジアム内アクセス（たとえば、ユニキャスト、マルチキャスト）など、非旧来型ワイヤレスアクセスシナリオにおいて使用され得る。この動作モードのためのサービスプロバイダのタイプの一例は、専用無線周波数スペクトルへのアクセスを有しない、スタジアム所有者、ケーブル会社、イベント主催者、ホテル、企業、または大企業であり得る。
【００４５】
[0069]  いくつかの例では、図１または図２に関して説明された基地局１０５、２０５、または２０５−ａのうちの１つ、あるいは図１または図２に関して説明されたＵＥ１１５、２１５、２１５−ａ、２１５−ｂ、または２１５−ｃのうちの１つなどの送信装置は、共有無線周波数スペクトルのチャネルへの（たとえば、共有無線周波数スペクトルの物理チャネルへの）アクセスを獲得するためにゲーティング間隔（gating interval）を使用し得る。いくつかの例では、ゲーティング間隔は周期的であり得る。たとえば、周期的ゲーティング間隔は、ＬＴＥ／ＬＴＥ−Ａ無線間隔の少なくとも１つの境界と同期され得る。ゲーティング間隔は、欧州通信規格協会（ＥＴＳＩ：European Telecommunications Standards Institute）（ＥＮ３０１  ８９３）において指定されているＬＢＴプロトコルに基づくＬＢＴプロトコルなど、競合ベースプロトコルの適用を定義し得る。ＬＢＴプロトコルの適用を定義するゲーティング間隔を使用するとき、ゲーティング間隔は、送信装置が、クリアチャネルアセスメント（ＣＣＡ：clear channel assessment）プロシージャなどの競合プロシージャ（たとえば、ＬＢＴプロシージャ）をいつ実行する必要があるかを示し得る。ＣＣＡプロシージャの結果は、共有無線周波数スペクトルのチャネルが（ＬＢＴ無線フレームとも呼ばれる）ゲーティング間隔のために利用可能であるのか使用中であるのかを送信装置に示し得る。チャネルが、対応するＬＢＴ無線フレームのために利用可能（たとえば、使用のために「クリア（clear）」）であることをＣＣＡプロシージャが示すとき、送信装置は、ＬＢＴ無線フレームの一部または全部中に共有無線周波数スペクトルのチャネルを予約または使用し得る。チャネルが利用可能でないこと（たとえば、チャネルが別の送信装置によって使用中または予約済みであること）をＣＣＡプロシージャが示すとき、送信装置は、ＬＢＴ無線フレーム中にチャネルを使用することを妨げられ得る。
【００４６】
[0070]  図３は、本開示の様々な態様による、ＬＴＥ／ＬＴＥ−Ａがキャリアアグリゲーションシナリオにおいて展開され得るワイヤレス通信システム３００を示す。ワイヤレス通信システム３００は、図１または図２を参照しながら説明されたワイヤレス通信システム１００または２００の部分の一例であり得る。その上、基地局３０５は、図１または図２を参照しながら説明された基地局１０５、２０５、または２０５−ａのうちの１つまたは複数の態様の一例であり得、ＵＥ３１５は、図１または図２を参照しながら説明されたＵＥ１１５、２１５、２１５−ａ、２１５−ｂ、または２１５−ｃのうちの１つまたは複数の態様の一例であり得る。
【００４７】
[0071]  ＬＴＥ／ＬＴＥ−Ａ通信を使用してキャリアアグリゲーションモードで通信するとき、ＵＥ３１５は、旧来、最高５つのコンポーネントキャリアを使用して基地局３０５と通信していた。しかしながら、本開示で説明される技法は、最高３２個のコンポーネントキャリアを介した通信を可能にするために、ＰＵＣＣＨ  ＡＣＫ／ＮＡＫペイロードのサイズを増加させることができる。コンポーネントキャリアのうちの１つは１次コンポーネントキャリアに指定され得、残りのコンポーネントキャリアは２次コンポーネントキャリアに指定され得る。各コンポーネントキャリアは、ダウンリンクコンポーネントキャリア、アップリンクコンポーネントキャリア、またはセル（たとえば、ダウンリンクコンポーネントキャリアおよび／またはアップリンクコンポーネントキャリアとして使用するために構成され得るコンポーネントキャリア）として構成され得る。例として、図３は、第１のダウンリンクコンポーネントキャリア３２０と、第２のダウンリンクコンポーネントキャリア３２５と、第３のダウンリンクコンポーネントキャリア３３０と、第１のアップリンクコンポーネントキャリア３３５と、第２のアップリンクコンポーネントキャリア３４０とを含む、５つのコンポーネントキャリアを介したＵＥ３１５と基地局３０５との間の通信を示している。第１のダウンリンクコンポーネントキャリア３２０、第２のダウンリンクコンポーネントキャリア３２５、第３のダウンリンクコンポーネントキャリア３３０、第１のアップリンクコンポーネントキャリア３３５、および第２のアップリンクコンポーネントキャリア３４０の各々は、コンポーネントキャリアがどのように割り振られるか、または構成されるかに応じて、専用無線周波数スペクトルまたは共有無線周波数スペクトルにおいて動作し得る。
【００４８】
[0072]  ＵＥ３１５が、図２を参照しながら説明されたように、共有無線周波数スペクトルを使用する補足ダウンリンク動作モードでの動作のために構成されたとき、およびＵＥ３１５がキャリアアグリゲーションモードで動作しているとき、第１のダウンリンクコンポーネントキャリア３２０、第２のダウンリンクコンポーネントキャリア３２５、および第３のダウンリンクコンポーネントキャリア３３０のうちの１つまたは複数は、認可無線周波数スペクトルにおいて動作し得、第１のダウンリンクコンポーネントキャリア３２０、第２のダウンリンクコンポーネントキャリア３２５、および第３のダウンリンクコンポーネントキャリア３３０のうちの１つまたは複数は、共有無線周波数スペクトルにおいて動作し得、第１のアップリンクコンポーネントキャリア３３５および第２のアップリンクコンポーネントキャリア３４０は、専用無線周波数スペクトルにおいて動作し得る。
【００４９】
[0073]  ＵＥ３１５が、図２を参照しながら説明されたように、共有無線周波数スペクトルを使用するキャリアアグリゲーション動作モードでの動作のために構成されたとき、第１のダウンリンクコンポーネントキャリア３２０、第２のダウンリンクコンポーネントキャリア３２５、および第３のダウンリンクコンポーネントキャリア３３０のうちの１つまたは複数は、専用無線周波数スペクトルにおいて動作し得、第１のダウンリンクコンポーネントキャリア３２０、第２のダウンリンクコンポーネントキャリア３２５、および第３のダウンリンクコンポーネントキャリア３３０のうちの１つまたは複数は、共有無線周波数スペクトルにおいて動作し得、第１のアップリンクコンポーネントキャリア３３５および第２のアップリンクコンポーネントキャリア３４０のうちの１つまたは複数は、専用無線周波数スペクトル帯域において動作し得、第１のアップリンクコンポーネントキャリア３３５および第２のアップリンクコンポーネントキャリア３４０のうちの１つまたは複数は、共有無線周波数スペクトルにおいて動作し得る。いくつかの例では、ダウンリンクコンポーネントキャリアのすべてが専用無線周波数スペクトルにおいて動作し得るか、またはアップリンクコンポーネントキャリアのすべてが共有無線周波数スペクトルにおいて動作し得るが、ダウンリンクコンポーネントキャリアのすべておよびアップリンクコンポーネントキャリアのすべてが、共有無線周波数スペクトルにおいて動作するとは限らない（たとえば、少なくとも１つのダウンリンクコンポーネントキャリアまたは少なくとも１つのアップリンクコンポーネントキャリアが専用無線周波数スペクトルにおいて動作する）。
【００５０】
[0074]  ＵＥ３１５が、図２を参照しながら説明されたように、共有無線周波数スペクトルを使用するスタンドアロン動作モードでの動作のために構成されたとき、およびＵＥ３１５がキャリアアグリゲーションモードで動作しているとき、第１のダウンリンクコンポーネントキャリア３２０、第２のダウンリンクコンポーネントキャリア３２５、第３のダウンリンクコンポーネントキャリア３３０、第１のアップリンクコンポーネントキャリア３３５、および第２のアップリンクコンポーネントキャリア３４０のすべてが、共有無線周波数スペクトルにおいて動作し得る。
【００５１】
[0075]  図４は、本開示の様々な態様による、サブフレーム４００中に送信または受信され得る、ＰＵＣＣＨの例示的なリソースブロック（ＲＢ）を示す。いくつかの例では、ＲＢは、図１、図２、または図３を参照しながら説明されたＵＥ１１５、２１５、２１５−ａ、２１５−ｂ、２１５−ｃ、または３１５のうちの１つまたは複数によって送信されるか、あるいは図１、図２、または図３を参照しながら説明された基地局１０５、２０５、２０５−ａ、または３０５のうちの１つまたは複数によって送信され得る。サブフレーム４００は、第１のスロット４０５（たとえば、スロット０）と第２のスロット４１０（たとえば、スロット１）とを含み、各スロットは、ＬＴＥ／ＬＴＥ−Ａノーマル（normal）サイクリックプレフィックス（ＣＰ：cyclic prefix）モードでの動作のために構成され、０、１、２、３、４、５、および６の番号を付けられた７つのシンボル期間を含む。復調基準信号（ＤＭ−ＲＳ：demodulation reference signal）が、（たとえば、サブフレームの各スロットのシンボル期間１および５中に）ノーマルＣＰのためのＬＴＥ／ＬＴＥ−Ａ  ＰＵＣＣＨフォーマット３に従ってサブフレーム中で送信され得る。本開示は、変動するサイズのＰＵＣＣＨ  ＡＣＫ／ＮＡＫペイロードの送信または受信のために、サブフレーム４００のスロットがどのようにフォーマットされ得るかについて説明する。
【００５２】
[0076]  図５は、本開示の様々な態様による、サブフレーム５００中に送信または受信され得る、ＰＵＣＣＨの例示的なＲＢを示す。いくつかの例では、ＲＢは、図１、図２、または図３を参照しながら説明されたＵＥ１１５、２１５、２１５−ａ、２１５−ｂ、２１５−ｃ、または３１５のうちの１つまたは複数によって送信されるか、あるいは図１、図２、または図３を参照しながら説明された基地局１０５、２０５、２０５−ａ、または３０５のうちの１つまたは複数によって送信され得る。サブフレーム５００は、第１のスロット５０５（たとえば、スロット０）と第２のスロット５１０（たとえば、スロット１）とを含み、各スロットは、ＬＴＥ／ＬＴＥ−Ａ拡張（extended）ＣＰモードでの動作のために構成され、０、１、２、３、４、および５の番号を付けられた６つのシンボル期間を含む。復調基準信号（ＤＭ−ＲＳ）が、（たとえば、サブフレームの各スロットのシンボル期間３中に）拡張ＣＰのためのＬＴＥ／ＬＴＥ−Ａ  ＰＵＣＣＨフォーマット３に従ってサブフレーム中で送信され得る。本開示は、変動するサイズのＰＵＣＣＨ  ＡＣＫ／ＮＡＫペイロードの送信または受信のために、サブフレーム５００のスロットがどのようにフォーマットされ得るかについて説明する。
【００５３】
[0077]  図６〜図１０は、ＰＵＣＣＨのための様々なＰＨＹレイヤ設計について説明する。より詳細には、図６は、本開示の様々な態様による、報告間隔について、ＰＵＣＣＨ  ＡＣＫ／ＮＡＫペイロードのフォーマットがＵＥまたは基地局によってそこから選択され得るＰＵＣＣＨ  ＡＣＫ／ＮＡＫペイロードの所定のフォーマットの例示的なテーブル６００を示す。図１、図２、または図３を参照しながら説明されたＵＥ１１５、２１５、２１５−ａ、２１５−ｂ、２１５−ｃ、または３１５のうちの１つなどのＵＥにおいて、ＵＥは、報告間隔についてＰＵＣＣＨ  ＡＣＫ／ＮＡＫペイロードを送信するためのフォーマットのうちの１つを選択し得る。図１、図２、または図３を参照しながら説明された基地局１０５、２０５、２０５−ａ、または３０５のうちの１つなどの基地局において、基地局は、ＰＵＣＣＨ  ＡＣＫ／ＮＡＫペイロードを復号するためのフォーマットのうちの１つを選択し得る。
【００５４】
[0078]  例として、図６は、報告間隔についてＰＵＣＣＨ  ＡＣＫ／ＮＡＫペイロード中に含まれるべきビット数に少なくとも部分的に基づいて、報告間隔について、ＵＥまたは基地局がフォーマットをそこから選択し得る、ＰＵＣＣＨ  ＡＣＫ／ＮＡＫペイロードの５つの例示的なフォーマットを示している。ＰＵＣＣＨ  ＡＣＫ／ＮＡＫペイロード中に含まれるべきビット数は、報告間隔中にＵＥのためにスケジュールされたダウンリンクＣＣの数に少なくとも部分的に基づいて決定され得る。例として、ＰＵＣＣＨ  ＡＣＫ／ＮＡＫペイロードのためのあらかじめ定義されたフォーマットは、ＲＢ内のＵＥ多重化密度、拡散率、またはシンボル期間ごとに割り振られるＲＢの数の異なる組合せを含み得る。
【００５５】
[0079]  ＰＵＣＣＨ  ＡＣＫ／ＮＡＫペイロードの第１のフォーマット６０５は、少なくとも４つのＵＥ（たとえば、４つまたは５つのＵＥ）の、ＲＢ内のＵＥ多重化密度を含み得る。いくつかの例では、第１のフォーマットは、それのペイロードのデュアルリード−マラー（デュアルＲＭ：Dual Reed-Muller）コーディングを採用し得る。第１のフォーマットは、たとえば、ＡＣＫ／ＮＡＫペイロード中に含まれるべきビット数が２１個またはより少ないビット（または１から２１個までのビット）であり、ＲＢが、図４または図５を参照しながら説明されたように構成されたとき、選択され得る。
【００５６】
[0080]  ＰＵＣＣＨ  ＡＣＫ／ＮＡＫペイロードの第２のフォーマット６１０は、２つのＵＥの、ＲＢ内のＵＥ多重化密度を含み得る。第２のフォーマットはまた、シンボル期間の少なくとも２つのグループを含み得、ここで、シンボル期間の少なくとも２つのグループの各々は少なくとも１つのシンボルを含み、ここで、シンボル期間の少なくとも２つのグループの各々内で拡散が独立して適用される。いくつかの例では、第２のフォーマットは、テールバイティング畳み込みコーディング（ＴＢＣＣ：Tail-Biting Convolutional Coding）を使用してそれのペイロードを符号化し得る。第２のフォーマットは、たとえば、ＡＣＫ／ＮＡＫペイロード中に含まれるべきビット数が６０個またはより少ないビット（または２２から６０個までのビット）であり、ＲＢが、図４または図５を参照しながら説明されたように構成されたとき、選択され得る。
【００５７】
[0081]  ＰＵＣＣＨ  ＡＣＫ／ＮＡＫペイロードの第３のフォーマット６１５は、ＲＢ内のＵＥ多重化を含まず、拡散率を含まず、１のシンボル期間ごとＲＢ割振りを含み得る。いくつかの例では、第３のフォーマットは、ＴＢＣＣまたはターボコーディング（Turbo coding）を使用してそれのペイロードを符号化し得る。第３のフォーマットは、たとえば、ＡＣＫ／ＮＡＫペイロード中に含まれるべきビット数が１２０個またはより少ないビット（または６１から１２０個までのビット）であり、ＲＢが、図４または図５を参照しながら説明されたように構成されたとき、選択され得る。
【００５８】
[0082]  ＰＵＣＣＨ  ＡＣＫ／ＮＡＫペイロードの第４のフォーマット６２０は、ＲＢ内のＵＥ多重化を含まず、拡散率を含まず、２のシンボル期間ごとＲＢ割振りを含み得る。いくつかの例では、第４のフォーマットは、ＴＢＣＣまたはターボコーディングを使用してそれのペイロードを符号化し得る。第４のフォーマットは、たとえば、ＡＣＫ／ＮＡＫペイロード中に含まれるべきビット数が２４０個またはより少ないビット（または１２１から２４０個までのビット）であり、ＲＢが、図４または図５を参照しながら説明されたように構成されたとき、選択され得る。
【００５９】
[0083]  ＰＵＣＣＨ  ＡＣＫ／ＮＡＫペイロードの第５のフォーマット６２５は、ＲＢ内のＵＥ多重化を含まず、拡散率を含まず、３のシンボル期間ごとＲＢ割振りを含み得る。いくつかの例では、第５のフォーマットは、ＴＢＣＣまたはターボコーディングを使用してそれのペイロードを符号化し得る。第５のフォーマットは、たとえば、ＡＣＫ／ＮＡＫペイロード中に含まれるべきビット数が３６０個またはより少ないビット（または２４１から３６０個までのビット）であり、ＲＢが、図４または図５を参照しながら説明されたように構成されたとき、選択され得る。
【００６０】
[0084]  図６に示されているＰＵＣＣＨ  ＡＣＫ／ＮＡＫペイロードの各フォーマットは、ＬＴＥ／ＬＴＥ−Ａ  ＰＵＣＣＨフォーマット３基準信号シンボル構造を有し得る。すなわち、たとえば、ＰＵＣＣＨ  ＡＣＫ／ＮＡＫペイロードがノーマルサイクリックプレフィックス（ＣＰ）を使用して送信されるとき、ＰＵＣＣＨ  ＡＣＫ／ＮＡＫペイロードのフォーマットはサブフレームのスロットごとに２つの基準信号シンボル期間を有し得、ＰＵＣＣＨ  ＡＣＫ／ＮＡＫペイロードが拡張ＣＰを使用して送信されるとき、ＰＵＣＣＨ  ＡＣＫ／ＮＡＫペイロードのフォーマットはサブフレームのスロットごとに１つの基準信号シンボルを有し得る。いくつかの例では、基準信号シンボル期間中で送信される基準信号は、復調基準信号（ＤＭ−ＲＳ）を含み得る。
【００６１】
[0085]  拡散率を有しないＰＵＣＣＨ  ＡＣＫ／ＮＡＫペイロードの各フォーマット（たとえば、第３のフォーマット６１５、第４のフォーマット６２０、および第５のフォーマット６２５）は、ＰＵＳＣＨのデータ構造と同様のデータ構造を有し得る。したがって、第３のフォーマット６１５、第４のフォーマット６２０、または第５のフォーマット６２５のうちの１つを使用して送信されるＰＵＣＣＨ  ＡＣＫ／ＮＡＫペイロードの処理は、ＬＴＥ／ＬＴＥ−Ａ  ＰＵＳＣＨの処理と同様であり得る。
【００６２】
[0086]  図７〜図９は、図６に示されているＰＵＣＣＨ  ＡＣＫ／ＮＡＫペイロードの第２のフォーマット６１０の様々な例を示している。より詳細には、図７は、本開示の様々な態様による、拡散率３（ＳＦ３）が３つのシンボル期間の第１のグループ７１０に適用され得、拡散率２（ＳＦ２）が２つのシンボル期間の第２のグループ７１５に適用され得る、ＰＵＣＣＨ  ＡＣＫ／ＮＡＫペイロードのフォーマット７００を示す。例として、シンボル期間のグループは、ノーマルＣＰを使用して送信されるサブフレームのスロット７０５中のシンボル期間であることが示されている。別の例では、３つのシンボル期間の第１のグループおよび２つのシンボル期間の第２のグループは、拡張ＣＰを使用して送信されるサブフレームのスロット中のシンボル期間のグループであり得る。
【００６３】
[0087]  図７では、３つのシンボル期間の第１のグループ７１０はシンボル期間０、２、および３を含むことが示されており、２つのシンボル期間の第２のグループ７１５はシンボル期間４および６を含むことが示されている。スロット中で２つのＵＥのためのＰＵＣＣＨ  ＡＣＫ／ＮＡＫペイロードの送信を多重化するとき、シンボル期間０、２、および３に拡散率３を適用するときに３つの直交カバーコード（ＯＣＣ）のうちの２つが使用され得る。これは、ＵＥのための最大ＰＵＣＣＨ  ＡＣＫ／ＮＡＫペイロードを６０ビットから４８ビットまで低減し、２つのシンボル期間の第２のグループ７１５のコード化ビットと比較して３つのシンボル期間の第１のグループ７１０のコード化ビットにわたって不均衡な（unequal）信号対雑音比（ＳＮＲ：signal-to-noise-ratio）を生じ得る。
【００６４】
[0088]  図８は、本開示の様々な態様による、第１の拡散率２（ＳＦ２）が１つのシンボル期間の第１のグループ８１０に適用され得、第２の拡散率２（ＳＦ２）が２つのシンボル期間の第２のグループ８１５に適用され得、第３の拡散率２（ＳＦ２）が２つのシンボル期間の第３のグループ８２０内に適用され得る、ＰＵＣＣＨ  ＡＣＫ／ＮＡＫペイロードのフォーマット８００を示す。例として、シンボル期間のグループは、ノーマルＣＰを使用して送信されるサブフレームのスロット８０５中のシンボル期間であることが示されている。別の例では、グループは、拡張ＣＰを使用して送信されるサブフレームのスロット中のシンボル期間のグループであり得る。
【００６５】
[0089]  図８では、１つのシンボル期間の第１のグループ８１０はシンボル期間０を含むことが示されており、２つのシンボル期間の第２のグループ８１５はシンボル期間２および３を含むことが示されており、２つのシンボル期間の第３のグループ８２０はシンボル期間４および６を含むことが示されている。第１の拡散率は、ウォルシュコードを使用して（たとえば、６つのデータシンボルのブロックが１回繰り返され得、データシンボルに離散フーリエ変換（ＤＦＴ：Discrete Fourier Transform）を適用する前に、ウォルシュコードＷ２（たとえば、［第１のＵＥの場合＋＋、および第２のＵＥの場合＋−]）が拡散のために繰り返して使用され得る）、または直交高速フーリエ変換（ＦＦＴ）行列の要素を使用して（たとえば、６つのデータシンボルのブロックが１回繰り返され得、データシンボルにＤＦＴを適用する前に、
【００６６】
【数１】
2020109970.tif 000003
【００６７】
のコードが拡散のために繰り返して使用され得る）適用され得る。ウォルシュコードを使用してシンボル期間に拡散率２を適用するより詳細な説明が、図１０を参照しながら説明される。
【００６８】
[0090]  図９は、本開示の様々な態様による、複数の拡散率２の各拡散率（ＳＦ２）が１つのシンボル期間のそれぞれのグループ９１０、９１５、９２０、９２５、および９３０に適用される、ＰＵＣＣＨ  ＡＣＫ／ＮＡＫペイロードのフォーマット９００を示す。例として、シンボル期間のグループは、ノーマルＣＰを使用して送信されるサブフレームのスロット中のシンボル期間であることが示されている。別の例では、３つのシンボル期間の第１のグループおよび２つのシンボル期間の第２のグループは、拡張ＣＰを使用して送信されるサブフレームのスロット９０５中のシンボル期間のグループであり得る。
【００６９】
[0091]  図９では、各拡散率２は、ウォルシュコードを使用して（たとえば、６つのデータシンボルのブロックが１回繰り返され得、データシンボルにＤＦＴを適用する前に、ウォルシュコードＷ２（たとえば、［第１のＵＥの場合＋＋、および第２のＵＥの場合＋−]）が拡散のために繰り返して使用され得る）、または直交ＦＦＴ行列の要素を使用して（たとえば、６つのデータシンボルのブロックが１回繰り返され得、データシンボルにＤＦＴを適用する前に、
【００７０】
【数２】
2020109970.tif 000004
【００７１】
のコードが拡散のために繰り返して使用され得る）適用され得る。ウォルシュコードを使用してシンボル期間に拡散率２を適用するより詳細な説明が、図１０を参照しながら説明される。
【００７２】
[0092]  図１０は、本開示の様々な態様による、ウォルシュコードを使用する、シンボル期間内のデータシンボル（たとえば、４位相シフトキーイング（ＱＰＳＫ）シンボル）への拡散率２の適用例を示す。示される適用例は、たとえば、図８を参照しながら説明された１つのシンボル期間の第１のグループに、または個々に、図９を参照しながら説明された１つのシンボル期間のグループのうちのいずれかに拡散率２を適用するために使用され得る。
【００７３】
[0093]  図１０に示されているように、６つのデータシンボルのブロック１００５（たとえば、ＱＰＳＫシンボルｘ0、ｘ1、ｘ2、ｘ3、ｘ4、ｘ5）が（ブロック１０１０として）１回繰り返され得、ウォルシュコードＷ２（たとえば、［第１のＵＥの場合＋＋、および第２のＵＥの場合＋−]）が、データシンボルにＤＦＴ１０１５を適用する前に、拡散のために繰り返して使用され得る）。次いで、逆ＦＦＴ（ＩＦＦＴ）１０２０を使用して、トーンマッピングが実行され得る。
【００７４】
[0094]  図６を参照しながら説明されたＰＵＣＣＨ  ＡＣＫ／ＮＡＫペイロードの第１のフォーマット６０５に関して、直交リソースがＵＥの各アンテナポートのために割り振られ得る。図６、図７、図８、または図９を参照しながら説明された、ＰＵＣＣＨ  ＡＣＫ／ＮＡＫペイロードの第２のフォーマット６１０、第３のフォーマット６１５、第４のフォーマット６２０、または第５のフォーマット６２５を参照しながら、時空間ブロックコード（ＳＴＢＣ：space-time block code）が送信ダイバーシティ（ＴｘＤｉｖ）のために使用され得る。ＳＢＴＣの使用は、１つのシンボル期間のシンボル期間グループのための空間処理を伴わない。ＳＢＴＣを使用するとき、およびいくつかの例では、４つの直交ＤＭ−ＲＳリソースが、ＰＵＣＣＨ  ＡＣＫ／ＮＡＫペイロードの第２のフォーマット６１０のために割り振られ得、２つの直交ＤＭ−ＲＳリソースが、ＰＵＣＣＨ  ＡＣＫ／ＮＡＫペイロードの第３のフォーマット６１５、第４のフォーマット６２０、または第５のフォーマット６２５のために割り振られ得る。
【００７５】
[0095]  ＳＢＴＣを使用することの例として、ＴｘＤｉｖがない場合、送信されたＳＣ−ＦＤＭデータシンボルは［Ｙ0，Ｙ1，Ｙ2，Ｙ3，Ｙ4]になる（ＤＭ−ＲＳシンボル期間を無視する）と仮定する。ＳＢＴＣを使用するＴｘＤｉｖの場合、送信されるＳＣ−ＦＤＭデータシンボルは、たとえば、アンテナポート０の場合
【００７６】
【数３】
2020109970.tif 000005
【００７７】
であり、アンテナポート１の場合
【００７８】
【数４】
2020109970.tif 000006
【００７９】
であり得る。
【００８０】
[0096]  図６〜図１０および本開示中の他の場所で説明されるＰＵＣＣＨのためのＰＨＹレイヤ設計は、ＰＵＣＣＨ高次変調（たとえば、１６直交振幅変調（ＱＡＭ））またはＭＩＭＯに拡張され得る。ＭＩＭＯコンテキストでは、ＵＥごとの複数のＤＭ−ＲＳリソースが（たとえば、ＴｘＤｉｖのコンテキストにおいて上記で説明されたものと同様に）適切であり得る。高次変調およびＭＩＭＯは、ＵＥ多重化密度を低減することなしに、サポート可能なＰＵＣＣＨ  ＡＣＫ／ＮＡＫペイロードを増加させることができる。
【００８１】
[0097]  いくつかの例では、ＵＥに割り振られたダウンリンクＣＣは、フィードバック報告の目的で（たとえば、ＡＣＫ／ＮＡＫ報告の目的で）２つまたはそれ以上のサブセットにグループ化され得る。次いで、ダウンリンクＣＣの各グループのためのＰＵＣＣＨ  ＡＣＫ／ＮＡＫペイロード中に含まれるべきビット数は、報告間隔中にＵＥのためにスケジュールされた中でダウンリンクＣＣの数に少なくとも部分的に基づいて、報告間隔について決定され得、各サブセットのための決定されたビット数に少なくとも部分的に基づいて、サブセットのためのＰＵＣＣＨ  ＡＣＫ／ＮＡＫペイロードのフォーマットが選択され得る。いくつかの例では、各ＰＵＣＣＨ  ＡＣＫ／ＮＡＫペイロードのフォーマットは、図６を参照しながら説明されたフォーマットのセットなどのあらかじめ定義されたフォーマットのセットから選択され得る。リソースの別個のセットが各ＰＵＣＣＨ  ＡＣＫ／ＮＡＫペイロードのために割り振られ得る。
【００８２】
[0098]  いくつかの例では、ダウンリンクＣＣの第１のグループのための第１のＰＵＣＣＨ  ＡＣＫ／ＮＡＫペイロードが第１のアップリンクＣＣ上で送信され得、ダウンリンクＣＣの追加のグループ（たとえば、ダウンリンクＣＣの第２のグループ）のための追加のＰＵＣＣＨ  ＡＣＫ／ＮＡＫペイロード（たとえば、第２のＡＣＫ／ＮＡＫペイロード）が第２のアップリンクＣＣ上で送信され得る。代替的に、第１のＰＵＣＣＨ  ＡＣＫ／ＮＡＫペイロードおよび追加のＰＵＣＣＨ  ＡＣＫ／ＮＡＫペイロード（たとえば、第２のＡＣＫ／ＮＡＫペイロード）は同じアップリンクＣＣ上で送信され得る。異なるＰＵＣＣＨ  ＡＣＫ／ＮＡＫペイロードを送信するために異なるアップリンクＣＣが使用されるとき、ＰＵＣＣＨ設計は、デュアル接続性シナリオにおいて２次セル（ＳＣｅｌｌ）上で送信されるＰＵＣＣＨの設計と同様であり得る（ただし、場合によってはダウンリンクＣＣの３つ以上のグループがある）。異なるＰＵＣＣＨ  ＡＣＫ／ＮＡＫペイロードを送信するために同じアップリンクＣＣが使用されるとき、ＰＵＣＣＨ  ＡＣＫ／ＮＡＫペイロードは非ＳＣ−ＦＤＭ波形を使用して送信され得る。いくつかの例では、同じアップリンクＣＣ上での異なるＰＵＣＣＨ  ＡＣＫ／ＮＡＫペイロードの送信は、１つのＲＢに限定されたＰＵＣＣＨ  ＡＣＫ／ＮＡＫペイロードのフォーマット（たとえば、図６を参照しながら説明された第１のフォーマット６０５、第２のフォーマット６１０、および第３のフォーマット６１５）のためにサポートされ得る。
【００８３】
[0099]  いくつかの例では、ダウンリンク割当てインデックス（ＤＡＩ）は、ＰＵＣＣＨ  ＡＣＫ／ＮＡＫペイロード内のビットマッピングとリソース選択とのために使用され得る。たとえば、ＤＡＩは、ＵＥに送信されたいくつかのダウンリンク許可の各々に関連付けられ得る（たとえば、送信され得る）。ダウンリンク許可は、ＵＥのためにスケジュールされたダウンリンクＣＣを示し得、ダウンリンク許可のためのＤＡＩは、ダウンリンク許可中でスケジュールされた各ダウンリンクＣＣを介した各送信に肯定応答／否定応答するために、ＰＵＣＣＨ  ＡＣＫ／ＮＡＫペイロード中でビットマッピングとリソース選択とを示し得る。セルフスケジューリング（すなわち、同ＣＣスケジューリング）の場合、各ダウンリンクＣＣは一意のＤＡＩに関連付けられ得る。クロスＣＣスケジューリングの場合、許可ごとのＤＡＩは複数のダウンリンクＣＣに適用され得、複数のダウンリンクＣＣの各々のためのＤＡＩは暗黙的に導出され得る。いくつかの例では、ＤＡＩは、ＣＣおよびサブフレームにわたってビットロケーション（bit location）を示し得る。別の例では、ダウンリンク許可のためのＤＡＩは、ダウンリンク許可中でスケジュールされた少なくとも１つのダウンリンクＣＣと、別のダウンリンク許可中でスケジュールされた少なくとも１つのダウンリンクＣＣとの間の関係を示すシーケンス番号を含み得る。これらの例では、ＰＵＣＣＨ  ＡＣＫ／ＮＡＫペイロード中の（１つまたは複数の）ダウンリンクＣＣに肯定応答／否定応答するためのビットマッピングおよびリソース選択は、シーケンス番号に少なくとも部分的に基づいて決定され得る。いくつかの例では、シーケンス番号は、ｎビットカウンタによって生成された番号であり得、ここで、ｎは、サイクリックラップアラウンド（cyclic wrap-around）を用いて、第１にＣＣにわたって、第２にサブフレームにわたって増分される。
【００８４】
[0100]  ビットマッピングは、ＤＡＩが絶対ＡＣＫ／ＮＡＫビットロケーションインジケータであるとき、ＤＡＩ処理の直後にくることがある。ビットマッピングは、ＤＡＩがシーケンス番号を含むとき、アンラッピング（unwrapping）を含むＤＡＩ処理の後にくることがある。
【００８５】
[0101]  ＤＡＩがシーケンス番号を含むとき、報告間隔についてＵＥによって受信されたシーケンス番号のセットは、報告間隔中でＵＥのためにスケジュールされたダウンリンクＣＣの総数、Ｎを決定するために使用され得る。ＭＩＭＯ使用の場合、ＵＥは、２Ｎ個のビットをサポートする最も小さいＰＵＣＣＨ  ＡＣＫ／ＮＡＫペイロードフォーマットを選択し得る。いくつかの例では、ダウンリンクＣＣまたはサブフレームのセットのためのＲＲＣ構成されたバンドリングは、Ｎまたは２Ｎの数の因子であり得る。いくつかのダウンリンクＣＣのためのフィードバックの省略も、Ｎまたは２Ｎの数の因子であり得る。
【００８６】
[0102]  いくつかの場合には、ＵＥは、１つまたは複数のダウンリンク許可を受信しないか、または適切に復号しないことがある。受信されていないかまたは不適切に復号されたダウンリンク許可が他のダウンリンク許可の前にＵＥに送信され、他のダウンリンク許可が、ＵＥによって受信され、その受信されていないかまたは不適切に復号されたダウンリンク許可のシーケンス番号に続くシーケンス番号に関連付けられたとき、ＵＥは、どのくらい多くのダウンリンク許可をＵＥが受信すべきだったかを決定するために、ＵＥが受信する（１つまたは複数の）シーケンス番号を使用し、いくつかの場合には、ＵＥがＰＵＣＣＨ  ＡＣＫ／ＮＡＫペイロード中で肯定応答／否定応答すると仮定されるビット数の決定に基づいて、正しいＰＵＣＣＨ  ＡＣＫ／ＮＡＫペイロードフォーマットを選択し得る。しかしながら、受信されていないかまたは不適切に復号されたダウンリンク許可が、すべての他のダウンリンク許可の後にＵＥに送信されたとき、ＵＥは、（たとえば、Ｎまたは２Ｎのためのより小さい値のＵＥの決定に基づいて）より小さいサイズのペイロードをサポートする、間違ったＰＵＣＣＨ  ＡＣＫ／ＮＡＫペイロードフォーマットを選択し得る。そのような間違った決定と、予期しないＰＵＣＣＨ  ＡＣＫ／ＮＡＫペイロードフォーマットを選択することから生じ得るあいまいさとを緩和するために、基地局は、複数のＤＡＩに関連付けられたシーケンス番号にシーケンス不連続性を導入し得る。シーケンス不連続性は、１つまたは複数の最後に送信されたダウンリンク許可が受信されず、したがって、ＵＥがＮまたは２Ｎの間違った値を決定するときでも、ＵＥが、適切なＰＵＣＣＨ  ＡＣＫ／ＮＡＫフォーマットの選択を生じるのに十分大きいＮまたは２Ｎの値を決定させられることになるようにシーケンス番号をパディングするように働き得る。たとえば、シーケンス番号不連続性を導入することがない場合、基地局が、［０、２、４、６、８、１０、１２、１４、１６、１８、２０]の（モジュロ演算の前の）ＤＡＩ値を、ＵＥに送信された１１個の別個のＭＩＭＯダウンリンク許可に関連付け得る。ＵＥが、最後のダウンリンク許可を除くすべてを受信する場合、ＵＥはＮ＝１０を決定し、図１を参照しながら説明された第１のフォーマット１０５を間違って選択し得る。しかしながら、基地局が、［０、２、６、８、１０、１２、１６、１８、２０、２２、２４]の（モジュール演算の前の）ＤＡＩ値を１１個の別個のＭＩＭＯダウンリンク許可に関連付ける場合、ＵＥはＮ＝１１を決定し、（Ｎの正しい値がＮ＝１２であっても）図１を参照しながら説明された第２のフォーマット１１０を正しく選択することになる。
【００８７】
[0103]  シーケンス番号のセットにシーケンス不連続性を導入する（またはパディング（padding）する）とき、基地局は、シーケンス不連続性が導入されたところを知り、したがって、シーケンス不連続性に対応するＰＵＣＣＨ  ＡＣＫ／ＮＡＫペイロードビット位置のためのＮＡＫを予想することができる。この予想を仮定すれば、基地局は、導入されたシーケンス不連続性を仮想巡回冗長検査（ＣＲＣ）として使用することができる。基地局はまた、ＣＲＣの長さを増加させる目的で、追加のシーケンス不連続性を導入し得る。
【００８８】
[0104]  いくつかの例では、基地局は、ＡＣＫ／ＮＡＫリソースインジケータ（ＡＲＩ：ACK/NAK Resource Indicator）を、ＵＥに送信された各ダウンリンク許可に関連付け得る。いくつかの例では、各ＡＲＩは、１６個の異なるＰＵＣＣＨリソースのいずれがＡＣＫ／ＮＡＫ報告のために使用されるべきかを示す４ビット値であり得る。いくつかの場合には、異なるＰＵＣＣＨリソースは、異なるアップリンクＣＣに関連付けられ得る（たとえば、１０個のＰＵＣＣＨリソースはアップリンクＣＣ１上に構成され得、ＰＵＣＣＨリソースはアップリンクＣＣ２上に構成され得る）。ＰＵＣＣＨリソースの各々は、同じＰＵＣＣＨ  ＡＣＫ／ＮＡＫフォーマットを使用して構成され得る（または構成されることが予想され得る）。
【００８９】
[0105]  いくつかの例では、ＡＲＩの長さが、報告間隔中にＵＥのためにスケジュールされたダウンリンクＣＣの数に調整され得るように、ＡＲＩは可変長を有し得る。たとえば、ＵＥが、８つのダウンリンク許可をもつ８つのダウンリンクＣＣ上でスケジュールされたとき、第１の４つのダウンリンク許可の各々はＡＲＩ値ａに関連付けられ得、第２の４つのダウンリンク許可の各々はＡＲＩ値ｂに関連付けられ得る。ＵＥがＡＲＩ値の変化を検出すると、ＵＥは、８ビット値ａｂを導出するためにＣＣ識別情報（ＣＣ＿ＩＤ）の順にＡＲＩ値を連結し得る。ＵＥが４つの連続するダウンリンク許可を受信することに失敗しない限り、適切なＰＵＣＣＨリソースが使用される。
【００９０】
[0106]  図１１は、本開示の様々な態様による、ワイヤレス通信において使用するための装置１１１５のブロック図１１００を示す。装置１１１５は、図１、図２、または図３を参照しながら説明されたＵＥ１１５、２１５、２１５−ａ、２１５−ｂ、２１５−ｃ、または３１５のうちの１つまたは複数の態様、あるいは図１、図２、または図３を参照しながら説明された基地局１０５、２０５、２０５−ａ、または３０５のうちの１つまたは複数の態様の一例であり得る。装置１１１５はまた、プロセッサであるか、またはプロセッサを含み得る。装置１１１５は、受信機モジュール１１１０、ワイヤレス通信管理モジュール（wireless communication management module）１１２０、または送信機モジュール１１３０を含み得る。これらのモジュールの各々は互いと通信していることがある。
【００９１】
[0107]  装置１１１５のモジュールは、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【００９２】
[0108]  いくつかの例では、受信機モジュール１１１０は、専用無線周波数スペクトルまたは共有無線周波数スペクトル上での送信を受信するように動作可能な少なくとも１つの無線周波数（ＲＦ）受信機など、少なくとも１つのＲＦ受信機を含み得る。専用無線周波数スペクトルは、送信装置がそれのためにアクセスを求めて競合しないことがある、無線周波数スペクトル（たとえば、ＬＴＥ／ＬＴＥ−Ａ通信のために使用可能な認可無線周波数スペクトルなど、特定の使用のための特定のユーザに認可された無線周波数スペクトル）を含み得る。共有無線周波数スペクトルは、送信装置がそれのためにアクセスを求めて競合する、無線周波数スペクトル（たとえば、Ｗｉ−Ｆｉ使用など、無認可使用のために利用可能である無線周波数スペクトル、あるいは等しく共有されるかまたは優先度を付けられた様式で複数の事業者が使用するために利用可能である無線周波数スペクトル）を含み得る。いくつかの例では、専用無線周波数スペクトルまたは共有無線周波数スペクトルは、たとえば、図１、図２、または図３を参照しながら説明されたように、ＬＴＥ／ＬＴＥ−Ａ通信のために使用され得る。受信機モジュール１１１０は、図１、図２、または図３を参照しながら説明されたワイヤレス通信システム１００、２００、または３００の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトルまたは共有無線周波数スペクトル上で確立され得る。
【００９３】
[0109]  いくつかの例では、送信機モジュール１１３０は、専用無線周波数スペクトルまたは共有無線周波数スペクトル上で送信するように動作可能な少なくとも１つのＲＦ送信機など、少なくとも１つのＲＦ送信機を含み得る。送信機モジュール１１３０は、図１、図２、または図３を参照しながら説明されたワイヤレス通信システム１００、２００、または３００の１つまたは複数の通信リンクなど、ワイヤレス通信システムの１つまたは複数の通信リンク上で様々なタイプのデータまたは制御信号（すなわち、送信）を送信するために使用され得る。通信リンクは、専用無線周波数スペクトルまたは共有無線周波数スペクトル上で確立され得る。
【００９４】
[0110]  いくつかの例では、ワイヤレス通信管理モジュール１１２０は、装置１１１５のためのワイヤレス通信の１つまたは複数の態様を管理するために使用され得る。いくつかの例では、ワイヤレス通信管理モジュール１１２０は、ＡＣＫ／ＮＡＫペイロードサイズ決定モジュール１１３５またはＡＣＫ／ＮＡＫペイロードフォーマット選択モジュール１１４０を含み得る。
【００９５】
[0111]  いくつかの例では、ＡＣＫ／ＮＡＫペイロードサイズ決定モジュール１１３５は、報告間隔中にＵＥのためにスケジュールされたダウンリンクＣＣの数に少なくとも部分的に基づいて、報告間隔についてＰＵＣＣＨ  ＡＣＫ／ＮＡＫペイロード中に含まれるべきビット数を決定するために使用され得る。
【００９６】
[0112]  いくつかの例では、ＡＣＫ／ＮＡＫペイロードフォーマット選択モジュール１１４０は、決定されたビット数に少なくとも部分的に基づいて、ＰＵＣＣＨ  ＡＣＫ／ＮＡＫペイロードのフォーマットを選択するために使用され得る。
【００９７】
[0113]  装置１１１５のいくつかの例では、ＡＣＫ／ＮＡＫペイロードフォーマット選択モジュール１１４０は、ＰＵＣＣＨ  ＡＣＫ／ＮＡＫペイロードのための複数のあらかじめ定義されたフォーマットのうちの１つを選択することによって、ＰＵＣＣＨ  ＡＣＫ／ＮＡＫペイロードのフォーマットを選択し得る。ＰＵＣＣＨ  ＡＣＫ／ＮＡＫペイロードのためのあらかじめ定義されたフォーマットは、たとえば、ＲＢ内のＵＥ多重化密度、拡散率、またはシンボル期間ごとに割り振られるＲＢの数の異なる組合せを含み得る。いくつかの例では、ＰＵＣＣＨ  ＡＣＫ／ＮＡＫペイロードのためのあらかじめ定義されたフォーマットの各々は、（たとえば、あらかじめ定義されたフォーマットが、ノーマルＣＰを用いる、サブフレームのスロット中での、送信のために構成されたとき）スロットごとに２つの基準信号シンボル期間を含むフォーマットに少なくとも部分的に基づき得る。いくつかの例では、ＰＵＣＣＨ  ＡＣＫ／ＮＡＫペイロードのためのあらかじめ定義されたフォーマットの各々は、（たとえば、あらかじめ定義されたフォーマットが、拡張ＣＰを用いる、サブフレームのスロット中での、送信のために構成されたとき）スロットごとに１つの基準信号シンボル期間を含むフォーマットに少なくとも部分的に基づき得る。
【００９８】
[0114]  装置１１１５がＵＥ中に含まれる例では、ワイヤレス通信管理モジュール１１２０は、ＵＥのためにスケジュールされたダウンリンクＣＣを示すいくつかのダウンリンク許可を受信し得る。これらの例では、ＡＣＫ／ＮＡＫペイロードフォーマット選択モジュール１１４０は、ＰＵＣＣＨ  ＡＣＫ／ＮＡＫペイロードを送信するためのＰＵＣＣＨ  ＡＣＫ／ＮＡＫペイロードフォーマットを選択し得る。
【００９９】
[0115]  装置１１１５が基地局中に含まれる例では、ワイヤレス通信管理モジュール１１２０は、ＵＥに、ＵＥのためにスケジュールされたダウンリンクＣＣを示す複数のダウンリンク許可を送信し得る。これらの例では、ＡＣＫ／ＮＡＫペイロードフォーマット選択モジュール１１４０は、ＰＵＣＣＨ  ＡＣＫ／ＮＡＫペイロードを復号するためのＰＵＣＣＨ  ＡＣＫ／ＮＡＫペイロードフォーマットを選択し得る。
【０１００】
[0116]  図１２は、本開示の様々な態様による、ワイヤレス通信において使用するための装置１２１５のブロック図１２００を示す。装置１２１５は、図１、図２、または図３を参照しながら説明されたＵＥ１１５、２１５、２１５−ａ、２１５−ｂ、２１５−ｃ、または３１５のうちの１つまたは複数の態様、図１、図２、または図３を参照しながら説明された基地局１０５、２０５、２０５−ａ、または３０５のうちの１つまたは複数の態様、あるいは図１１を参照しながら説明された装置１１１５の態様の一例であり得る。装置１２１５はまた、プロセッサであるか、またはプロセッサを含み得る。装置１２１５は、受信機モジュール１２１０、ワイヤレス通信管理モジュール１２２０、または送信機モジュール１２３０を含み得る。これらのモジュールの各々は互いと通信していることがある。
【０１０１】
[0117]  装置１２１５のモジュールは、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【０１０２】
[0118]  いくつかの例では、受信機モジュール１２１０は、専用無線周波数スペクトルまたは共有無線周波数スペクトル上での送信を受信するように動作可能な少なくとも１つのＲＦ受信機など、少なくとも１つのＲＦ受信機を含み得る。専用無線周波数スペクトルは、送信装置がそれのためにアクセスを求めて競合しないことがある、無線周波数スペクトル（たとえば、ＬＴＥ／ＬＴＥ−Ａ通信のために使用可能な認可無線周波数スペクトルなど、特定の使用のための特定のユーザに認可された無線周波数スペクトル）を含み得る。共有無線周波数スペクトルは、送信装置がそれのためにアクセスを求めて競合する、無線周波数スペクトル（たとえば、Ｗｉ−Ｆｉ使用など、無認可使用のために利用可能である無線周波数スペクトル、あるいは等しく共有されるかまたは優先度を付けられた様式で複数の事業者が使用するために利用可能である無線周波数スペクトル）を含み得る。いくつかの例では、専用無線周波数スペクトルまたは共有無線周波数スペクトルは、たとえば、図１、図２、または図３を参照しながら説明されたように、ＬＴＥ／ＬＴＥ−Ａ通信のために使用され得る。受信機モジュール１２１０は、いくつかの場合には、専用無線周波数スペクトルおよび共有無線周波数スペクトルのための別個の受信機を含み得る。別個の受信機は、いくつかの例では、専用無線周波数スペクトル上で通信するためのＬＴＥ／ＬＴＥ−Ａ受信機モジュール（たとえば、専用ＲＦスペクトルのためのＬＴＥ／ＬＴＥ−Ａ受信機モジュール１２１２）、および共有無線周波数スペクトル上で通信するためのＬＴＥ／ＬＴＥ−Ａ受信機モジュール（たとえば、共有ＲＦスペクトルのためのＬＴＥ／ＬＴＥ−Ａ受信機モジュール１２１４）の形態をとり得る。専用ＲＦスペクトルのためのＬＴＥ／ＬＴＥ−Ａ受信機モジュール１２１２または共有ＲＦスペクトルのためのＬＴＥ／ＬＴＥ−Ａ受信機モジュール１２１４を含む受信機モジュール１２１０は、図１、図２、または図３を参照しながら説明されたワイヤレス通信システム１００、２００、または３００の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトルまたは共有無線周波数スペクトル上で確立され得る。
【０１０３】
[0119]  いくつかの例では、送信機モジュール１２３０は、専用無線周波数スペクトルまたは共有無線周波数スペクトル上で送信するように動作可能な少なくとも１つのＲＦ送信機など、少なくとも１つのＲＦ送信機を含み得る。送信機モジュール１２３０は、いくつかの場合には、専用無線周波数スペクトルおよび共有無線周波数スペクトルのための別個の送信機を含み得る。別個の送信機は、いくつかの例では、専用無線周波数スペクトル上で通信するためのＬＴＥ／ＬＴＥ−Ａ送信機モジュール（たとえば、専用ＲＦスペクトルのためのＬＴＥ／ＬＴＥ−Ａ送信機モジュール１２３２）、および共有無線周波数スペクトル上で通信するためのＬＴＥ／ＬＴＥ−Ａ送信機モジュール（たとえば、共有ＲＦスペクトルのためのＬＴＥ／ＬＴＥ−Ａ送信機モジュール１２３４）の形態をとり得る。専用ＲＦスペクトルのためのＬＴＥ／ＬＴＥ−Ａ送信機モジュール１２３２または共有ＲＦスペクトルのためのＬＴＥ／ＬＴＥ−Ａ送信機モジュール１２３４を含む送信機モジュール１２３０は、図１、図２、または図３を参照しながら説明されたワイヤレス通信システム１００、２００、または３００の１つまたは複数の通信リンクなど、ワイヤレス通信システムの１つまたは複数の通信リンク上で様々なタイプのデータまたは制御信号（すなわち、送信）を送信するために使用され得る。通信リンクは、第１の無線周波数スペクトルまたは第２の無線周波数スペクトル上で確立され得る。
【０１０４】
[0120]  いくつかの例では、ワイヤレス通信管理モジュール１２２０は、装置１２１５のためのワイヤレス通信の１つまたは複数の態様を管理するために使用され得る。いくつかの例では、ワイヤレス通信管理モジュール１２２０は、ＡＣＫ／ＮＡＫペイロードサイズ決定モジュール１２３５またはＡＣＫ／ＮＡＫペイロードフォーマット選択モジュール１２４０を含み得る。
【０１０５】
[0121]  いくつかの例では、ＡＣＫ／ＮＡＫペイロードサイズ決定モジュール１２３５は、報告間隔中にＵＥのためにスケジュールされたダウンリンクＣＣの数に少なくとも部分的に基づいて、報告間隔についてＰＵＣＣＨ  ＡＣＫ／ＮＡＫペイロード中に含まれるべきビット数を決定するために使用され得る。
【０１０６】
[0122]  いくつかの例では、ＡＣＫ／ＮＡＫペイロードフォーマット選択モジュール１２４０はＡＣＫ／ＮＡＫペイロードサイズ比較モジュール１２４５を含み得る。ＡＣＫ／ＮＡＫペイロードサイズ比較モジュール１２４５は、ＰＵＣＣＨ  ＡＣＫ／ＮＡＫペイロード中に含まれるべきビット数を複数のビット範囲と比較するために使用され得る。次いで、ＡＣＫ／ＮＡＫペイロードフォーマット選択モジュール１２４０は、ＡＣＫ／ＮＡＫペイロードサイズ比較モジュール１２４５によって実行される比較に少なくとも部分的に基づいて、ＰＵＣＣＨ  ＡＣＫ／ＮＡＫペイロードのフォーマットを選択し得る。いくつかの例では、ＰＵＣＣＨ  ＡＣＫ／ＮＡＫペイロードの選択されたフォーマットは、サブフレームのスロットごとに２つの基準信号シンボル期間を含むフォーマットに少なくとも部分的に基づき得る。
【０１０７】
[0123]  いくつかの例では、ＡＣＫ／ＮＡＫペイロードフォーマット選択モジュール１２４０によって選択されたＰＵＣＣＨ  ＡＣＫ／ＮＡＫペイロードのフォーマットは、（たとえば、選択されたフォーマットが、ノーマルＣＰを用いる、サブフレームのスロット中での、送信のためのものであるとき）スロットごとに２つの基準信号シンボル期間を含むフォーマットに少なくとも部分的に基づき得る。いくつかの例では、ＡＣＫ／ＮＡＫペイロードフォーマット選択モジュール１２４０によって選択されたＰＵＣＣＨ  ＡＣＫ／ＮＡＫペイロードのフォーマットは、（たとえば、選択されたフォーマットが、拡張ＣＰを用いる、サブフレームのスロット中での、送信のためのものであるとき）スロットごとに１つの基準信号シンボル期間を含むフォーマットに少なくとも部分的に基づき得る。
【０１０８】
[0124]  いくつかの例では、ＡＣＫ／ＮＡＫペイロードフォーマット選択モジュール１２４０によって選択されたＰＵＣＣＨ  ＡＣＫ／ＮＡＫペイロードのフォーマットは、少なくとも４つのＵＥ（たとえば、４つまたは５つのＵＥ）の、ＲＢ内のＵＥ多重化密度を含み得る。そのようなフォーマット（すなわち、第１のフォーマット）は、たとえば、ＡＣＫ／ＮＡＫペイロード中に含まれるべきビット数が２１個またはより少ないビット（または１から２１個までのビット）であり、ＲＢが、図４または図５を参照しながら説明されたように構成されたとき、選択され得る。
【０１０９】
[0125]  いくつかの例では、ＡＣＫ／ＮＡＫペイロードフォーマット選択モジュール１２４０によって選択されたＰＵＣＣＨ  ＡＣＫ／ＮＡＫペイロードのフォーマットは、２つのＵＥの、ＲＢ内のＵＥ多重化密度を含み得る。選択されたフォーマットはまた、シンボル期間の少なくとも２つのグループを含み得、ここで、シンボル期間の少なくとも２つのグループの各々は少なくとも１つのシンボルを含み、ここで、シンボル期間の少なくとも２つのグループの各々内で拡散が独立して適用される。そのようなフォーマット（すなわち、第２のフォーマット）は、たとえば、ＡＣＫ／ＮＡＫペイロード中に含まれるべきビット数が６０個またはより少ないビット（または２２から６０個までのビット）であり、ＲＢが、図４または図５を参照しながら説明されたように構成されたとき、選択され得る。
【０１１０】
[0126]  第２のフォーマットの第１の例では、拡散率３が３つのシンボル期間の第１のグループに適用され得、拡散率２が２つのシンボル期間の第２のグループに適用され得、拡散率３を適用するときに、３つのＯＣＣのうちの２つが使用され得る。第２のフォーマットの第２の例では、第１の拡散率２が１つのシンボル期間の第１のグループに適用され得、第２の拡散率２が２つのシンボル期間の第２のグループに適用され得、第３の拡散率２が２つのシンボル期間の第３のグループ内に適用され得る。第２のフォーマットの第２の例では、第１の拡散率は、ウォルシュコードを使用して、または直交ＦＦＴ行列の要素を使用して適用され得る。第２のフォーマットの第３の例では、複数の拡散率２の各拡散率は複数のシンボル期間のそれぞれのシンボル期間に適用され得る。第２のフォーマットの第３の例では、複数の拡散率２の各拡散率が、ウォルシュコードを使用して、または直交ＦＦＴ行列の要素を使用して適用され得る。
【０１１１】
[0127]  いくつかの例では、ＡＣＫ／ＮＡＫペイロードフォーマット選択モジュール１２４０によって選択されたＰＵＣＣＨ  ＡＣＫ／ＮＡＫペイロードのフォーマットは、ＲＢ内のＵＥ多重化を含まず、拡散率を含まず、１のシンボル期間ごとＲＢ割振りを含み得る。そのようなフォーマット（すなわち、第３のフォーマット）は、たとえば、ＡＣＫ／ＮＡＫペイロード中に含まれるべきビット数が１２０個またはより少ないビット（または６１から１２０個までのビット）であり、ＲＢが、図４または図５を参照しながら説明されたように構成されたとき、選択され得る。
【０１１２】
[0128]  いくつかの例では、ＡＣＫ／ＮＡＫペイロードフォーマット選択モジュール１２４０によって選択されたＰＵＣＣＨ  ＡＣＫ／ＮＡＫペイロードのフォーマットは、ＲＢ内のＵＥ多重化を含まず、拡散率を含まず、２のシンボル期間ごとＲＢ割振りを含み得る。そのようなフォーマット（すなわち、第４のフォーマット）は、たとえば、ＡＣＫ／ＮＡＫペイロード中に含まれるべきビット数が２４０個またはより少ないビット（または１２１から２４０個までのビット）であり、ＲＢが、図４または図５を参照しながら説明されたように構成されたとき、選択され得る。
【０１１３】
[0129]  いくつかの例では、ＡＣＫ／ＮＡＫペイロードフォーマット選択モジュール１２４０によって選択されたＰＵＣＣＨ  ＡＣＫ／ＮＡＫペイロードのフォーマットは、ＲＢ内のＵＥ多重化を含まず、拡散率を含まず、３のシンボル期間ごとＲＢ割振りを含み得る。そのようなフォーマット（すなわち、第５のフォーマット）は、たとえば、ＡＣＫ／ＮＡＫペイロード中に含まれるべきビット数が３６０個またはより少ないビット（または２４１から３６０個までのビット）であり、ＲＢが、図４または図５を参照しながら説明されたように構成されたとき、選択され得る。
【０１１４】
[0130]  図１３は、本開示の様々な態様による、ワイヤレス通信において使用するための装置１３１５のブロック図１３００を示す。装置１３１５は、図１、図２、または図３を参照しながら説明されたＵＥ１１５、２１５、２１５−ａ、２１５−ｂ、２１５−ｃ、または３１５のうちの１つまたは複数の態様、あるいは図１１または図１２を参照しながら説明された装置１１１５または１２１５の態様の一例であり得る。装置１３１５はまた、プロセッサであるか、またはプロセッサを含み得る。装置１３１５は、受信機モジュール１３１０、ワイヤレス通信管理モジュール１３２０、または送信機モジュール１３３０を含み得る。これらのモジュールの各々は互いと通信していることがある。
【０１１５】
[0131]  装置１３１５のモジュールは、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【０１１６】
[0132]  いくつかの例では、受信機モジュール１３１０は、専用無線周波数スペクトルまたは共有無線周波数スペクトル上での送信を受信するように動作可能な少なくとも１つのＲＦ受信機など、少なくとも１つのＲＦ受信機を含み得る。専用無線周波数スペクトルは、送信装置がそれのためにアクセスを求めて競合しないことがある、無線周波数スペクトル（たとえば、ＬＴＥ／ＬＴＥ−Ａ通信のために使用可能な認可無線周波数スペクトルなど、特定の使用のための特定のユーザに認可された無線周波数スペクトル）を含み得る。共有無線周波数スペクトルは、送信装置がそれのためにアクセスを求めて競合する、無線周波数スペクトル（たとえば、Ｗｉ−Ｆｉ使用など、無認可使用のために利用可能である無線周波数スペクトル、あるいは等しく共有されるかまたは優先度を付けられた様式で複数の事業者が使用するために利用可能である無線周波数スペクトル）を含み得る。いくつかの例では、専用無線周波数スペクトルまたは共有無線周波数スペクトルは、たとえば、図１、図２、または図３を参照しながら説明されたように、ＬＴＥ／ＬＴＥ−Ａ通信のために使用され得る。受信機モジュール１３１０は、いくつかの場合には、専用無線周波数スペクトルおよび共有無線周波数スペクトルのための別個の受信機を含み得る。別個の受信機は、いくつかの例では、専用無線周波数スペクトル上で通信するためのＬＴＥ／ＬＴＥ−Ａ受信機モジュール（たとえば、専用ＲＦスペクトルのためのＬＴＥ／ＬＴＥ−Ａ受信機モジュール１３１２）、および共有無線周波数スペクトル上で通信するためのＬＴＥ／ＬＴＥ−Ａ受信機モジュール（たとえば、共有ＲＦスペクトルのためのＬＴＥ／ＬＴＥ−Ａ受信機モジュール１３１４）の形態をとり得る。専用ＲＦスペクトルのためのＬＴＥ／ＬＴＥ−Ａ受信機モジュール１３１２または共有ＲＦスペクトルのためのＬＴＥ／ＬＴＥ−Ａ受信機モジュール１３１４を含む受信機モジュール１３１０は、図１、図２、または図３を参照しながら説明されたワイヤレス通信システム１００、２００、または３００の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトルまたは共有無線周波数スペクトル上で確立され得る。
【０１１７】
[0133]  いくつかの例では、送信機モジュール１３３０は、専用無線周波数スペクトルまたは共有無線周波数スペクトル上で送信するように動作可能な少なくとも１つのＲＦ送信機など、少なくとも１つのＲＦ送信機を含み得る。送信機モジュール１３３０は、いくつかの場合には、専用無線周波数スペクトルおよび共有無線周波数スペクトルのための別個の送信機を含み得る。別個の送信機は、いくつかの例では、専用無線周波数スペクトル上で通信するためのＬＴＥ／ＬＴＥ−Ａ送信機モジュール（たとえば、専用ＲＦスペクトルのためのＬＴＥ／ＬＴＥ−Ａ送信機モジュール１３３２）、および共有無線周波数スペクトル上で通信するためのＬＴＥ／ＬＴＥ−Ａ送信機モジュール（たとえば、共有ＲＦスペクトルのためのＬＴＥ／ＬＴＥ−Ａ送信機モジュール１３３４）の形態をとり得る。専用ＲＦスペクトルのためのＬＴＥ／ＬＴＥ−Ａ送信機モジュール１３３２または共有ＲＦスペクトルのためのＬＴＥ／ＬＴＥ−Ａ送信機モジュール１３３４を含む送信機モジュール１３３０は、図１、図２、または図３を参照しながら説明されたワイヤレス通信システム１００、２００、または３００の１つまたは複数の通信リンクなど、ワイヤレス通信システムの１つまたは複数の通信リンク上で様々なタイプのデータまたは制御信号（すなわち、送信）を送信するために使用され得る。通信リンクは、第１の無線周波数スペクトルまたは第２の無線周波数スペクトル上で確立され得る。
【０１１８】
[0134]  いくつかの例では、ワイヤレス通信管理モジュール１３２０は、装置１３１５のためのワイヤレス通信の１つまたは複数の態様を管理するために使用され得る。いくつかの例では、ワイヤレス通信管理モジュール１３２０は、ダウンリンクＣＣ識別モジュール１３４５、ダウンリンクＣＣサブセット識別モジュール１３５０、ＡＣＫ／ＮＡＫペイロードサイズ決定モジュール１３３５、ＡＣＫ／ＮＡＫペイロードフォーマット選択モジュール１３４０、またはＡＣＫ／ＮＡＫペイロード送信管理モジュール１３５５を含み得る。
【０１１９】
[0135]  いくつかの例では、ダウンリンクＣＣ識別モジュール１３４５は、ＵＥのための複数のダウンリンクＣＣの割振りを識別するために使用され得る。
【０１２０】
[0136]  いくつかの例では、ダウンリンクＣＣサブセット識別モジュール１３５０は、複数のダウンリンクＣＣ内のダウンリンクＣＣの少なくとも第１のサブセットを識別するために使用され得る。また、ダウンリンクＣＣの追加のサブセットが識別され得る（たとえば、ダウンリンクＣＣの第２のサブセットなど）。
【０１２１】
[0137]  いくつかの例では、ＡＣＫ／ＮＡＫペイロードサイズ決定モジュール１３３５は、報告間隔中にＵＥのためにスケジュールされたダウンリンクＣＣの第１のサブセット中のダウンリンクＣＣの数に少なくとも部分的に基づいて、報告間隔について第１のＰＵＣＣＨ  ＡＣＫ／ＮＡＫペイロード中に含まれるべきビット数を決定するために使用され得る。ＡＣＫ／ＮＡＫペイロードサイズ決定モジュール１３３５はまた、（たとえば、ダウンリンクＣＣの第２のサブセットのための）報告間隔中にＵＥのためにスケジュールされたダウンリンクＣＣの１つまたは複数の追加のサブセットの各々中のダウンリンクＣＣの数に少なくとも部分的に基づいて、報告間隔について、１つまたは複数の追加のＰＵＣＣＨ  ＡＣＫ／ＮＡＫペイロード（たとえば、第２のＰＵＣＣＨ  ＡＣＫ／ＮＡＫペイロード）の各々中に含まれるべきビット数を決定するために使用され得る。
【０１２２】
[0138]  いくつかの例では、ＡＣＫ／ＮＡＫペイロードフォーマット選択モジュール１３４０は、第１のＰＵＣＣＨ  ＡＣＫ／ＮＡＫペイロードのための決定されたビット数に少なくとも部分的に基づいて、第１のＰＵＣＣＨ  ＡＣＫ／ＮＡＫペイロードのフォーマットを選択するために使用され得る。ＡＣＫ／ＮＡＫペイロードフォーマット選択モジュール１３４０はまた、ダウンリンクＣＣの１つまたは複数の追加のサブセット（たとえば、ダウンリンクＣＣの第２のサブセット）の各々の（１つまたは複数の）ＰＵＣＣＨ  ＡＣＫ／ＮＡＫペイロードのための決定されたビット数に少なくとも部分的に基づいて、１つまたは複数の追加のＰＵＣＣＨ  ＡＣＫ／ＮＡＫペイロード（たとえば、第２のＰＵＣＣＨ  ＡＣＫ／ＮＡＫペイロード）の各々のフォーマットを選択するために使用され得る。
【０１２３】
[0139]  いくつかの例では、ＡＣＫ／ＮＡＫペイロード送信管理モジュール１３５５は、第１のアップリンクＣＣ上で第１のＰＵＣＣＨ  ＡＣＫ／ＮＡＫペイロードを送信し、第２のアップリンクＣＣ上で追加のＰＵＣＣＨ  ＡＣＫ／ＮＡＫペイロード（たとえば、第２のＡＣＫ／ＮＡＫペイロード）を送信するために使用され得る。代替的に、ＡＣＫ／ＮＡＫペイロード送信管理モジュール１３５５は、第１のＰＵＣＣＨ  ＡＣＫ／ＮＡＫペイロードを送信し、同じアップリンクＣＣ上で追加のＡＣＫ／ＮＡＫペイロード（たとえば、第２のＡＣＫ／ＮＡＫペイロード）を送信するために使用され得る。
【０１２４】
[0140]  図１４は、本開示の様々な態様による、ワイヤレス通信において使用するための装置１４１５のブロック図１４００を示す。装置１４１５は、図１、図２、または図３を参照しながら説明された基地局１０５、２０５、２０５−ａ、または３０５のうちの１つまたは複数の態様、あるいは図１１または図１２を参照しながら説明された装置１１１５または１２１５の態様の一例であり得る。装置１４１５はまた、プロセッサであるか、またはプロセッサを含み得る。装置１４１５は、受信機モジュール１４１０、ワイヤレス通信管理モジュール１４２０、または送信機モジュール１４３０を含み得る。これらのモジュールの各々は互いと通信していることがある。
【０１２５】
[0141]  装置１４１５のモジュールは、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【０１２６】
[0142]  いくつかの例では、受信機モジュール１４１０は、専用無線周波数スペクトルまたは共有無線周波数スペクトル上での送信を受信するように動作可能な少なくとも１つのＲＦ受信機など、少なくとも１つのＲＦ受信機を含み得る。専用無線周波数スペクトルは、送信装置がそれのためにアクセスを求めて競合しないことがある、無線周波数スペクトル（たとえば、ＬＴＥ／ＬＴＥ−Ａ通信のために使用可能な認可無線周波数スペクトルなど、特定の使用のための特定のユーザに認可された無線周波数スペクトル）を含み得る。共有無線周波数スペクトルは、送信装置がそれのためにアクセスを求めて競合する、無線周波数スペクトル（たとえば、Ｗｉ−Ｆｉ使用など、無認可使用のために利用可能である無線周波数スペクトル、あるいは等しく共有されるかまたは優先度を付けられた様式で複数の事業者が使用するために利用可能である無線周波数スペクトル）を含み得る。いくつかの例では、専用無線周波数スペクトルまたは共有無線周波数スペクトルは、たとえば、図１、図２、または図３を参照しながら説明されたように、ＬＴＥ／ＬＴＥ−Ａ通信のために使用され得る。受信機モジュール１４１０は、いくつかの場合には、専用無線周波数スペクトルおよび共有無線周波数スペクトルのための別個の受信機を含み得る。別個の受信機は、いくつかの例では、専用無線周波数スペクトル上で通信するためのＬＴＥ／ＬＴＥ−Ａ受信機モジュール（たとえば、専用ＲＦスペクトルのためのＬＴＥ／ＬＴＥ−Ａ受信機モジュール１４１２）、および共有無線周波数スペクトル上で通信するためのＬＴＥ／ＬＴＥ−Ａ受信機モジュール（たとえば、共有ＲＦスペクトルのためのＬＴＥ／ＬＴＥ−Ａ受信機モジュール１４１４）の形態をとり得る。専用ＲＦスペクトルのためのＬＴＥ／ＬＴＥ−Ａ受信機モジュール１４１２または共有ＲＦスペクトルのためのＬＴＥ／ＬＴＥ−Ａ受信機モジュール１４１４を含む受信機モジュール１４１０は、図１、図２、または図３を参照しながら説明されたワイヤレス通信システム１００、２００、または３００の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトルまたは共有無線周波数スペクトル上で確立され得る。
【０１２７】
[0143]  いくつかの例では、送信機モジュール１４３０は、専用無線周波数スペクトルまたは共有無線周波数スペクトル上で送信するように動作可能な少なくとも１つのＲＦ送信機など、少なくとも１つのＲＦ送信機を含み得る。送信機モジュール１４３０は、いくつかの場合には、専用無線周波数スペクトルおよび共有無線周波数スペクトルのための別個の送信機を含み得る。別個の送信機は、いくつかの例では、専用無線周波数スペクトル上で通信するためのＬＴＥ／ＬＴＥ−Ａ送信機モジュール（たとえば、専用ＲＦスペクトルのためのＬＴＥ／ＬＴＥ−Ａ送信機モジュール１４３２）、および共有無線周波数スペクトル上で通信するためのＬＴＥ／ＬＴＥ−Ａ送信機モジュール（たとえば、共有ＲＦスペクトルのためのＬＴＥ／ＬＴＥ−Ａ送信機モジュール１４３４）の形態をとり得る。専用ＲＦスペクトルのためのＬＴＥ／ＬＴＥ−Ａ送信機モジュール１４３２または共有ＲＦスペクトルのためのＬＴＥ／ＬＴＥ−Ａ送信機モジュール１４３４を含む送信機モジュール１４３０は、図１、図２、または図３を参照しながら説明されたワイヤレス通信システム１００、２００、または３００の１つまたは複数の通信リンクなど、ワイヤレス通信システムの１つまたは複数の通信リンク上で様々なタイプのデータまたは制御信号（すなわち、送信）を送信するために使用され得る。通信リンクは、第１の無線周波数スペクトルまたは第２の無線周波数スペクトル上で確立され得る。
【０１２８】
[0144]  いくつかの例では、ワイヤレス通信管理モジュール１４２０は、装置１４１５のためのワイヤレス通信の１つまたは複数の態様を管理するために使用され得る。いくつかの例では、ワイヤレス通信管理モジュール１４２０は、ダウンリンクＣＣ割振りモジュール１４４５、ダウンリンクＣＣサブセット構成モジュール１４５０、ＡＣＫ／ＮＡＫペイロードサイズ決定モジュール１４３５、またはＡＣＫ／ＮＡＫペイロードフォーマット選択モジュール１４４０を含み得る。
【０１２９】
[0145]  いくつかの例では、ダウンリンクＣＣ割振りモジュール１４４５は、ＵＥのための複数のダウンリンクＣＣを割り振るために使用され得る。
【０１３０】
[0146]  いくつかの例では、ダウンリンクＣＣサブセット構成モジュール１４５０は、ダウンリンクＣＣの少なくとも２つのグループを構成する（たとえば、複数のダウンリンクＣＣ内の少なくともダウンリンクＣＣの第１のサブセットとダウンリンクＣＣの第２のサブセットとを構成する）ために使用され得る。
【０１３１】
[0147]  いくつかの例では、ＡＣＫ／ＮＡＫペイロードサイズ決定モジュール１４３５は、ダウンリンクＣＣの各グループについて、および報告間隔中にＵＥのためにスケジュールされたダウンリンクＣＣの数に少なくとも部分的に基づいて、報告間隔についてダウンリンクＣＣのグループのためのＰＵＣＣＨ  ＡＣＫ／ＮＡＫペイロード中に含まれるべきビット数を決定するために使用され得る。したがって、たとえば、ダウンリンクＣＣの第１のグループのための第１のＰＵＣＣＨ  ＡＣＫ／ＮＡＫペイロード中に含まれるべき第１のビット数が決定され得、ダウンリンクＣＣの第２のグループのための第２のＰＵＣＣＨ  ＡＣＫ／ＮＡＫペイロード中に含まれるべき第２のビット数が決定され得る。
【０１３２】
[0148]  いくつかの例では、ＡＣＫ／ＮＡＫペイロードフォーマット選択モジュール１４４０は、各ＰＵＣＣＨ  ＡＣＫ／ＮＡＫペイロードについて、およびＰＵＣＣＨ  ＡＣＫ／ＮＡＫペイロードのための決定されたビット数に少なくとも部分的に基づいて、第１のＰＵＣＣＨ  ＡＣＫ／ＮＡＫペイロードのフォーマットを選択するために使用され得る。すなわち、ＰＵＣＣＨ  ＡＣＫ／ＮＡＫペイロードのフォーマットは、ダウンリンクＣＣの少なくとも２つのグループの各々について選択され得る。同じくまたは代替的に、ＰＵＣＣＨ  ＡＣＫ／ＮＡＫペイロードのフォーマットは、ダウンリンクＣＣの少なくとも２つのグループの各々内のダウンリンクＣＣのためのＡＣＫ／ＮＡＫビットのバンドリングを考慮して選択され得る。
【０１３３】
[0149]  図１５は、本開示の様々な態様による、ワイヤレス通信において使用するための装置１５１５のブロック図１５００を示す。装置１５１５は、図１、図２、または図３を参照しながら説明されたＵＥ１１５、２１５、２１５−ａ、２１５−ｂ、２１５−ｃ、または３１５のうちの１つまたは複数の態様、あるいは図１１、図１２、または図１３を参照しながら説明された装置１１１５、１２１５、または１３１５の態様の一例であり得る。装置１５１５はまた、プロセッサであるか、またはプロセッサを含み得る。装置１５１５は、受信機モジュール１５１０、ワイヤレス通信管理モジュール１５２０、または送信機モジュール１５３０を含み得る。これらのモジュールの各々は互いと通信していることがある。
【０１３４】
[0150]  装置１５１５のモジュールは、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【０１３５】
[0151]  いくつかの例では、受信機モジュール１５１０は、専用無線周波数スペクトルまたは共有無線周波数スペクトル上での送信を受信するように動作可能な少なくとも１つのＲＦ受信機など、少なくとも１つのＲＦ受信機を含み得る。専用無線周波数スペクトルは、送信装置がそれのためにアクセスを求めて競合しないことがある、無線周波数スペクトル（たとえば、ＬＴＥ／ＬＴＥ−Ａ通信のために使用可能な認可無線周波数スペクトルなど、特定の使用のための特定のユーザに認可された無線周波数スペクトル）を含み得る。共有無線周波数スペクトルは、送信装置がそれのためにアクセスを求めて競合する、無線周波数スペクトル（たとえば、Ｗｉ−Ｆｉ使用など、無認可使用のために利用可能である無線周波数スペクトル、あるいは等しく共有されるかまたは優先度を付けられた様式で複数の事業者が使用するために利用可能である無線周波数スペクトル）を含み得る。いくつかの例では、専用無線周波数スペクトルまたは共有無線周波数スペクトルは、たとえば、図１、図２、または図３を参照しながら説明されたように、ＬＴＥ／ＬＴＥ−Ａ通信のために使用され得る。受信機モジュール１５１０は、いくつかの場合には、専用無線周波数スペクトルおよび共有無線周波数スペクトルのための別個の受信機を含み得る。別個の受信機は、いくつかの例では、専用無線周波数スペクトル上で通信するためのＬＴＥ／ＬＴＥ−Ａ受信機モジュール（たとえば、専用ＲＦスペクトルのためのＬＴＥ／ＬＴＥ−Ａ受信機モジュール１５１２）、および共有無線周波数スペクトル上で通信するためのＬＴＥ／ＬＴＥ−Ａ受信機モジュール（たとえば、共有ＲＦスペクトルのためのＬＴＥ／ＬＴＥ−Ａ受信機モジュール１５１４）の形態をとり得る。専用ＲＦスペクトルのためのＬＴＥ／ＬＴＥ−Ａ受信機モジュール１５１２または共有ＲＦスペクトルのためのＬＴＥ／ＬＴＥ−Ａ受信機モジュール１５１４を含む受信機モジュール１５１０は、図１、図２、または図３を参照しながら説明されたワイヤレス通信システム１００、２００、または３００の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトルまたは共有無線周波数スペクトル上で確立され得る。
【０１３６】
[0152]  いくつかの例では、送信機モジュール１５３０は、専用無線周波数スペクトルまたは共有無線周波数スペクトル上で送信するように動作可能な少なくとも１つのＲＦ送信機など、少なくとも１つのＲＦ送信機を含み得る。送信機モジュール１５３０は、いくつかの場合には、専用無線周波数スペクトルおよび共有無線周波数スペクトルのための別個の送信機を含み得る。別個の送信機は、いくつかの例では、専用無線周波数スペクトル上で通信するためのＬＴＥ／ＬＴＥ−Ａ送信機モジュール（たとえば、専用ＲＦスペクトルのためのＬＴＥ／ＬＴＥ−Ａ送信機モジュール１５３２）、および共有無線周波数スペクトル上で通信するためのＬＴＥ／ＬＴＥ−Ａ送信機モジュール（たとえば、共有ＲＦスペクトルのためのＬＴＥ／ＬＴＥ−Ａ送信機モジュール１５３４）の形態をとり得る。専用ＲＦスペクトルのためのＬＴＥ／ＬＴＥ−Ａ送信機モジュール１５３２または共有ＲＦスペクトルのためのＬＴＥ／ＬＴＥ−Ａ送信機モジュール１５３４を含む送信機モジュール１５３０は、図１、図２、または図３を参照しながら説明されたワイヤレス通信システム１００、２００、または３００の１つまたは複数の通信リンクなど、ワイヤレス通信システムの１つまたは複数の通信リンク上で様々なタイプのデータまたは制御信号（すなわち、送信）を送信するために使用され得る。通信リンクは、第１の無線周波数スペクトルまたは第２の無線周波数スペクトル上で確立され得る。
【０１３７】
[0153]  いくつかの例では、ワイヤレス通信管理モジュール１５２０は、装置１５１５のためのワイヤレス通信の１つまたは複数の態様を管理するために使用され得る。いくつかの例では、ワイヤレス通信管理モジュール１５２０は、ダウンリンク許可処理モジュール１５４５、ＡＣＫ／ＮＡＫペイロードサイズ決定モジュール１５３５、またはＡＣＫ／ＮＡＫペイロードフォーマット選択モジュール１５４０を含み得る。
【０１３８】
[0154]  いくつかの例では、ダウンリンク許可処理モジュール１５４５は、ＵＥのためにスケジュールされたダウンリンクＣＣを示すいくつかのダウンリンク許可を受信し、ダウンリンク許可の各々とともに、それぞれのＤＡＩを受信するために使用され得る。ダウンリンク許可処理モジュール１５４５は、（１つまたは複数の）ＤＡＩを受信するために使用され得るＤＡＩ処理モジュール１５５０を含み得る。
【０１３９】
[0155]  いくつかの例では、ＡＣＫ／ＮＡＫペイロードサイズ決定モジュール１５３５は、報告間隔中にＵＥのためにスケジュールされたダウンリンクＣＣの数に少なくとも部分的に基づいて、報告間隔についてＰＵＣＣＨ  ＡＣＫ／ＮＡＫペイロード中に含まれるべきビット数を決定するために使用され得る。
【０１４０】
[0156]  いくつかの例では、ＡＣＫ／ＮＡＫペイロードフォーマット選択モジュール１５４０は、決定されたビット数に少なくとも部分的に基づいて、ＰＵＣＣＨ  ＡＣＫ／ＮＡＫペイロードのフォーマットを選択するために使用され得る。
【０１４１】
[0157]  装置１５１５のいくつかの例では、ダウンリンク許可のためのそれぞれのＤＡＩは、ダウンリンク許可中でスケジュールされた各ダウンリンクＣＣを介した各送信に肯定応答／否定応答するために、ＰＵＣＣＨ  ＡＣＫ／ＮＡＫペイロード中でビットマッピングとリソース選択とを示し得る。
【０１４２】
[0158]  装置１５１５のいくつかの例では、ダウンリンク許可のためのそれぞれのＤＡＩは、ダウンリンク許可中でスケジュールされた少なくとも１つのダウンリンクＣＣと、別のダウンリンク許可中でスケジュールされた少なくとも１つのダウンリンクＣＣとの間の関係を示すシーケンス番号を含み得る。これらの例では、ＤＡＩ処理モジュール１５５０は、ダウンリンク許可中でスケジュールされた各ダウンリンクＣＣを介した各送信に肯定応答／否定応答するために、シーケンス番号に少なくとも部分的に基づいて、ＰＵＣＣＨ  ＡＣＫ／ＮＡＫペイロード中でビットマッピングとリソース選択とを決定し得る。
【０１４３】
[0159]  図１６は、本開示の様々な態様による、ワイヤレス通信において使用するための装置１６１５のブロック図１６００を示す。装置１６１５は、図１、図２、または図３を参照しながら説明された基地局１０５、２０５、２０５−ａ、または３０５のうちの１つまたは複数の態様、あるいは図１１、図１２、または図１４を参照しながら説明された装置１１１５、１２１５または１４１５の態様の一例であり得る。装置１６１５はまた、プロセッサであるか、またはプロセッサを含み得る。装置１６１５は、受信機モジュール１６１０、ワイヤレス通信管理モジュール１６２０、または送信機モジュール１６３０を含み得る。これらのモジュールの各々は互いと通信していることがある。
【０１４４】
[0160]  装置１６１５のモジュールは、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【０１４５】
[0161]  いくつかの例では、受信機モジュール１６１０は、専用無線周波数スペクトルまたは共有無線周波数スペクトル上での送信を受信するように動作可能な少なくとも１つのＲＦ受信機など、少なくとも１つのＲＦ受信機を含み得る。専用無線周波数スペクトルは、送信装置がそれのためにアクセスを求めて競合しないことがある、無線周波数スペクトル（たとえば、ＬＴＥ／ＬＴＥ−Ａ通信のために使用可能な認可無線周波数スペクトルなど、特定の使用のための特定のユーザに認可された無線周波数スペクトル）を含み得る。共有無線周波数スペクトルは、送信装置がそれのためにアクセスを求めて競合する、無線周波数スペクトル（たとえば、Ｗｉ−Ｆｉ使用など、無認可使用のために利用可能である無線周波数スペクトル、あるいは等しく共有されるかまたは優先度を付けられた様式で複数の事業者が使用するために利用可能である無線周波数スペクトル）を含み得る。いくつかの例では、専用無線周波数スペクトルまたは共有無線周波数スペクトルは、たとえば、図１、図２、または図３を参照しながら説明されたように、ＬＴＥ／ＬＴＥ−Ａ通信のために使用され得る。受信機モジュール１６１０は、いくつかの場合には、専用無線周波数スペクトルおよび共有無線周波数スペクトルのための別個の受信機を含み得る。別個の受信機は、いくつかの例では、専用無線周波数スペクトル上で通信するためのＬＴＥ／ＬＴＥ−Ａ受信機モジュール（たとえば、専用ＲＦスペクトルのためのＬＴＥ／ＬＴＥ−Ａ受信機モジュール１６１２）、および共有無線周波数スペクトル上で通信するためのＬＴＥ／ＬＴＥ−Ａ受信機モジュール（たとえば、共有ＲＦスペクトルのためのＬＴＥ／ＬＴＥ−Ａ受信機モジュール１６１４）の形態をとり得る。専用ＲＦスペクトルのためのＬＴＥ／ＬＴＥ−Ａ受信機モジュール１６１２または共有ＲＦスペクトルのためのＬＴＥ／ＬＴＥ−Ａ受信機モジュール１６１４を含む受信機モジュール１６１０は、図１、図２、または図３を参照しながら説明されたワイヤレス通信システム１００、２００、または３００の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトルまたは共有無線周波数スペクトル上で確立され得る。
【０１４６】
[0162]  いくつかの例では、送信機モジュール１６３０は、専用無線周波数スペクトルまたは共有無線周波数スペクトル上で送信するように動作可能な少なくとも１つのＲＦ送信機など、少なくとも１つのＲＦ送信機を含み得る。送信機モジュール１６３０は、いくつかの場合には、専用無線周波数スペクトルおよび共有無線周波数スペクトルのための別個の送信機を含み得る。別個の送信機は、いくつかの例では、専用無線周波数スペクトル上で通信するためのＬＴＥ／ＬＴＥ−Ａ送信機モジュール（たとえば、専用ＲＦスペクトルのためのＬＴＥ／ＬＴＥ−Ａ送信機モジュール１６３２）、および共有無線周波数スペクトル上で通信するためのＬＴＥ／ＬＴＥ−Ａ送信機モジュール（たとえば、共有ＲＦスペクトルのためのＬＴＥ／ＬＴＥ−Ａ送信機モジュール１６３４）の形態をとり得る。専用ＲＦスペクトルのためのＬＴＥ／ＬＴＥ−Ａ送信機モジュール１６３２または共有ＲＦスペクトルのためのＬＴＥ／ＬＴＥ−Ａ送信機モジュール１６３４を含む送信機モジュール１６３０は、図１、図２、または図３を参照しながら説明されたワイヤレス通信システム１００、２００、または３００の１つまたは複数の通信リンクなど、ワイヤレス通信システムの１つまたは複数の通信リンク上で様々なタイプのデータまたは制御信号（すなわち、送信）を送信するために使用され得る。通信リンクは、第１の無線周波数スペクトルまたは第２の無線周波数スペクトル上で確立され得る。
【０１４７】
[0163]  いくつかの例では、ワイヤレス通信管理モジュール１６２０は、装置１６１５のためのワイヤレス通信の１つまたは複数の態様を管理するために使用され得る。いくつかの例では、ワイヤレス通信管理モジュール１６２０は、ダウンリンク許可送信管理モジュール１６４５、ＡＣＫ／ＮＡＫペイロードサイズ決定モジュール１６３５、ＡＣＫ／ＮＡＫペイロードフォーマット選択モジュール１６４０、またはＡＣＫ／ＮＡＫペイロード受信管理モジュール１６５０を含み得る。
【０１４８】
[0164]  いくつかの例では、ダウンリンク許可送信管理モジュール１６４５は、ＵＥに、ＵＥのためにスケジュールされたダウンリンクＣＣを示す複数のダウンリンク許可を送信することと、複数のＤＡＩを送信することとを行うために使用され得、ここで、複数のダウンリンク許可の各々は複数のＤＡＩ中のＤＡＩのそれぞれの１つを含む。ダウンリンク許可送信管理モジュール１６４５は、複数のＤＡＩを送信するために使用され得るＤＡＩ送信管理モジュール１６５５を含み得る。
【０１４９】
[0165]  いくつかの例では、ＡＣＫ／ＮＡＫペイロードサイズ決定モジュール１６３５は、報告間隔中にＵＥのためにスケジュールされたダウンリンクＣＣの数に少なくとも部分的に基づいて、報告間隔についてＰＵＣＣＨ  ＡＣＫ／ＮＡＫペイロード中に含まれるべきビット数を決定するために使用され得る。
【０１５０】
[0166]  いくつかの例では、ＡＣＫ／ＮＡＫペイロードフォーマット選択モジュール１６４０は、決定されたビット数に少なくとも部分的に基づいて、ＰＵＣＣＨ  ＡＣＫ／ＮＡＫペイロードのフォーマットを選択するために使用され得る。
【０１５１】
[0167]  装置１６１５のいくつかの例では、ダウンリンク許可のためのそれぞれのＤＡＩは、ダウンリンク許可中でスケジュールされた各ダウンリンクＣＣを介した各送信に肯定応答／否定応答するために、ＰＵＣＣＨ  ＡＣＫ／ＮＡＫペイロード中でビットマッピングとリソース選択とを示し得る。
【０１５２】
[0168]  装置１６１５のいくつかの例では、複数のＤＡＩは複数のシーケンス番号を含み得る。これらの例では、ＤＡＩ送信管理モジュール１６５５は、ＰＵＣＣＨ  ＡＣＫ／ＮＡＫペイロード中に含まれるべきビット数を増加させるために、複数のシーケンス番号中にシーケンス不連続性を導入し得る。
【０１５３】
[0169]  いくつかの例では、ＡＣＫ／ＮＡＫペイロード受信管理モジュール１０５０は、ＰＵＣＣＨ  ＡＣＫ／ＮＡＫペイロードを受信することと、ＰＵＣＣＨ  ＡＣＫ／ＮＡＫペイロード中のＡＣＫ／ＮＡＫビットのセットを使用することと、ＡＣＫ／ＮＡＫビットのセットが仮想ＣＲＣとして、ＤＡＩ送信管理モジュール１６５５によって導入されたシーケンス不連続性に対応する、を行うために使用され得る。いくつかの例では、ＤＡＩ送信管理モジュール１６５５は、ＰＵＣＣＨ  ＡＣＫ／ＮＡＫペイロード中に含まれるべきビット数を増加させることと、仮想ＣＲＣの長さを増加させることの両方を行うために、複数のシーケンス番号中にシーケンス不連続性を導入し得る。
【０１５４】
[0170]  いくつかの例では、図１１、図１２、図１３、または図１５を参照しながら説明された装置１１００、１２００、１３００、または１５００のうちの２つまたはそれ以上の態様が組み合わせられ得るか、あるいは図１１、図１２、図１４、または図１６を参照しながら説明された装置１１００、１２００、１４００、または１６００のうちの２つまたはそれ以上の態様が組み合わせられ得る。
【０１５５】
[0171]  図１７は、本開示の様々な態様による、ワイヤレス通信において使用するためのＵＥ１７１５のブロック図１７００を示す。ＵＥ１７１５は、様々な構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなど含まれるかまたはそれらの一部であり得る。ＵＥ１７１５は、いくつかの例では、モバイル動作を可能にするために、小型バッテリーなどの内部電源（図示せず）を有し得る。いくつかの例では、ＵＥ１７１５は、図１、図２、または図３を参照しながら説明されたＵＥ１１５、２１５、２１５−ａ、２１５−ｂ、２１５−ｃ、または３１５のうちの１つまたは複数の態様、あるいは図１１、図１２、図１３、または図１５を参照しながら説明された装置１１１５、１２１５、１３１５、または１５１５のうちの１つまたは複数の態様の一例であり得る。ＵＥ１７１５は、図１、図２、図３、図４、図５、図６、図７、図８、図９、図１０、図１１、図１２、図１３、または図１５を参照しながら説明されたＵＥまたは装置の特徴および機能のうちの少なくともいくつかを実装するように構成され得る。
【０１５６】
[0172]  ＵＥ１７１５は、ＵＥプロセッサモジュール１７１０、ＵＥメモリモジュール１７２０、（（１つまたは複数の）ＵＥトランシーバモジュール１７３０によって表される）少なくとも１つのＵＥトランシーバモジュール、（（１つまたは複数の）ＵＥアンテナ１７４０によって表される）少なくとも１つのＵＥアンテナ、またはＵＥワイヤレス通信管理モジュール１７６０を含み得る。これらの構成要素の各々は、１つまたは複数のバス１７３５上で、直接または間接的に、互いと通信していることがある。
【０１５７】
[0173]  ＵＥメモリモジュール１７２０は、ランダムアクセスメモリ（ＲＡＭ）または読取り専用メモリ（ＲＯＭ）を含み得る。ＵＥメモリモジュール１７２０は、実行されたとき、ＰＵＣＣＨ  ＡＣＫ／ＮＡＫペイロード中に含まれるべきビット数に少なくとも部分的に基づくＰＵＣＣＨ  ＡＣＫ／ＮＡＫペイロードのフォーマットの選択を含む、ワイヤレス通信に関係する本明細書で説明される様々な機能をＵＥプロセッサモジュール１７１０に実行させるように構成された命令を含んでいるコンピュータ可読、コンピュータ実行可能コード１７２５を記憶し得る。代替的に、コード１７２５は、ＵＥプロセッサモジュール１７１０によって直接的に実行可能ではないが、（たとえば、コンパイルされ、実行されたとき）本明細書で説明される機能のうちのいくつかをＵＥ１７１５に実行させるように構成され得る。
【０１５８】
[0174]  ＵＥプロセッサモジュール１７１０は、インテリジェントハードウェアデバイス、たとえば、中央処理ユニット（ＣＰＵ）、マイクロコントローラ、ＡＳＩＣなどを含み得る。ＵＥプロセッサモジュール１７１０は、（１つまたは複数の）ＵＥトランシーバモジュール１７３０を通して受信された情報、または（１つまたは複数の）ＵＥアンテナ１７４０を通した送信のために（１つまたは複数の）ＵＥトランシーバモジュール１７３０に送られるべき情報を処理し得る。ＵＥプロセッサモジュール１７１０は、単独で、またはＵＥワイヤレス通信管理モジュール１７６０とともに、認可無線周波数スペクトル帯域（たとえば、ＬＴＥ／ＬＴＥ−Ａ通信のために使用可能な認可無線周波数スペクトル帯域など、無線周波数スペクトル帯域が、特定の使用のために特定のユーザに認可されているので、装置がそれのためにアクセスを求めて競合しない、無線周波数スペクトル帯域）または共有無線周波数スペクトル帯域（たとえば、無線周波数スペクトル帯域が、Ｗｉ−Ｆｉ使用など、無認可使用のために利用可能であるので、装置がそれのためにアクセスを求めて競合する、無線周波数スペクトル帯域）上で通信する（またはその帯域上での通信を管理する）様々な態様を扱い得る。
【０１５９】
[0175]  （１つまたは複数の）ＵＥトランシーバモジュール１７３０は、パケットを変調し、変調されたパケットを送信のために（１つまたは複数の）ＵＥアンテナ１７４０に与え、（１つまたは複数の）ＵＥアンテナ１７４０から受信されたパケットを復調するように構成されたモデムを含み得る。（１つまたは複数の）ＵＥトランシーバモジュール１７３０は、いくつかの例では、１つまたは複数のＵＥ送信機モジュールおよび１つまたは複数の別個のＵＥ受信機モジュールとして実装され得る。（１つまたは複数の）ＵＥトランシーバモジュール１７３０は、認可無線周波数スペクトル帯域または共有無線周波数スペクトル帯域中の通信をサポートし得る。（１つまたは複数の）ＵＥトランシーバモジュール１７３０は、（１つまたは複数の）ＵＥアンテナ１７４０を介して、図１、図２、または図３を参照しながら説明された基地局１０５、２０５、２０５−ａ、または３０５のうちの１つまたは複数、あるいは図１１、図１２、図１４、または図１６を参照しながら説明された装置１１１５、１２１５、１４１５、または１６１５のうちの１つまたは複数と双方向に通信するように構成され得る。ＵＥ１７１５は単一のＵＥアンテナを含み得るが、ＵＥ１７１５が複数のＵＥアンテナ１７４０を含み得る例があり得る。
【０１６０】
[0176]  ＵＥ状態モジュール（state module）１７５０は、たとえば、ＲＲＣアイドル状態とＲＲＣ接続状態との間のＵＥ１７１５の遷移を管理するために使用され得、１つまたは複数のバス１７３５上で、直接または間接的に、ＵＥ１７１５の他の構成要素と通信していることがある。ＵＥ状態モジュール１７５０、またはそれの部分はプロセッサを含み得、あるいはＵＥ状態モジュール１７５０の機能の一部または全部は、ＵＥプロセッサモジュール１７１０によって実行されるか、またはＵＥプロセッサモジュール１７１０とともに実行され得る。
【０１６１】
[0177]  ＵＥワイヤレス通信管理モジュール１７６０は、認可無線周波数スペクトル帯域または共有無線周波数スペクトル帯域上でのワイヤレス通信に関係する図１、図２、図３、図４、図５、図６、図７、図８、図９、図１０、図１１、図１２、図１３、または図１５を参照しながら説明されたＵＥまたは装置の特徴または機能の一部または全部を実行または制御するように構成され得る。たとえば、ＵＥワイヤレス通信管理モジュール１７６０は、認可無線周波数スペクトル帯域または共有無線周波数スペクトル帯域を使用して、補足ダウンリンクモード、キャリアアグリゲーションモード、スタンドアロンモード、またはデュアル接続性モードをサポートするように構成され得る。ＵＥワイヤレス通信管理モジュール１７６０は、認可無線周波数スペクトル帯域中でのＬＴＥ／ＬＴＥ−Ａ通信を扱うように構成された、認可ＲＦスペクトル帯域のためのＵＥ  ＬＴＥ／ＬＴＥ−Ａモジュール１７６５と、共有無線周波数スペクトル帯域中でのＬＴＥ／ＬＴＥ−Ａ通信を扱うように構成された、共有ＲＦスペクトル帯域のためのＵＥ  ＬＴＥ／ＬＴＥ−Ａモジュール１７７０とを含み得る。ＵＥワイヤレス通信管理モジュール１７６０、またはそれの部分はプロセッサを含み得、あるいはＵＥワイヤレス通信管理モジュール１７６０の機能の一部または全部は、ＵＥプロセッサモジュール１７１０によって実行されるか、またはＵＥプロセッサモジュール１７１０とともに実行され得る。いくつかの例では、ＵＥワイヤレス通信管理モジュール１７６０は、図１１、図１２、図１３、または図１５を参照しながら説明されたワイヤレス通信管理モジュール１１２０、１２２０、１３２０、または１５２０の一例であり得る。
【０１６２】
[0178]  図１８は、本開示の態様による、ワイヤレス通信において使用するための基地局１８０５（たとえば、ｅＮＢの一部または全部を形成する基地局）のブロック図１８００を示す。いくつかの例では、基地局１８０５は、図１、図２、または図３を参照しながら説明された基地局１０５、２０５、２０５−ａ、または３０５のうちの１つまたは複数の態様の一例であり得る。基地局１８０５は、図１、図２、図３、図４、図５、図６、図７、図８、図９、図１０、図１１、図１２、図１４、または図１６を参照しながら説明された基地局の特徴および機能のうちの少なくともいくつかを実装するかまたは可能にするように構成され得る。
【０１６３】
[0179]  基地局１８０５は、基地局プロセッサモジュール１８１０、基地局メモリモジュール１８２０、（（１つまたは複数の）基地局トランシーバモジュール１８５０によって表される）少なくとも１つの基地局トランシーバモジュール、（（１つまたは複数の）基地局アンテナ１８５５によって表される）少なくとも１つの基地局アンテナ、または基地局ワイヤレス通信管理モジュール１８６０を含み得る。基地局１８０５はまた、基地局通信モジュール１８３０またはネットワーク通信モジュール１８４０のうちの１つまたは複数を含み得る。これらの構成要素の各々は、１つまたは複数のバス１８３５上で、直接または間接的に、互いと通信していることがある。
【０１６４】
[0180]  基地局メモリモジュール１８２０はＲＡＭまたはＲＯＭを含み得る。基地局メモリモジュール１８２０は、実行されたとき、ＰＵＣＣＨ  ＡＣＫ／ＮＡＫペイロード中に含まれるべきビット数に少なくとも部分的に基づくＰＵＣＣＨ  ＡＣＫ／ＮＡＫペイロードのフォーマットの選択を含む、ワイヤレス通信に関係する本明細書で説明される様々な機能を基地局プロセッサモジュール１８１０に実行させるように構成された命令を含んでいるコンピュータ可読、コンピュータ実行可能コード１８２５を記憶し得る。代替的に、コード１８２５は、基地局プロセッサモジュール１８１０によって直接的に実行可能ではないが、（たとえば、コンパイルされ、実行されたとき）本明細書で説明される機能のうちのいくつかを基地局１８０５に実行させるように構成され得る。
【０１６５】
[0181]  基地局プロセッサモジュール１８１０は、インテリジェントハードウェアデバイス、たとえば、ＣＰＵ、マイクロコントローラ、ＡＳＩＣなどを含み得る。基地局プロセッサモジュール１８１０は、（１つまたは複数の）基地局トランシーバモジュール１８５０、基地局通信モジュール１８３０、またはネットワーク通信モジュール１８４０を通して受信された情報を処理し得る。基地局プロセッサモジュール１８１０はまた、（１つまたは複数の）アンテナ１８５５を通した送信のために（１つまたは複数の）トランシーバモジュール１８５０に送られるべき情報、１つまたは複数の他の基地局１８０５−ａおよび１８０５−ｂへの送信のために基地局通信モジュール１８３０に送られるべき情報、または図１を参照しながら説明されたコアネットワーク１３０の１つまたは複数の態様の一例であり得る、コアネットワーク１８４５への送信のためにネットワーク通信モジュール１８４０に送られるべき情報を処理し得る。基地局プロセッサモジュール１８１０は、単独で、または基地局ワイヤレス通信管理モジュール１８６０とともに、認可無線周波数スペクトル帯域（たとえば、ＬＴＥ／ＬＴＥ−Ａ通信のために使用可能な認可無線周波数スペクトル帯域など、無線周波数スペクトル帯域が、特定の使用のために特定のユーザに認可されているので、装置がそれのためにアクセスを求めて競合しない、無線周波数スペクトル帯域）または共有無線周波数スペクトル帯域（たとえば、無線周波数スペクトル帯域が、Ｗｉ−Ｆｉ使用など、無認可使用のために利用可能であるので、装置がそれのためにアクセスを求めて競合する、無線周波数スペクトル帯域）上で通信する（またはその帯域上での通信を管理する）様々な態様を扱い得る。
【０１６６】
[0182]  （１つまたは複数の）基地局トランシーバモジュール１８５０は、パケットを変調し、変調されたパケットを送信のために（１つまたは複数の）基地局アンテナ１８５５に与え、（１つまたは複数の）基地局アンテナ１８５５から受信されたパケットを復調するように構成されたモデムを含み得る。（１つまたは複数の）基地局トランシーバモジュール１８５０は、いくつかの例では、１つまたは複数の基地局送信機モジュールおよび１つまたは複数の別個の基地局受信機モジュールとして実装され得る。（１つまたは複数の）基地局トランシーバモジュール１８５０は、認可無線周波数スペクトル帯域または共有無線周波数スペクトル帯域中での通信をサポートし得る。（１つまたは複数の）基地局トランシーバモジュール１８５０は、（１つまたは複数の）アンテナ１８５５を介して、図１、図２、または図１７を参照しながら説明されたＵＥ１１５、２１５、２１５−ａ、２１５−ｂ、２１５−ｃ、または１７１５のうちの１つまたは複数、あるいは図１１、図１２、図１３、または図１５を参照しながら説明された装置１１１５、１２１５、１３１５、または１５１５のうちの１つまたは複数など、１つまたは複数のＵＥまたは装置と双方向に通信するように構成され得る。基地局１８０５は、たとえば、複数の基地局アンテナ１８５５（たとえば、アンテナアレイ）を含み得る。基地局１８０５は、ネットワーク通信モジュール１８４０を通してコアネットワーク１８４５と通信し得る。基地局１８０５はまた、基地局通信モジュール１８３０を使用して、基地局１８０５−ａおよび１８０５−ｂなど、他の基地局と通信し得る。
【０１６７】
[0183]  基地局ワイヤレス通信管理モジュール１８６０は、認可無線周波数スペクトル帯域または共有無線周波数スペクトル帯域上でのワイヤレス通信に関係する図１、図２、図３、図４、図５、図６、図７、図８、図９、図１０、図１１、図１２、図１４、または図１６を参照しながら説明された特徴または機能の一部または全部を実行または制御するように構成され得る。たとえば、基地局ワイヤレス通信管理モジュール１８６０は、認可無線周波数スペクトル帯域または共有無線周波数スペクトル帯域を使用して、補足ダウンリンクモード、キャリアアグリゲーションモード、スタンドアロンモード使用すること、またはデュアル接続性モードをサポートするように構成され得る。基地局ワイヤレス通信管理モジュール１８６０は、認可無線周波数スペクトル帯域中でのＬＴＥ／ＬＴＥ−Ａ通信を扱うように構成された、認可ＲＦスペクトル帯域のための基地局ＬＴＥ／ＬＴＥ−Ａモジュール１８６５と、共有無線周波数スペクトル帯域中でのＬＴＥ／ＬＴＥ−Ａ通信を扱うように構成された、共有ＲＦスペクトル帯域のための基地局ＬＴＥ／ＬＴＥ−Ａモジュール１８７０とを含み得る。基地局ワイヤレス通信管理モジュール１８６０、またはそれの部分はプロセッサを含み得、あるいは基地局ワイヤレス通信管理モジュール１８６０の機能の一部または全部は、基地局プロセッサモジュール１８１０によって実行されるか、または基地局プロセッサモジュール１８１０とともに実行され得る。いくつかの例では、基地局ワイヤレス通信管理モジュール１８６０は、図１１、図１２、図１４、または図１６を参照しながら説明されたワイヤレス通信管理モジュール１１２０、１２２０、１４２０、または１６２０の一例であり得る。
【０１６８】
[0184]  図１９は、本開示の様々な態様による、基地局１９０５とＵＥ１９１５とを含む多入力多出力（ＭＩＭＯ）通信システム１９００のブロック図である。ＭＩＭＯ通信システム１９００は、図１、図２、または図３を参照しながら説明されたワイヤレス通信システム１００、２００、または３００の態様を示し得る。基地局１９０５は、図１、図２、または図１８を参照しながら説明された基地局１０５、２０５、２０５−ａ、または１８０５の態様、あるいは１１、１２、１４、または１６を参照しながら説明された装置１１１５、１２１５、１４１５または１６１５の態様の一例であり得る。基地局１９０５はアンテナ１９３４〜１９３５を装備し得、ＵＥ１９１５はアンテナ１９５２〜１９５３を装備し得る。ＭＩＭＯ通信システム１９００では、基地局１９０５は、同時に複数の通信リンク上でデータを送ることが可能であり得る。各通信リンクは「レイヤ（layer）」と呼ばれることがあり、通信リンクの「ランク（rank）」は、通信のために使用されるレイヤの数を示し得る。たとえば、基地局１９０５が２つの「レイヤ」を送信する２×２ＭＩＭＯ通信システムでは、基地局１９０５とＵＥ１９１５との間の通信リンクのランクは２である。
【０１６９】
[0185]  基地局１９０５において、送信プロセッサ１９２０がデータソースからデータを受信し得る。送信プロセッサ１９２０はデータを処理し得る。送信プロセッサ１９２０はまた、制御シンボルまたは基準シンボルを生成し得る。送信（Ｔｘ）ＭＩＭＯプロセッサ１９３０が、適用可能な場合、データシンボル、制御シンボル、または基準シンボルに対して空間処理（たとえば、プリコーディング）を実行し得、出力シンボルストリームを送信変調器１９３２〜１９３３に与え得る。各変調器１９３２〜１９３３は、出力サンプルストリームを取得するために、（たとえば、ＯＦＤＭなどのために）それぞれの出力シンボルストリームを処理し得る。各変調器１９３２〜１９３３はさらに、ＤＬ信号を取得するために、出力サンプルストリームを処理（たとえば、アナログへの変換、増幅、フィルタ処理、およびアップコンバート）し得る。一例では、変調器１９３２〜１９３３からのＤＬ信号は、それぞれアンテナ１９３４〜１９３５を介して送信され得る。
【０１７０】
[0186]  ＵＥ１９１５は、図１、図２、または図１７を参照しながら説明されたＵＥ１１５、２１５、２１５−ａ、２１５−ｂ、２１５−ｃ、または１７１５の態様、あるいは図１１、図１２、図１３、または図１５を参照しながら説明された装置１１１５、１２１５、１３１５、または１５１５の態様の一例であり得る。ＵＥ１９１５において、ＵＥアンテナ１９５２〜１９５３は、基地局１９０５からＤＬ信号を受信し得、受信信号をそれぞれ復調器１９５４〜１９５５に与え得る。各復調器１９５４〜１９５５は、入力サンプルを取得するために、それぞれの受信信号を調整（たとえば、フィルタ処理、増幅、ダウンコンバート、およびデジタル化）し得る。各復調器１９５４〜１９５５はさらに、受信シンボルを取得するために、（たとえば、ＯＦＤＭなどのために）入力サンプルを処理し得る。ＭＩＭＯ検出器１９５６が、すべての復調器１９５４〜１９５５から受信シンボルを取得し、適用可能な場合は受信シンボルに対してＭＩＭＯ検出を実行し、検出されたシンボルを与え得る。受信（Ｒｘ）プロセッサ１９５８は、検出されたシンボルを処理（たとえば、復調、デインターリーブ、および復号）し、ＵＥ１９１５のための復号されたデータをデータ出力に与え、復号された制御情報をプロセッサ１９８０、またはメモリ１９８２に与え得る。
【０１７１】
[0187]  プロセッサ１９８０は、いくつかの場合には、ワイヤレス通信管理モジュール１９８４をインスタンス化するための記憶された命令を実行し得る。ワイヤレス通信管理モジュール１９８４は、図１１、図１２、図１３、図１５、または図１７を参照しながら説明されたワイヤレス通信管理モジュール１１２０、１２２０、１３２０、１５２０、または１７６０の態様の一例であり得る。
【０１７２】
[0188]  アップリンク（ＵＬ）上で、ＵＥ１９１５において、送信プロセッサ１９６４が、データソースからデータを受信し、処理し得る。送信プロセッサ１９６４はまた、基準信号のための基準シンボルを生成し得る。送信プロセッサ１９６４からのシンボルは、適用可能な場合は送信ＭＩＭＯプロセッサ１９６６によってプリコーディングされ、さらに（たとえば、ＳＣ−ＦＤＭＡなどのために）変調器１９５４〜１９５５によって処理され、基地局１９０５から受信された送信パラメータに従って基地局１９０５に送信され得る。基地局１９０５において、ＵＥ１９１５からのＵＬ信号がアンテナ１９３４〜１９３５によって受信され、復調器１９３２〜１９３３によって処理され、適用可能な場合はＭＩＭＯ検出器１９３６によって検出され、受信プロセッサ１９３８によってさらに処理され得る。受信プロセッサ１９３８は、復号されたデータをデータ出力とプロセッサ１９４０またはメモリ１９４２とに与え得る。
【０１７３】
[0189]  プロセッサ１９４０は、いくつかの場合には、ワイヤレス通信管理モジュール１９８６をインスタンス化するための記憶された命令を実行し得る。ワイヤレス通信管理モジュール１９８６は、図１１、図１２、図１４、図１６、または図１８を参照しながら説明されたワイヤレス通信管理モジュール１１２０、１２２０、１４２０、１６２０、または１８６０の態様の一例であり得る。
【０１７４】
[0190]  ＵＥ１９１５の構成要素は、適用可能な機能の一部または全部をハードウェアで実行するように適応された１つまたは複数のＡＳＩＣを用いて、個々にまたはまとめて実装され得る。言及されたモジュールの各々は、ＭＩＭＯ通信システム１９００の動作に関係する１つまたは複数の機能を実行するための手段であり得る。同様に、基地局１９０５の構成要素は、適用可能な機能の一部または全部をハードウェアで実行するように適応された１つまたは複数のＡＳＩＣを用いて、個々にまたはまとめて実装され得る。言及された構成要素の各々は、ＭＩＭＯ通信システム１９００の動作に関係する１つまたは複数の機能を実行するための手段であり得る。
【０１７５】
[0191]  図２０は、本開示の様々な態様による、ワイヤレス通信のための例示的な方法２０００を示すフローチャートである。明快のために、方法２０００は、図１、図２、図１７、または図１８を参照しながら説明されたＵＥ１１５、２１５、２１５−ａ、２１５−ｂ、２１５−ｃ、１７１５、または１８１５のうちの１つまたは複数の態様、図１、図２、図１８、または図１９を参照しながら説明された基地局１０５、２０５、２０５−ａ、１８０５、または１９０５のうちの１つまたは複数の態様、あるいは図１１、図１２、図１３、図１４、図１５、または図１６を参照しながら説明された装置１１１５、１２１５、１３１５、１４１５、１５１５、または１６１５のうちの１つまたは複数の態様に関して以下で説明される。いくつかの例では、ＵＥ、基地局、または装置は、以下で説明される機能を実行するようにＵＥ、基地局、または装置の機能要素を制御するためのコードの１つまたは複数のセットを実行し得る。追加または代替として、ＵＥ、基地局、または装置は、専用ハードウェアを使用して、以下で説明される機能のうちの１つまたは複数を実行し得る。
【０１７６】
[0192]  ブロック２００５において、方法２０００は、報告間隔中にＵＥのためにスケジュールされたダウンリンクＣＣの数に少なくとも部分的に基づいて、報告間隔についてＰＵＣＣＨ  ＡＣＫ／ＮＡＫペイロード中に含まれるべきビット数を決定することを含み得る。ブロック２００５における（１つまたは複数の）動作は、図１１、図１２、図１３、図１４、図１５、図１６、図１７、図１８、または図１９を参照しながら説明されたワイヤレス通信管理モジュール１１２０、１２２０、１３２０、１４２０、１５２０、１６２０、１７６０、１８６０、１９８４、または１９８６、あるいは図１１、図１２、図１３、図１４、図１５、または図１６を参照しながら説明されたＡＣＫ／ＮＡＫペイロードサイズ決定モジュール１１３５、１２３５、１３３５、１４３５、１５３５、または１６３５を使用して実行され得る。
【０１７７】
[0193]  ブロック２０１０において、方法２０００は、決定されたビット数に少なくとも部分的に基づいて、ＰＵＣＣＨ  ＡＣＫ／ＮＡＫペイロードのフォーマットを選択することを含み得る。ブロック２０１０における（１つまたは複数の）動作は、図１１、図１２、図１３、図１４、図１５、図１６、図１７、図１８、または図１９を参照しながら説明されたワイヤレス通信管理モジュール１１２０、１２２０、１３２０、１４２０、１５２０、１６２０、１７６０、１８６０、１９８４、または１９８６、あるいは図１１、図１２、図１３、図１４、図１５、または図１６を参照しながら説明されたＡＣＫ／ＮＡＫペイロードフォーマット選択モジュール１１４０、１２４０、１３４０、１４４０、１５４０、または１６４０を使用して実行され得る。
【０１７８】
[0194]  方法２０００のいくつかの例では、ＰＵＣＣＨ  ＡＣＫ／ＮＡＫペイロードのフォーマットを選択することは、ＰＵＣＣＨ  ＡＣＫ／ＮＡＫペイロードのための複数のあらかじめ定義されたフォーマットのうちの１つを選択することを含み得る。ＰＵＣＣＨ  ＡＣＫ／ＮＡＫペイロードのためのあらかじめ定義されたフォーマットは、たとえば、ＲＢ内のＵＥ多重化密度、拡散率、またはシンボル期間ごとに割り振られるＲＢの数の異なる組合せを含み得る。いくつかの例では、ＰＵＣＣＨ  ＡＣＫ／ＮＡＫペイロードのためのあらかじめ定義されたフォーマットの各々は、（たとえば、あらかじめ定義されたフォーマットが、ノーマルＣＰを用いる、サブフレームのスロット中での、送信のために構成されたとき）スロットごとに２つの基準信号シンボル期間を含むフォーマットに少なくとも部分的に基づき得る。いくつかの例では、ＰＵＣＣＨ  ＡＣＫ／ＮＡＫペイロードのためのあらかじめ定義されたフォーマットの各々は、（たとえば、あらかじめ定義されたフォーマットが、拡張ＣＰを用いる、サブフレームのスロット中での、送信のために構成されたとき）スロットごとに１つの基準信号シンボル期間を含むフォーマットに少なくとも部分的に基づき得る。
【０１７９】
[0195]  ＵＥによって実行される方法２０００の例では、方法２０００は、ＵＥにおいて、ＵＥのためにスケジュールされたダウンリンクＣＣを示すいくつかのダウンリンク許可を受信することを含み得る。これらの例では、ＰＵＣＣＨ  ＡＣＫ／ＮＡＫペイロードのフォーマットを選択することは、ＰＵＣＣＨ  ＡＣＫ／ＮＡＫペイロードを送信するために使用されるフォーマットを選択することを含み得る。
【０１８０】
[0196]  基地局によって実行される方法２０００の例では、方法２０００は、基地局からＵＥに、ＵＥのためにスケジュールされたダウンリンクＣＣを示す複数のダウンリンク許可を送信することを含み得る。本方法のこれらの例では、ＰＵＣＣＨ  ＡＣＫ／ＮＡＫペイロードのフォーマットを選択することは、ＰＵＣＣＨ  ＡＣＫ／ＮＡＫペイロードを復号するために使用されるフォーマットを選択することを含み得る。
【０１８１】
[0197]  したがって、方法２０００はワイヤレス通信を提供し得る。方法２０００は一実装形態にすぎないこと、および方法２０００の動作は、他の実装形態が可能であるように、並べ替えられるかまたは場合によっては変更され得ることに留意されたい。
【０１８２】
[0198]  図２１は、本開示の様々な態様による、ワイヤレス通信のための例示的な方法２１００を示すフローチャートである。明快のために、方法２１００は、図１、図２、図１７、または図１８を参照しながら説明されたＵＥ１１５、２１５、２１５−ａ、２１５−ｂ、２１５−ｃ、１７１５、または１８１５のうちの１つまたは複数の態様、図１、図２、図１８、または図１９を参照しながら説明された基地局１０５、２０５、２０５−ａ、１８０５、または１９０５のうちの１つまたは複数の態様、あるいは図１１、図１２、図１３、図１４、図１５、または図１６を参照しながら説明された装置１１１５、１２１５、１３１５、１４１５、１５１５、または１６１５のうちの１つまたは複数の態様に関して以下で説明される。いくつかの例では、ＵＥ、基地局、または装置は、以下で説明される機能を実行するようにＵＥ、基地局、または装置の機能要素を制御するためのコードの１つまたは複数のセットを実行し得る。追加または代替として、ＵＥ、基地局、または装置は、専用ハードウェアを使用して、以下で説明される機能のうちの１つまたは複数を実行し得る。
【０１８３】
[0199]  ブロック２１０５において、方法２００は、報告間隔中にＵＥのためにスケジュールされたダウンリンクＣＣの数に少なくとも部分的に基づいて、報告間隔についてＰＵＣＣＨ  ＡＣＫ／ＮＡＫペイロード中に含まれるべきビット数を決定することを含み得る。ブロック２１０５における（１つまたは複数の）動作は、図１１、図１２、図１３、図１４、図１５、図１６、図１７、図１８、または図１９を参照しながら説明されたワイヤレス通信管理モジュール１１２０、１２２０、１３２０、１４２０、１５２０、１６２０、１７６０、１８６０、１９８４、または１９８６、あるいは図１１、図１２、図１３、図１４、図１５、または図１６を参照しながら説明されたＡＣＫ／ＮＡＫペイロードサイズ決定モジュール１１３５、１２３５、１３３５、１４３５、１５３５、または１６３５を使用して実行され得る。
【０１８４】
[0200]  ブロック２１１０および２１１５において、ＰＵＣＣＨ  ＡＣＫ／ＮＡＫのフォーマットは、決定されたビット数に少なくとも部分的に基づいて選択され得る。より詳細には、ブロック１６１０において、方法２１００は、ＰＵＣＣＨ  ＡＣＫ／ＮＡＫペイロード中に含まれるべきビット数を複数のビット範囲と比較することを含み得る。ブロック２１１０における（１つまたは複数の）動作は、図１１、図１２、図１３、図１４、図１５、図１６、図１７、図１８、または図１９を参照しながら説明されたワイヤレス通信管理モジュール１１２０、１２２０、１３２０、１４２０、１５２０、１６２０、１７６０、１８６０、１９８４、または１９８６、あるいは図１２を参照しながら説明されたＡＣＫ／ＮＡＫペイロードサイズ比較モジュール１２４５を使用して実行され得る。
【０１８５】
[0201]  ブロック２１１５において、方法２１００は、ブロック２１１０において実行された比較することに少なくとも部分的に基づいて、ＰＵＣＣＨ  ＡＣＫ／ＮＡＫペイロードのフォーマットを選択することを含み得る。いくつかの例では、ＰＵＣＣＨ  ＡＣＫ／ＮＡＫペイロードの選択されたフォーマットは、スロットごとに２つの基準信号シンボル期間を含むフォーマットに少なくとも部分的に基づき得る。ブロック２１１５における（１つまたは複数の）動作は、図１１、図１２、図１３、図１４、図１５、図１６、図１７、図１８、または図１９を参照しながら説明されたワイヤレス通信管理モジュール１１２０、１２２０、１３２０、１４２０、１５２０、１６２０、１７６０、１８６０、１９８４、または１９８６、あるいは図１１、図１２、図１３、図１４、図１５、または図１６を参照しながら説明されたＡＣＫ／ＮＡＫペイロードフォーマット選択モジュール１１４０、１２４０、１３４０、１４４０、１５４０、または１６４０を使用して実行され得る。
【０１８６】
[0202]  方法２１００のいくつかの例では、ＰＵＣＣＨ  ＡＣＫ／ＮＡＫペイロードの選択されたフォーマットは、（たとえば、選択されたフォーマットが、ノーマルＣＰを用いる、サブフレームのスロット中での、送信のためのものであるとき）スロットごとに２つの基準信号シンボル期間を含むフォーマットに少なくとも部分的に基づき得る。いくつかの例では、ＰＵＣＣＨ  ＡＣＫ／ＮＡＫペイロードの選択されたフォーマットは、（たとえば、選択されたフォーマットが、拡張ＣＰを用いる、サブフレームのスロット中での、送信のためのものであるとき）スロットごとに１つの基準信号シンボル期間を含むフォーマットに少なくとも部分的に基づき得る。
【０１８７】
[0203]  方法２１００のいくつかの例では、ＰＵＣＣＨ  ＡＣＫ／ＮＡＫペイロードの選択されたフォーマットは、少なくとも４つのＵＥ（たとえば、４つまたは５つのＵＥ）の、ＲＢ内のＵＥ多重化密度を含み得る。そのようなフォーマット（すなわち、第１のフォーマット）は、たとえば、ＡＣＫ／ＮＡＫペイロード中に含まれるべきビット数が２１個またはより少ないビット（または１から２１個までのビット）であり、ＲＢが、図４または図５を参照しながら説明されたように構成されたとき、選択され得る。
【０１８８】
[0204]  方法２１００のいくつかの例では、ＰＵＣＣＨ  ＡＣＫ／ＮＡＫペイロードの選択されたフォーマットは、２つのＵＥの、ＲＢ内のＵＥ多重化密度を含み得る。選択されたフォーマットはまた、シンボル期間の少なくとも２つのグループを含み得、ここで、シンボル期間の少なくとも２つのグループの各々は少なくとも１つのシンボルを含み、ここで、シンボル期間の少なくとも２つのグループの各々内で拡散が独立して適用される。そのようなフォーマット（すなわち、第２のフォーマット）は、たとえば、ＡＣＫ／ＮＡＫペイロード中に含まれるべきビット数が６０個またはより少ないビット（または２２から６０個までのビット）であり、ＲＢが、図４または図５を参照しながら説明されたように構成されたとき、選択され得る。
【０１８９】
[0205]  第２のフォーマットの第１の例では、拡散率３が３つのシンボル期間の第１のグループに適用され得、拡散率２が２つのシンボル期間の第２のグループに適用され得、拡散率３を適用するときに、３つのＯＣＣのうちの２つが使用され得る。第２のフォーマットの第２の例では、第１の拡散率２が１つのシンボル期間の第１のグループに適用され得、第２の拡散率２が２つのシンボル期間の第２のグループに適用され得、第３の拡散率２が２つのシンボル期間の第３のグループ内に適用され得る。第２のフォーマットの第２の例では、第１の拡散率は、ウォルシュコードを使用して、または直交ＦＦＴ行列の要素を使用して適用され得る。第２のフォーマットの第３の例では、複数の拡散率２の各拡散率は複数のシンボル期間のそれぞれのシンボル期間に適用され得る。第２のフォーマットの第３の例では、複数の拡散率２の各拡散率が、ウォルシュコードを使用して、または直交ＦＦＴ行列の要素を使用して適用され得る。
【０１９０】
[0206]  方法２１００のいくつかの例では、ＰＵＣＣＨ  ＡＣＫ／ＮＡＫペイロードの選択されたフォーマットは、ＲＢ内のＵＥ多重化を含まず、拡散率を含まず、１のシンボル期間ごとのＲＢ割振りを含み得る。そのようなフォーマット（すなわち、第３のフォーマット）は、たとえば、ＡＣＫ／ＮＡＫペイロード中に含まれるべきビット数が１２０個またはより少ないビット（または６１から１２０個までのビット）であり、ＲＢが、図４または図５を参照しながら説明されたように構成されたとき、選択され得る。
【０１９１】
[0207]  方法２１００のいくつかの例では、ＰＵＣＣＨ  ＡＣＫ／ＮＡＫペイロードの選択されたフォーマットは、ＲＢ内のＵＥ多重化を含まず、拡散率を含まず、２のシンボル期間ごとのＲＢ割振りを含み得る。そのようなフォーマット（すなわち、第４のフォーマット）は、たとえば、ＡＣＫ／ＮＡＫペイロード中に含まれるべきビット数が２４０個またはより少ないビット（または１２１から２４０個までのビット）であり、ＲＢが、図４または図５を参照しながら説明されたように構成されたとき、選択され得る。
【０１９２】
[0208]  方法２１００のいくつかの例では、ＰＵＣＣＨ  ＡＣＫ／ＮＡＫペイロードの選択されたフォーマットは、ＲＢ内のＵＥ多重化を含まず、拡散率を含まず、３のシンボル期間ごとのＲＢ割振りを含み得る。そのようなフォーマット（すなわち、第５のフォーマット）は、たとえば、ＡＣＫ／ＮＡＫペイロード中に含まれるべきビット数が３６０個またはより少ないビット（または２４１から３６０個までのビット）であり、ＲＢが、図４または図５を参照しながら説明されたように構成されたとき、選択され得る。
【０１９３】
[0209]  したがって、方法２１００はワイヤレス通信を提供し得る。方法２１００は一実装形態にすぎないこと、および方法２１００の動作は、他の実装形態が可能であるように、並べ替えられるかまたは場合によっては変更され得ることに留意されたい。
【０１９４】
[0210]  図２２は、本開示の様々な態様による、ワイヤレス通信のための例示的な方法２２００を示すフローチャートである。明快のために、方法２２００は、図１、図２、図１７、または図１８を参照しながら説明されたＵＥ１１５、２１５、２１５−ａ、２１５−ｂ、２１５−ｃ、１７１５、または１８１５のうちの１つまたは複数の態様、あるいは図１１、図１２、図１３、または図１５を参照しながら説明された装置１１１５、１２１５、１３１５、または１５１５のうちの１つまたは複数の態様に関して以下で説明される。いくつかの例では、ＵＥまたは装置は、以下で説明される機能を実行するようにＵＥまたは装置の機能要素を制御するためのコードの１つまたは複数のセットを実行し得る。追加または代替として、ＵＥまたは装置は、専用ハードウェアを使用して、以下で説明される機能のうちの１つまたは複数を実行し得る。
【０１９５】
[0211]  ブロック２２０５において、方法２２００は、ＵＥのための複数のダウンリンクＣＣの割振りを識別することを含み得る。ブロック２２０５における（１つまたは複数の）動作は、図１１、図１２、図１３、図１５、図１７、または図１９を参照しながら説明されたワイヤレス通信管理モジュール１１２０、１２２０、１３２０、１５２０、１７６０、または１９８４、あるいは図１３を参照しながら説明されたダウンリンクＣＣ識別モジュール１３４５を使用して実行され得る。
【０１９６】
[0212]  ブロック２２１０において、方法２２００は、複数のダウンリンクＣＣ内のダウンリンクＣＣの少なくとも第１のサブセットを識別することを含み得る。また、ダウンリンクＣＣの追加のサブセットが識別され得る（たとえば、ダウンリンクＣＣの第２のサブセットなど）。ブロック２２１０における（１つまたは複数の）動作は、図１１、図１２、図１３、図１５、図１７、または図１９を参照しながら説明されたワイヤレス通信管理モジュール１１２０、１２２０、１３２０、１５２０、１７６０、または１９８４、あるいは図１３を参照しながら説明されたダウンリンクＣＣサブセット識別モジュール１３５０を使用して実行され得る。
【０１９７】
[0213]  ブロック２２１５において、方法２２００は、報告間隔中にＵＥのためにスケジュールされたダウンリンクＣＣの第１のサブセット中のダウンリンクＣＣの数に少なくとも部分的に基づいて、報告間隔について第１のＰＵＣＣＨ  ＡＣＫ／ＮＡＫペイロード中に含まれるべきビット数を決定することを含み得る。ブロック２２１５において実行される（１つまたは複数の）動作はまた、（たとえば、ダウンリンクＣＣの第２のサブセットのための）報告間隔中にＵＥのためにスケジュールされたダウンリンクＣＣの１つまたは複数の追加のサブセットの各々中のダウンリンクＣＣの数に少なくとも部分的に基づいて、報告間隔について、１つまたは複数の追加のＰＵＣＣＨ  ＡＣＫ／ＮＡＫペイロード（たとえば、第２のＰＵＣＣＨ  ＡＣＫ／ＮＡＫペイロード）の各々中に含まれるべきビット数を決定することを含み得る。ブロック２２１５における（１つまたは複数の）動作は、図１１、図１２、図１３、図１５、図１７、または図１９を参照しながら説明されたワイヤレス通信管理モジュール１１２０、１２２０、１３２０、１５２０、１７６０、または１９８４、あるいは図１１、図１２、図１３、または図１５を参照しながら説明されたＡＣＫ／ＮＡＫペイロードサイズ決定モジュール１１３５、１２３５、１３３５、または１５３５を使用して実行され得る。
【０１９８】
[0214]  ブロック２２２０において、方法２２００は、第１のＰＵＣＣＨ  ＡＣＫ／ＮＡＫペイロードのための決定されたビット数に少なくとも部分的に基づいて、第１のＰＵＣＣＨ  ＡＣＫ／ＮＡＫペイロードのフォーマットを選択することを含み得る。ブロック２２２０における（１つまたは複数の）動作はまた、ダウンリンクＣＣの１つまたは複数の追加のサブセット（たとえば、ダウンリンクＣＣの第２のサブセット）の各々の（１つまたは複数の）ＰＵＣＣＨ  ＡＣＫ／ＮＡＫペイロードのための決定されたビット数に少なくとも部分的に基づいて、１つまたは複数の追加のＰＵＣＣＨ  ＡＣＫ／ＮＡＫペイロード（たとえば、第２のＰＵＣＣＨ  ＡＣＫ／ＮＡＫペイロード）の各々のフォーマットを選択することを含み得る。ブロック２２２０における（１つまたは複数の）動作は、図１１、図１２、図１３、図１５、図１７、または図１９を参照しながら説明されたワイヤレス通信管理モジュール１１２０、１２２０、１３２０、１５２０、１７６０、または１９８４、あるいは図１１、図１２、図１３、または図１５を参照しながら説明されたＡＣＫ／ＮＡＫペイロードフォーマット選択モジュール１１４０、１２４０、１３４０、または１５４０を使用して実行され得る。
【０１９９】
[0215]  ブロック２２２５において、方法２２００は、第１のアップリンクＣＣ上で第１のＰＵＣＣＨ  ＡＣＫ／ＮＡＫペイロードを送信することと、報告間隔について第２のアップリンクＣＣ上で追加のＰＵＣＣＨ  ＡＣＫ／ＮＡＫペイロード（たとえば、第２のＡＣＫ／ＮＡＫペイロード）を送信することとを含み得る。代替的に、ブロック１７３０において、方法１７００は、第１のＰＵＣＣＨ  ＡＣＫ／ＮＡＫペイロードを送信し、同じアップリンクＣＣ上で追加のＡＣＫ／ＮＡＫペイロード（たとえば、第２のＡＣＫ／ＮＡＫペイロード）を送信することを含み得る。ブロック２２２５または２２３０における（１つまたは複数の）動作は、図１１、図１２、図１３、図１５、図１７、または図１９を参照しながら説明されたワイヤレス通信管理モジュール１１２０、１２２０、１３２０、１５２０、１７６０、または１９８４、あるいは図１３を参照しながら説明されたＡＣＫ／ＮＡＫペイロード送信管理モジュール１３５５を使用して実行され得る。
【０２００】
[0216]  したがって、方法２２００はワイヤレス通信を提供し得る。方法２２００は一実装形態にすぎないこと、および方法２２００の動作は、他の実装形態が可能であるように、並べ替えられるかまたは場合によっては変更され得ることに留意されたい。
【０２０１】
[0217]  図２３は、本開示の様々な態様による、ワイヤレス通信のための例示的な方法２３００を示すフローチャートである。明快のために、方法２３００は、図１、図２、図１８、または図１９を参照しながら説明された基地局１０５、２０５、２０５−ａ、１８０５、または１９０５のうちの１つまたは複数の態様、あるいは図１１、図１２、図１４、または図１６を参照しながら説明された装置１１１５、１２１５、１４１５、または１６１５のうちの１つまたは複数の態様に関して以下で説明される。いくつかの例では、基地局または装置は、以下で説明される機能を実行するように基地局または装置の機能要素を制御するためのコードの１つまたは複数のセットを実行し得る。追加または代替として、基地局または装置は、専用ハードウェアを使用して、以下で説明される機能のうちの１つまたは複数を実行し得る。
【０２０２】
[0218]  ブロック２３０５において、方法２３００は、ＵＥのための複数のダウンリンクＣＣを割り振ることを含み得る。ブロック２３０５における（１つまたは複数の）動作は、図１１、１２、１４、１６、１８、または１９を参照しながら説明されたワイヤレス通信管理モジュール１１２０、１２２０、１４２０、１６２０、１８６０、または１９８６、あるいは図１４を参照しながら説明されたダウンリンクＣＣ割振りモジュール１４４５を使用して実行され得る。
【０２０３】
[0219]  ブロック２３１０において、方法２３００は、ダウンリンクＣＣの少なくとも２つのグループを構成すること（たとえば、複数のダウンリンクＣＣ内の少なくともダウンリンクＣＣの第１のサブセットとダウンリンクＣＣの第２のサブセットとを構成すること）を含み得る。ブロック２３１０における（１つまたは複数の）動作は、図１１、１２、１４、１６、１８、または１９を参照しながら説明されたワイヤレス通信管理モジュール１１２０、１２２０、１４２０、１６２０、１８６０、または１９８６、あるいは図１４を参照しながら説明されたダウンリンクＣＣサブセット構成モジュール１４５０を使用して実行され得る。
【０２０４】
[0220]  ブロック２３１５において、方法２３００は、ダウンリンクＣＣの各グループについて、および報告間隔中にＵＥのためにスケジュールされたダウンリンクＣＣの数に少なくとも部分的に基づいて、報告間隔についてダウンリンクＣＣのグループのためのＰＵＣＣＨ  ＡＣＫ／ＮＡＫペイロード中に含まれるべきビット数を決定することを含み得る。したがって、たとえば、ダウンリンクＣＣの第１のグループのための第１のＰＵＣＣＨ  ＡＣＫ／ＮＡＫペイロード中に含まれるべき第１のビット数が決定され得、ダウンリンクＣＣの第２のグループのための第２のＰＵＣＣＨ  ＡＣＫ／ＮＡＫペイロード中に含まれるべき第２のビット数が決定され得る。ブロック２３１５における（１つまたは複数の）動作は、図１１、図１２、図１４、図１６、図１８、または図１９を参照しながら説明されたワイヤレス通信管理モジュール１１２０、１２２０、１４２０、１６２０、１８６０、または１９８６、あるいは図１１、図１２、図１４、または図１６を参照しながら説明されたＡＣＫ／ＮＡＫペイロードサイズ決定モジュール１１３５、１２３５、１４３５、または１６３５を使用して実行され得る。
【０２０５】
[0221]  ブロック２３２０において、方法２３００は、各ＰＵＣＣＨ  ＡＣＫ／ＮＡＫペイロードについて、およびＰＵＣＣＨ  ＡＣＫ／ＮＡＫペイロードのための決定されたビット数に少なくとも部分的に基づいて、第１のＰＵＣＣＨ  ＡＣＫ／ＮＡＫペイロードのフォーマットを選択することを含み得る。すなわち、ＰＵＣＣＨ  ＡＣＫ／ＮＡＫペイロードのフォーマットは、ダウンリンクＣＣの少なくとも２つのグループの各々について選択され得る。同じくまたは代替的に、ＰＵＣＣＨ  ＡＣＫ／ＮＡＫペイロードのフォーマットは、ダウンリンクＣＣの少なくとも２つのグループの各々内のダウンリンクＣＣのためのＡＣＫ／ＮＡＫビットのバンドリングを考慮して選択され得る。ブロック２３２０における（１つまたは複数の）動作は、図１１、図１２、図１４、図１６、図１８、または図１９を参照しながら説明されたワイヤレス通信管理モジュール１１２０、１２２０、１４２０、１６２０、１８６０、または１９８６、あるいは図１１、図１２、図１４、または図１６を参照しながら説明されたＡＣＫ／ＮＡＫペイロードフォーマット選択モジュール１１４０、１２４０、１４４０、または１６４０を使用して実行され得る。
【０２０６】
[0222]  したがって、方法２３００はワイヤレス通信を提供し得る。方法２３００は一実装形態にすぎないこと、および方法２３００の動作は、他の実装形態が可能であるように、並べ替えられるかまたは場合によっては変更され得ることに留意されたい。
【０２０７】
[0223]  図２４は、本開示の様々な態様による、ワイヤレス通信のための例示的な方法２４００を示すフローチャートである。明快のために、方法２４００は、図１、図２、図１７、または図１８を参照しながら説明されたＵＥ１１５、２１５、２１５−ａ、２１５−ｂ、２１５−ｃ、１７１５、または１８１５のうちの１つまたは複数の態様、あるいは図１１、図１２、図１３、または図１５を参照しながら説明された装置１１１５、１２１５、１３１５、または１５１５のうちの１つまたは複数の態様に関して以下で説明される。いくつかの例では、ＵＥまたは装置は、以下で説明される機能を実行するようにＵＥまたは装置の機能要素を制御するためのコードの１つまたは複数のセットを実行し得る。追加または代替として、ＵＥまたは装置は、専用ハードウェアを使用して、以下で説明される機能のうちの１つまたは複数を実行し得る。
【０２０８】
[0224]  ブロック２４０５において、方法２４００は、ＵＥにおいて、ＵＥのためにスケジュールされたダウンリンクＣＣを示すいくつかのダウンリンク許可を受信することと、ダウンリンク許可の各々とともに、それぞれのＤＡＩを受信することとを含み得る。ブロック２４０５における（１つまたは複数の）動作は、図１１、図１２、図１３、図１５、図１７、または図１９を参照しながら説明されたワイヤレス通信管理モジュール１１２０、１２２０、１３２０、１５２０、１７６０、または１９８４、あるいは図１５を参照しながら説明されたダウンリンク許可処理モジュール１５４５またはＤＡＩ処理モジュール１５５０を使用して実行され得る。
【０２０９】
[0225]  ブロック２４１０において、方法２４００は、報告間隔中にＵＥのためにスケジュールされたダウンリンクＣＣの数に少なくとも部分的に基づいて、報告間隔についてＰＵＣＣＨ  ＡＣＫ／ＮＡＫペイロード中に含まれるべきビット数を決定することを含み得る。ブロック２４１０における（１つまたは複数の）動作は、図１１、図１２、図１３、図１５、図１７、または図１９を参照しながら説明されたワイヤレス通信管理モジュール１１２０、１２２０、１３２０、１５２０、１７６０、または１９８４、あるいは図１１、図１２、図１３、または図１５を参照しながら説明されたＡＣＫ／ＮＡＫペイロードサイズ決定モジュール１１３５、１２３５、１３３５、または１５３５を使用して実行され得る。
【０２１０】
[0226]  ブロック２４１５において、方法２４００は、決定されたビット数に少なくとも部分的に基づいて、ＰＵＣＣＨ  ＡＣＫ／ＮＡＫペイロードのフォーマットを選択することを含み得る。ブロック２４１５における（１つまたは複数の）動作は、図１１、図１２、図１３、図１５、図１７、または図１９を参照しながら説明されたワイヤレス通信管理モジュール１１２０、１２２０、１３２０、１５２０、１７６０、または１９８４、あるいは図１１、図１２、図１３、または図１５を参照しながら説明されたＡＣＫ／ＮＡＫペイロードフォーマット選択モジュール１１４０、１２４０、１３４０、または１５４０を使用して実行され得る。
【０２１１】
[0227]  方法２４００のいくつかの例では、ダウンリンク許可のためのそれぞれのＤＡＩは、ダウンリンク許可中でスケジュールされた各ダウンリンクＣＣを介した各送信に肯定応答／否定応答するために、ＰＵＣＣＨ  ＡＣＫ／ＮＡＫペイロード中でビットマッピングとリソース選択とを示し得る。
【０２１２】
[0228]  方法２４００のいくつかの例では、ダウンリンク許可のためのそれぞれのＤＡＩは、ダウンリンク許可中でスケジュールされた少なくとも１つのダウンリンクＣＣと、別のダウンリンク許可中でスケジュールされた少なくとも１つのダウンリンクＣＣとの間の関係を示すシーケンス番号を含み得る。これらの例では、方法２４００は、ダウンリンク許可中でスケジュールされた各ダウンリンクＣＣを介した各送信に肯定応答／否定応答するために、シーケンス番号に少なくとも部分的に基づいて、ＰＵＣＣＨ  ＡＣＫ／ＮＡＫペイロード中でビットマッピングとリソース選択とを決定することをさらに含み得る。
【０２１３】
[0229]  したがって、方法２４００はワイヤレス通信を提供し得る。方法２４００は一実装形態にすぎないこと、および方法２４００の動作は、他の実装形態が可能であるように、並べ替えられるかまたは場合によっては変更され得ることに留意されたい。
【０２１４】
[0230]  図２５は、本開示の様々な態様による、ワイヤレス通信のための例示的な方法２５００を示すフローチャートである。明快のために、方法２５００は、図１、図２、図１８、または図１９を参照しながら説明された基地局１０５、２０５、２０５−ａ、１８０５、または１９０５のうちの１つまたは複数の態様、あるいは図１１、図１２、図１４、または図１６を参照しながら説明された装置１１１５、１２１５、１４１５、または１６１５のうちの１つまたは複数の態様に関して以下で説明される。いくつかの例では、基地局または装置は、以下で説明される機能を実行するように基地局または装置の機能要素を制御するためのコードの１つまたは複数のセットを実行し得る。追加または代替として、基地局または装置は、専用ハードウェアを使用して、以下で説明される機能のうちの１つまたは複数を実行し得る。
【０２１５】
[0231]  ブロック２５０５において、方法２５００は、基地局からＵＥに、ＵＥのためにスケジュールされたダウンリンクＣＣを示す複数のダウンリンク許可を送信することと、複数のＤＡＩを送信することとを含み得、ここで、複数のダウンリンク許可の各々は複数のＤＡＩ中のＤＡＩのそれぞれの１つを含む。ブロック２５０５における（１つまたは複数の）動作は、図１１、図１２、図１４、図１６、図１８、または図１９を参照しながら説明されたワイヤレス通信管理モジュール１１２０、１２２０、１４２０、１６２０、１８６０、または１９８６、あるいは図１６を参照しながら説明されたダウンリンク許可送信管理モジュール１６４５またはＤＡＩ送信管理モジュール１６５５を使用して実行され得る。
【０２１６】
[0232]  ブロック２５１０において、方法２５００は、報告間隔中にＵＥのためにスケジュールされたダウンリンクＣＣの数に少なくとも部分的に基づいて、報告間隔についてＰＵＣＣＨ  ＡＣＫ／ＮＡＫペイロード中に含まれるべきビット数を決定することを含み得る。ブロック２５１０における（１つまたは複数の）動作は、図１１、図１２、図１４、図１６、図１８、または図１９を参照しながら説明されたワイヤレス通信管理モジュール１１２０、１２２０、１４２０、１６２０、１８６０、または１９８６、あるいは図１１、図１２、図１４、または図１６を参照しながら説明されたＡＣＫ／ＮＡＫペイロードサイズ決定モジュール１１３５、１２３５、１４３５、または１６３５を使用して実行され得る。
【０２１７】
[0233]  ブロック２５１５において、方法２５００は、決定されたビット数に少なくとも部分的に基づいて、ＰＵＣＣＨ  ＡＣＫ／ＮＡＫペイロードのフォーマットを選択することを含み得る。ブロック２５１５における（１つまたは複数の）動作は、図１１、図１２、図１４、図１６、図１８、または図１９を参照しながら説明されたワイヤレス通信管理モジュール１１２０、１２２０、１４２０、１６２０、１８６０、または１９８６、あるいは図１１、図１２、図１４、または図１６を参照しながら説明されたＡＣＫ／ＮＡＫペイロードフォーマット選択モジュール１１４０、１２４０、１４４０、または１６４０を使用して実行され得る。
【０２１８】
[0234]  方法２５００のいくつかの例では、ダウンリンク許可のためのそれぞれのＤＡＩは、ダウンリンク許可中でスケジュールされた各ダウンリンクＣＣを介した各送信に肯定応答／否定応答するために、ＰＵＣＣＨ  ＡＣＫ／ＮＡＫペイロード中でビットマッピングとリソース選択とを示し得る。
【０２１９】
[0235]  方法２５００のいくつかの例では、複数のＤＡＩは複数のシーケンス番号を含み得る。これらの例では、方法２５００は、ＰＵＣＣＨ  ＡＣＫ／ＮＡＫペイロード中に含まれるべきビット数を増加させるために、複数のシーケンス番号中にシーケンス不連続性を導入することをさらに含み得る。方法２５００はまた、ＰＵＣＣＨ  ＡＣＫ／ＮＡＫペイロードを受信することと、ＰＵＣＣＨ  ＡＣＫ／ＮＡＫペイロード中のＡＣＫ／ＮＡＫビットのセットを使用することと、ＡＣＫ／ＮＡＫビットのセットが仮想ＣＲＣとしてシーケンス不連続性に対応する、を含み得る。いくつかの例では、シーケンス不連続性は、ＰＵＣＣＨ  ＡＣＫ／ＮＡＫペイロード中に含まれるべきビット数を増加させることと、仮想ＣＲＣの長さを増加させることの両方を行うために、複数のシーケンス番号中に導入され得る。
【０２２０】
[0236]  したがって、方法２５００はワイヤレス通信を提供し得る。方法２５００は一実装形態にすぎないこと、および方法２５００の動作は、他の実装形態が可能であるように、並べ替えられるかまたは場合によっては変更され得ることに留意されたい。
【０２２１】
[0237]  いくつかの例では、図２０、図２１、図２２、または図２４を参照しながら説明された方法２０００、２１００、２２００、または２４００のうちの２つまたはそれ以上の態様が組み合わせられ得るか、あるいは図２０、図２１、図２３、または図２５を参照しながら説明された方法２０００、２１００、２３００、または２５００のうちの２つまたはそれ以上の態様が組み合わせられ得る。
【０２２２】
[0238]  本明細書で説明された技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明された技法は、無認可および／または共有帯域幅を介したセルラー（たとえば、ＬＴＥ）通信を含む、上述のシステムおよび無線技術、ならびに他のシステムおよび無線技術のために使用され得る。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０２２３】
[0239]  添付の図面に関して上記に記載された詳細な説明は、例について説明しており、実装され得るまたは特許請求の範囲内に入る例のみを表すものではない。「例」および「例示的」という語は、この説明で使用されるとき、「例、事例、または例示の働きをすること」を意味し、「好ましい」または「他の例よりも有利な」を意味しない。詳細な説明は、説明される技法の理解を与えるための具体的な詳細を含む。ただし、これらの技法は、これらの具体的な詳細なしに実施され得る。いくつかの事例では、説明された例の概念を不明瞭にすることを回避するために、よく知られている構造および装置がブロック図の形式で示されている。
【０２２４】
[0240]  情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０２２５】
[0241]  本明細書の開示に関して説明された様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０２２６】
[0242]  本明細書で説明された機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態が、本開示および添付の特許請求の範囲および趣旨内に入る。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０２２７】
[0243]  コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は通常、データを磁気的に再生し、ディスク（disc）は、データをレーザーで光学的に再生する。上記の組合せもコンピュータ可読媒体の範囲内に含まれる。
【０２２８】
[0244]  本開示についての以上の説明は、当業者が本開示を作成または使用することができるように与えられたものである。本開示への様々な変更は当業者には容易に明らかとなり、本明細書で定義した一般原理は、本開示の範囲から逸脱することなく他の変形形態に適用され得る。したがって、本開示は、本明細書で説明された例および設計に限定されるべきでなく、本明細書で開示した原理および新規の特徴に一致する最も広い範囲を与えられるべきである。
【図１】
2020109970.tif 000007
【図２】
2020109970.tif 000008
【図３】
2020109970.tif 000009
【図４】
2020109970.tif 000010
【図５】
2020109970.tif 000011
【図６】
2020109970.tif 000012
【図７】
2020109970.tif 000013
【図８】
2020109970.tif 000014
【図９】
2020109970.tif 000015
【図１０】
2020109970.tif 000016
【図１１】
2020109970.tif 000017
【図１２】
2020109970.tif 000018
【図１３】
2020109970.tif 000019
【図１４】
2020109970.tif 000020
【図１５】
2020109970.tif 000021
【図１６】
2020109970.tif 000022
【図１７】
2020109970.tif 000023
【図１８】
2020109970.tif 000024
【図１９】
2020109970.tif 000025
【図２０】
2020109970.tif 000026
【図２１】
2020109970.tif 000027
【図２２】
2020109970.tif 000028
【図２３】
2020109970.tif 000029
【図２４】
2020109970.tif 000030
【図２５】
2020109970.tif 000031
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
肯定応答／否定応答（ＡＣＫ／ＮＡＫ）ペイロードのサイズに少なくとも基づいて物理アップリンク制御チャネル（ＰＵＣＣＨ）のフォーマットを選択することと、
前記選択されたフォーマットの前記ＰＵＣＣＨのシンボル期間内に拡散率によって前記ＡＣＫ／ＮＡＫペイロードの変調シンボルを拡散することと、
前記拡散された変調シンボルに基づいて、前記シンボル期間の、前記ＰＵＣＣＨのシングルキャリア周波数分割多元接続（ＳＣ−ＦＤＭＡ）データシンボルを生成することと、
前記ＰＵＣＣＨの前記ＳＣ−ＦＤＭＡデータシンボルを基地局に送信することと
を備える、方法。
【請求項２】
前記拡散率は２である、請求項１に記載の方法。
【請求項３】
前記選択されたフォーマットの前記ＰＵＣＣＨは、周波数における１つのリソースブロック（ＲＢ）を占有し、多重化密度２をサポートする、請求項２に記載の方法。
【請求項４】
スケジュールされたダウンリンクコンポーネントキャリアの数に基づいて、前記ＡＣＫ／ＮＡＫペイロードの前記サイズを決定することをさらに備える、
請求項１に記載の方法。
【請求項５】
前記ＰＵＣＣＨの前記フォーマットを前記選択することは、前記ＡＣＫ／ＮＡＫペイロードの前記サイズがしきい値を超えた場合に前記フォーマットを選択することを備える、
請求項１に記載の方法。
【請求項６】
前記変調シンボルを前記拡散することは、
前記変調シンボルのブロックを複数回繰り返すことと、
前記拡散率に等しい長さを有する拡散コードを、前記変調シンボルの前記繰り返されたブロックに適用することと
を備える、請求項１に記載の方法。
【請求項７】
前記ＳＣ−ＦＤＭＡデータシンボルを前記生成することは、
離散フーリエ変換（ＤＦＴ）を、前記拡散された変調シンボルに適用することと、
前記ＤＦＴの後に、逆高速フーリエ変換（ＩＦＦＴ）を実行することと
を備える、請求項１に記載の方法。
【請求項８】
肯定応答／否定応答（ＡＣＫ／ＮＡＫ）ペイロードのサイズに少なくとも基づいて物理アップリンク制御チャネル（ＰＵＣＣＨ）のフォーマットを選択することと、
前記選択されたフォーマットの前記ＰＵＣＣＨのシンボル期間内に拡散率によって前記ＡＣＫ／ＮＡＫペイロードの変調シンボルを拡散することと、
前記拡散された変調シンボルに基づいて、前記シンボル期間の、前記ＰＵＣＣＨのシングルキャリア周波数分割多元接続（ＳＣ−ＦＤＭＡ）データシンボルを生成することと
を行うように構成されたプロセッサと、
前記ＰＵＣＣＨの前記ＳＣ−ＦＤＭＡデータシンボルを基地局に送信するように構成された送信機と
を備える、ＵＥ。
【請求項９】
前記拡散率は２である、請求項８に記載のＵＥ。
【請求項１０】
前記選択されたフォーマットの前記ＰＵＣＣＨは、周波数における１つのリソースブロック（ＲＢ）を占有し、多重化密度２をサポートする、
請求項９に記載のＵＥ。
【請求項１１】
前記プロセッサは、スケジュールされたダウンリンクコンポーネントキャリアの数に基づいて、前記ＡＣＫ／ＮＡＫペイロードの前記サイズを決定することを行うようにさらに構成される、
請求項８に記載のＵＥ。
【請求項１２】
前記ＰＵＣＣＨの前記フォーマットを選択するように構成された前記プロセッサは、前記ＡＣＫ／ＮＡＫペイロードの前記サイズがしきい値を超えた場合に前記フォーマットを選択するように構成された前記プロセッサを備える、
請求項８に記載のＵＥ。
【請求項１３】
前記変調シンボルを拡散するように構成された前記プロセッサは、
前記変調シンボルのブロックを複数回繰り返すことと、
前記拡散率に等しい長さを有する拡散コードを、前記変調シンボルの前記繰り返されたブロックに適用することと
を行うように構成された前記プロセッサを備える、請求項８に記載のＵＥ。
【請求項１４】
前記ＳＣ−ＦＤＭＡデータシンボルを生成するように構成された前記プロセッサは、
離散フーリエ変換（ＤＦＴ）を、前記拡散された変調シンボルに適用することと、
前記ＤＦＴの後に、逆高速フーリエ変換（ＩＦＦＴ）を実行することと
を行うように構成された前記プロセッサを備える、請求項８に記載のＵＥ。
【請求項１５】
ワイヤレス通信の装置であって、
肯定応答／否定応答（ＡＣＫ／ＮＡＫ）ペイロードのサイズに少なくとも基づいて物理アップリンク制御チャネル（ＰＵＣＣＨ）のフォーマットを選択するための手段と、
前記選択されたフォーマットの前記ＰＵＣＣＨのシンボル期間内に拡散率によって前記ＡＣＫ／ＮＡＫペイロードの変調シンボルを拡散するための手段と、
前記拡散された変調シンボルに基づいて、前記シンボル期間の、前記ＰＵＣＣＨのシングルキャリア周波数分割多元接続（ＳＣ−ＦＤＭＡ）データシンボルを生成するための手段と、
前記ＰＵＣＣＨの前記ＳＣ−ＦＤＭＡデータシンボルを基地局に送信するための手段と
を備える、装置。
【請求項１６】
前記拡散率は２である、請求項１５に記載の装置。
【請求項１７】
前記選択されたフォーマットの前記ＰＵＣＣＨは、周波数における１つのリソースブロック（ＲＢ）を占有し、多重化密度２をサポートする、請求項１６に記載の装置。
【請求項１８】
スケジュールされたダウンリンクコンポーネントキャリアの数に基づいて、前記ＡＣＫ／ＮＡＫペイロードの前記サイズを決定するための手段をさらに備える、
請求項１５に記載の装置。
【請求項１９】
前記ＰＵＣＣＨの前記フォーマットを選択するための前記手段は、前記ＡＣＫ／ＮＡＫペイロードの前記サイズがしきい値を超えた場合に前記フォーマットを選択するための手段を備える、
請求項１５に記載の装置。
【請求項２０】
前記変調シンボルを拡散するための前記手段は、
前記変調シンボルのブロックを複数回繰り返すための手段と、
前記拡散率に等しい長さを有する拡散コードを、前記変調シンボルの前記繰り返されたブロックに適用するための手段と
を備える、請求項１５に記載の装置。
【請求項２１】
前記ＳＣ−ＦＤＭＡデータシンボルを生成するための前記手段は、
離散フーリエ変換（ＤＦＴ）を、前記拡散された変調シンボルに適用するための手段と、
前記ＤＦＴの後に、逆高速フーリエ変換（ＩＦＦＴ）を実行するための手段と
を備える、請求項１５に記載の装置。
【請求項２２】
命令を記憶した非一時的コンピュータ可読媒体であって、前記命令は、
肯定応答／否定応答（ＡＣＫ／ＮＡＫ）ペイロードのサイズに少なくとも基づいて物理アップリンク制御チャネル（ＰＵＣＣＨ）のフォーマットを選択することと、
前記選択されたフォーマットの前記ＰＵＣＣＨのシンボル期間内に拡散率によって前記ＡＣＫ／ＮＡＫペイロードの変調シンボルを拡散することと、
前記拡散された変調シンボルに基づいて、前記シンボル期間の、前記ＰＵＣＣＨのシングルキャリア周波数分割多元接続（ＳＣ−ＦＤＭＡ）データシンボルを生成することと、
前記ＰＵＣＣＨの前記ＳＣ−ＦＤＭＡデータシンボルを基地局に送信することと
を装置が行うように実行可能なコードを備える、非一時的コンピュータ可読媒体。
【請求項２３】
前記拡散率は２である、請求項２２に記載の非一時的コンピュータ可読媒体。
【請求項２４】
前記選択されたフォーマットの前記ＰＵＣＣＨは、周波数における１つのリソースブロック（ＲＢ）を占有し、多重化密度２をサポートする、請求項２３に記載の非一時的コンピュータ可読媒体。
【請求項２５】
スケジュールされたダウンリンクコンポーネントキャリアの数に基づいて、前記ＡＣＫ／ＮＡＫペイロードの前記サイズを決定するためのコードをさらに備える、
請求項２２に記載の非一時的コンピュータ可読媒体。
【請求項２６】
前記ＰＵＣＣＨの前記フォーマットを選択するための前記コードは、前記ＡＣＫ／ＮＡＫペイロードの前記サイズがしきい値を超えた場合に前記フォーマットを選択するためのコードを備える、
請求項２２に記載の非一時的コンピュータ可読媒体。
【請求項２７】
前記変調シンボルを拡散するための前記コードは、
前記変調シンボルのブロックを複数回繰り返すためのコードと、
前記拡散率に等しい長さを有する拡散コードを、前記変調シンボルの前記繰り返されたブロックに適用するためのコードと
を備える、請求項２２に記載の非一時的コンピュータ可読媒体。
【請求項２８】
前記ＳＣ−ＦＤＭＡデータシンボルを生成するための前記コードは、
離散フーリエ変換（ＤＦＴ）を、前記拡散された変調シンボルに適用するためのコードと、
前記ＤＦＴの後に、逆高速フーリエ変換（ＩＦＦＴ）を実行するためのコードと
を備える、請求項２２に記載の非一時的コンピュータ可読媒体。
【手続補正２】
【補正対象書類名】明細書
【補正対象項目名】０２２８
【補正方法】変更
【補正の内容】
【０２２８】
[0244]  本開示についての以上の説明は、当業者が本開示を作成または使用することができるように与えられたものである。本開示への様々な変更は当業者には容易に明らかとなり、本明細書で定義した一般原理は、本開示の範囲から逸脱することなく他の変形形態に適用され得る。したがって、本開示は、本明細書で説明された例および設計に限定されるべきでなく、本明細書で開示した原理および新規の特徴に一致する最も広い範囲を与えられるべきである。
以下に、本願の出願当初の特許請求の範囲に記載された発明を付記する。
［Ｃ１］
ワイヤレス通信のための方法であって、
報告間隔中にユーザ機器（ＵＥ）のためにスケジュールされたダウンリンクコンポーネントキャリア（ＣＣ）の数に少なくとも部分的に基づいて、前記報告間隔について物理アップリンク制御チャネル（ＰＵＣＣＨ）肯定応答／否定応答（ＡＣＫ／ＮＡＫ）ペイロード中に含まれるべきビット数を決定することと、
前記決定されたビット数に少なくとも部分的に基づいて、前記ＰＵＣＣＨ  ＡＣＫ／ＮＡＫペイロードのフォーマットを選択することと
を備える、方法。
［Ｃ２］
前記ＰＵＣＣＨ  ＡＣＫ／ＮＡＫペイロードの前記フォーマットを選択することが、  前記ＰＵＣＣＨ  ＡＣＫ／ＮＡＫペイロードのための複数のあらかじめ定義されたフォーマットのうちの１つを選択すること
を備え、ここにおいて、前記ＰＵＣＣＨ  ＡＣＫ／ＮＡＫペイロードのための前記あらかじめ定義されたフォーマットが、リソースブロック（ＲＢ）内のＵＥ多重化密度、拡散率、またはシンボル期間ごとに割り振られるＲＢの数
の異なる組合せを備える、Ｃ１に記載の方法。
［Ｃ３］
前記ＰＵＣＣＨ  ＡＣＫ／ＮＡＫペイロードのための前記あらかじめ定義されたフォーマットの各々が、スロットごとに２つの基準信号シンボル期間を備えるフォーマットに少なくとも部分的に基づく、Ｃ２に記載の方法。
［Ｃ４］
前記ＰＵＣＣＨ  ＡＣＫ／ＮＡＫペイロードの前記選択されたフォーマットが、スロットごとに２つの基準信号シンボル期間を備えるフォーマットに少なくとも部分的に基づく、Ｃ１に記載の方法。
［Ｃ５］
前記ＰＵＣＣＨ  ＡＣＫ／ＮＡＫペイロードの前記選択されたフォーマットが、さらに、スロットごとに１つの基準信号シンボルを備えるフォーマットに少なくとも部分的に基づく、Ｃ１に記載の方法。
［Ｃ６］
前記ＰＵＣＣＨ  ＡＣＫ／ＮＡＫペイロードの前記フォーマットを選択することが、  前記ＰＵＣＣＨ  ＡＣＫ／ＮＡＫペイロード中に含まれるべき前記ビット数を複数のビット範囲と比較することと、
前記比較することに少なくとも部分的に基づいて前記ＰＵＣＣＨ  ＡＣＫ／ＮＡＫペイロードの前記フォーマットを選択することと
を備える、Ｃ１に記載の方法。
［Ｃ７］
前記ＰＵＣＣＨ  ＡＣＫ／ＮＡＫペイロードの前記選択されたフォーマットが、
少なくとも４つのＵＥの、ＲＢ内のＵＥ多重化密度
を備える、Ｃ６に記載の方法。
［Ｃ８］
前記ＰＵＣＣＨ  ＡＣＫ／ＮＡＫペイロードの前記選択されたフォーマットは、
２つのＵＥの、ＲＢ内のＵＥ多重化密度と、
シンボル期間の少なくとも２つのグループと、ここにおいて、シンボル期間の前記少なくとも２つのグループの各々が少なくとも１つのシンボルを備え、ここにおいて、シンボル期間の前記少なくとも２つのグループの各々内で拡散が独立して適用される、
を備える、Ｃ６に記載の方法。
［Ｃ９］
拡散率３が３つのシンボル期間の第１のグループに適用され、拡散率２が２つのシンボル期間の第２のグループに適用され、ここにおいて、前記拡散率３を適用するときに、３つの直交カバーコード（ＯＣＣ）のうちの２つが使用される、Ｃ８に記載の方法。
［Ｃ１０］
第１の拡散率２が１つのシンボル期間の第１のグループに適用され、第２の拡散率２が２つのシンボル期間の第２のグループに適用され、第３の拡散率２が２つのシンボル期間の第３のグループに適用される、Ｃ８に記載の方法。
［Ｃ１１］
前記第１の拡散率が、ウォルシュコードを使用して、または直交高速フーリエ変換（ＦＦＴ）行列の要素を使用して適用される、Ｃ１０に記載の方法。
［Ｃ１２］
複数の拡散率２の各拡散率が複数のシンボル期間のそれぞれのシンボル期間に適用される、Ｃ８に記載の方法。
［Ｃ１３］
前記複数の拡散率２の各拡散率が、ウォルシュコードを使用して、または直交ＦＦＴ行列の要素を使用して適用される、Ｃ１２に記載の方法。
［Ｃ１４］
前記ＰＵＣＣＨ  ＡＣＫ／ＮＡＫペイロードの前記選択されたフォーマットが、
ＲＢ内のＵＥ多重化を備えず、
拡散率を備えず、
１のシンボル期間ごとＲＢ割振りを備える、
Ｃ６に記載の方法。
［Ｃ１５］
前記ＰＵＣＣＨ  ＡＣＫ／ＮＡＫペイロードの前記選択されたフォーマットが、
ＲＢ内のＵＥ多重化を備えず、
拡散率を備えず、
２のシンボル期間ごとＲＢ割振りを備える、
Ｃ６に記載の方法。
［Ｃ１６］
前記ＰＵＣＣＨ  ＡＣＫ／ＮＡＫペイロードの前記選択されたフォーマットが、
ＲＢ内のＵＥ多重化を備えず、
拡散率を備えず、
３のシンボル期間ごとＲＢ割振りを備える、
Ｃ６に記載の方法。
［Ｃ１７］
前記ＵＥのための複数のダウンリンクＣＣの割振りを識別することと、
前記複数のダウンリンクＣＣ内のダウンリンクＣＣの第１のサブセットを識別することと
をさらに備え、
ここにおいて、前記ＰＵＣＣＨ  ＡＣＫ／ＮＡＫペイロード中に含まれるべき前記ビット数がダウンリンクＣＣの前記第１のサブセットのために識別される、Ｃ１に記載の方法。
［Ｃ１８］
前記ＰＵＣＣＨ  ＡＣＫ／ＮＡＫペイロードが第１のＰＵＣＣＨ  ＡＣＫ／ＮＡＫペイロードを備え、前記方法が、
前記複数のダウンリンクＣＣ内のダウンリンクＣＣの第２のサブセットを識別することをさらに備え、ここにおいて、ダウンリンクＣＣの前記第２のサブセットが第２のＰＵＣＣＨ  ＡＣＫ／ＮＡＫペイロードに対応する、
Ｃ１７に記載の方法。
［Ｃ１９］
第１のアップリンクＣＣ上で前記第１のＰＵＣＣＨ  ＡＣＫ／ＮＡＫペイロードを送信することと、
第２のアップリンクＣＣ上で前記第２のＰＵＣＣＨ  ＡＣＫ／ＮＡＫペイロードを送信することと
をさらに備える、Ｃ１８に記載の方法。
［Ｃ２０］
同じアップリンクＣＣ上で前記第１のＰＵＣＣＨ  ＡＣＫ／ＮＡＫペイロードと前記第２のＰＵＣＣＨ  ＡＣＫ／ＮＡＫペイロードとを送信すること
をさらに備える、Ｃ１８に記載の方法。
［Ｃ２１］
前記ＵＥにおいて、前記ＵＥのためにスケジュールされた前記ダウンリンクＣＣを示すいくつかのダウンリンク許可を受信することと、
前記ダウンリンク許可の各々とともに、それぞれのダウンリンク割当てインデックス（ＤＡＩ）を受信することと
をさらに備える、Ｃ１に記載の方法。
［Ｃ２２］
ダウンリンク許可のための前記それぞれのＤＡＩが、前記ダウンリンク許可中でスケジュールされた各ダウンリンクＣＣを介した各送信に肯定応答／否定応答するために、前記ＰＵＣＣＨ  ＡＣＫ／ＮＡＫペイロード中でビットマッピングとリソース選択とを示す、Ｃ２１に記載の方法。
［Ｃ２３］
ダウンリンク許可のための前記それぞれのＤＡＩが、前記ダウンリンク許可中でスケジュールされた少なくとも１つのダウンリンクＣＣと、別のダウンリンク許可中でスケジュールされた少なくとも１つのダウンリンクＣＣとの間の関係を示すシーケンス番号を備え、前記方法が、
前記ダウンリンク許可中でスケジュールされた各ダウンリンクＣＣを介した各送信に肯定応答／否定応答するために、前記シーケンス番号に少なくとも部分的に基づいて、前記ＰＵＣＣＨ  ＡＣＫ／ＮＡＫペイロード中でビットマッピングとリソース選択とを決定すること
をさらに備える、Ｃ２１に記載の方法。
［Ｃ２４］
基地局から前記ＵＥに、前記ＵＥのためにスケジュールされた前記ダウンリンクＣＣを示す複数のダウンリンク許可を送信することと、
複数のＤＡＩを送信することと、ここにおいて、前記複数のダウンリンク許可の各々が前記複数のＤＡＩ中の前記ＤＡＩのそれぞれの１つを含む、
をさらに備える、Ｃ１に記載の方法。
［Ｃ２５］
前記複数のＤＡＩが複数のシーケンス番号を備え、前記方法が、
前記ＰＵＣＣＨ  ＡＣＫ／ＮＡＫペイロード中に含まれるべき前記ビット数を増加させるために、前記複数のシーケンス番号中にシーケンス不連続性を導入すること
をさらに備える、Ｃ２４に記載の方法。
［Ｃ２６］
前記ＰＵＣＣＨ  ＡＣＫ／ＮＡＫペイロードを受信することと、
前記ＰＵＣＣＨ  ＡＣＫ／ＮＡＫペイロード中のＡＣＫ／ＮＡＫビットのセットを使用することと、ＡＣＫ／ＮＡＫビットの前記セットが仮想巡回冗長検査（ＣＲＣ）として前記シーケンス不連続性に対応する、
をさらに備える、Ｃ２５に記載の方法。
［Ｃ２７］
前記ＵＥにおいて、少なくとも２つの異なるアップリンクＣＣを識別するＡＣＫ／ＮＡＫリソースインジケータ（ＡＲＩ）を受信すること
をさらに備える、Ｃ１に記載の方法。
［Ｃ２８］
前記ＵＥにおいて、前記ＵＥのためにスケジュールされた前記ダウンリンクＣＣを示すいくつかのダウンリンク許可を受信すること
をさらに備え、
ここにおいて、前記ＰＵＣＣＨ  ＡＣＫ／ＮＡＫペイロードの前記フォーマットを選択することが、前記ＰＵＣＣＨ  ＡＣＫ／ＮＡＫペイロードを送信するために使用されるフォーマットを選択することを備える、Ｃ１に記載の方法。
［Ｃ２９］
基地局から前記ＵＥに、前記ＵＥのためにスケジュールされた前記ダウンリンクＣＣを示す複数のダウンリンク許可を送信すること
をさらに備え、
ここにおいて、前記ＰＵＣＣＨ  ＡＣＫ／ＮＡＫペイロードの前記フォーマットを選択することが、前記ＰＵＣＣＨ  ＡＣＫ／ＮＡＫペイロードを復号するために使用されるフォーマットを選択することを備える、Ｃ１に記載の方法。
［Ｃ３０］
ダウンリンクＣＣの少なくとも２つのグループを構成することをさらに備え、ここにおいて、前記ＰＵＣＣＨ  ＡＣＫ／ＮＡＫペイロードの前記フォーマットを選択することが、ダウンリンクＣＣの前記少なくとも２つのグループの各々について実行される、
Ｃ１に記載の方法。
［Ｃ３１］
ダウンリンクＣＣの少なくとも２つのグループを構成することをさらに備え、ここにおいて、前記ＰＵＣＣＨ  ＡＣＫ／ＮＡＫペイロードの前記フォーマットを選択することが、ダウンリンクＣＣの各グループ内の前記ダウンリンクＣＣのためのＡＣＫ／ＮＡＫビットのバンドリングを考慮して実行される、
Ｃ１に記載の方法。
［Ｃ３２］
ワイヤレス通信のための装置であって、
報告間隔中にユーザ機器（ＵＥ）のためにスケジュールされたダウンリンクコンポーネントキャリア（ＣＣ）の数に少なくとも部分的に基づいて、前記報告間隔について物理アップリンク制御チャネル（ＰＵＣＣＨ）肯定応答／否定応答（ＡＣＫ／ＮＡＫ）ペイロード中に含まれるべきビット数を決定するための手段と、
前記決定されたビット数に少なくとも部分的に基づいて、前記ＰＵＣＣＨ  ＡＣＫ／ＮＡＫペイロードのフォーマットを選択するための手段と
を備える、装置。
［Ｃ３３］
前記ＰＵＣＣＨ  ＡＣＫ／ＮＡＫペイロードの前記フォーマットを選択するための前記手段が、
前記ＰＵＣＣＨ  ＡＣＫ／ＮＡＫペイロードのための複数のあらかじめ定義されたフォーマットのうちの１つを選択するための手段
を備え、ここにおいて、前記ＰＵＣＣＨ  ＡＣＫ／ＮＡＫペイロードのための前記あらかじめ定義されたフォーマットが、リソースブロック（ＲＢ）内のＵＥ多重化密度、拡散率、またはシンボル期間ごとに割り振られるＲＢの数
の異なる組合せを備える、Ｃ３２に記載の装置。
［Ｃ３４］
前記ＰＵＣＣＨ  ＡＣＫ／ＮＡＫペイロードのための前記あらかじめ定義されたフォーマットの各々が、スロットごとに２つの基準信号シンボル期間を備えるフォーマットに少なくとも部分的に基づく、Ｃ３３に記載の装置。
［Ｃ３５］
前記ＰＵＣＣＨ  ＡＣＫ／ＮＡＫペイロードの前記選択されたフォーマットが、スロットごとに２つの基準信号シンボル期間を備えるフォーマットに少なくとも部分的に基づく、Ｃ３２に記載の装置。
［Ｃ３６］
前記ＰＵＣＣＨ  ＡＣＫ／ＮＡＫペイロードの前記選択されたフォーマットが、さらに、スロットごとに１つの基準信号シンボルを備えるフォーマットに少なくとも部分的に基づく、Ｃ３２に記載の装置。
［Ｃ３７］
前記ＰＵＣＣＨ  ＡＣＫ／ＮＡＫペイロードの前記フォーマットを選択することが、  前記ＰＵＣＣＨ  ＡＣＫ／ＮＡＫペイロード中に含まれるべき前記ビット数を複数のビット範囲と比較するための手段と、
前記比較することに少なくとも部分的に基づいて前記ＰＵＣＣＨ  ＡＣＫ／ＮＡＫペイロードの前記フォーマットを選択するための手段と
を備える、Ｃ３２に記載の装置。
［Ｃ３８］
前記ＰＵＣＣＨ  ＡＣＫ／ＮＡＫペイロードの前記選択されたフォーマットが、
少なくとも４つのＵＥの、ＲＢ内のＵＥ多重化密度
を備える、Ｃ３７に記載の装置。
［Ｃ３９］
前記ＰＵＣＣＨ  ＡＣＫ／ＮＡＫペイロードの前記選択されたフォーマットは、
２つのＵＥの、ＲＢ内のＵＥ多重化密度と、
シンボル期間の少なくとも２つのグループと、ここにおいて、シンボル期間の前記少なくとも２つのグループの各々が少なくとも１つのシンボルを備え、ここにおいて、シンボル期間の前記少なくとも２つのグループの各々内で拡散が独立して適用される、
を備える、Ｃ３７に記載の装置。
［Ｃ４０］
拡散率３が３つのシンボル期間の第１のグループに適用され、拡散率２が２つのシンボル期間の第２のグループに適用され、ここにおいて、前記拡散率３を適用するときに、３つの直交カバーコード（ＯＣＣ）のうちの２つが使用される、Ｃ３９に記載の装置。
［Ｃ４１］
第１の拡散率２が１つのシンボル期間の第１のグループに適用され、第２の拡散率２が２つのシンボル期間の第２のグループに適用され、第３の拡散率２が２つのシンボル期間の第３のグループに適用される、Ｃ３９に記載の装置。
［Ｃ４２］
前記第１の拡散率が、ウォルシュコードを使用して、または直交高速フーリエ変換（ＦＦＴ）行列の要素を使用して適用される、Ｃ４１に記載の装置。
［Ｃ４３］
複数の拡散率２の各拡散率が複数のシンボル期間のそれぞれのシンボル期間に適用される、Ｃ３９に記載の装置。
［Ｃ４４］
前記複数の拡散率２の各拡散率が、ウォルシュコードを使用して、または直交ＦＦＴ行列の要素を使用して適用される、Ｃ４３に記載の装置。
［Ｃ４５］
前記ＰＵＣＣＨ  ＡＣＫ／ＮＡＫペイロードの前記選択されたフォーマットが、
ＲＢ内のＵＥ多重化
を備えず、
拡散率
を備えず、
１のシンボル期間ごとＲＢ割振り
を備える、Ｃ３７に記載の装置。
［Ｃ４６］
前記ＰＵＣＣＨ  ＡＣＫ／ＮＡＫペイロードの前記選択されたフォーマットが、
ＲＢ内のＵＥ多重化
を備えず、
拡散率
を備えず、
２のシンボル期間ごとＲＢ割振り
を備える、Ｃ３７に記載の装置。
［Ｃ４７］
前記ＰＵＣＣＨ  ＡＣＫ／ＮＡＫペイロードの前記選択されたフォーマットが、
ＲＢ内のＵＥ多重化
を備えず、
拡散率
を備えず、
３のシンボル期間ごとＲＢ割振り
を備える、Ｃ３７に記載の装置。
［Ｃ４８］
前記ＵＥのための複数のダウンリンクＣＣの割振りを識別するための手段と、
前記複数のダウンリンクＣＣ内のダウンリンクＣＣの第１のサブセットを識別するための手段と
をさらに備え、
ここにおいて、前記ＰＵＣＣＨ  ＡＣＫ／ＮＡＫペイロード中に含まれるべき前記ビット数がダウンリンクＣＣの前記第１のサブセットのために識別される、Ｃ３２に記載の装置。
［Ｃ４９］
前記ＰＵＣＣＨ  ＡＣＫ／ＮＡＫペイロードが第１のＰＵＣＣＨ  ＡＣＫ／ＮＡＫペイロードを備え、前記装置が、
前記複数のダウンリンクＣＣ内のダウンリンクＣＣの第２のサブセットを識別するための手段をさらに備え、ここにおいて、ダウンリンクＣＣの前記第２のサブセットが第２のＰＵＣＣＨ  ＡＣＫ／ＮＡＫペイロードに対応する、
Ｃ４８に記載の装置。
［Ｃ５０］
第１のアップリンクＣＣ上で前記第１のＰＵＣＣＨ  ＡＣＫ／ＮＡＫペイロードを送信するための手段と、
第２のアップリンクＣＣ上で前記第２のＰＵＣＣＨ  ＡＣＫ／ＮＡＫペイロードを送信するための手段と
をさらに備える、Ｃ４９に記載の装置。
［Ｃ５１］
同じアップリンクＣＣ上で前記第１のＰＵＣＣＨ  ＡＣＫ／ＮＡＫペイロードと前記第２のＰＵＣＣＨ  ＡＣＫ／ＮＡＫペイロードとを送信するための手段
をさらに備える、Ｃ４９に記載の装置。
［Ｃ５２］
前記ＵＥにおいて、前記ＵＥのためにスケジュールされた前記ダウンリンクＣＣを示すいくつかのダウンリンク許可を受信するための手段と、
前記ダウンリンク許可の各々とともに、それぞれのダウンリンク割当てインデックス（ＤＡＩ）を受信するための手段と
をさらに備える、Ｃ３２に記載の装置。
［Ｃ５３］
ダウンリンク許可のための前記それぞれのＤＡＩが、前記ダウンリンク許可中でスケジュールされた各ダウンリンクＣＣを介した各送信に肯定応答／否定応答するために、前記ＰＵＣＣＨ  ＡＣＫ／ＮＡＫペイロード中でビットマッピングとリソース選択とを示す、Ｃ５２に記載の装置。
［Ｃ５４］
ダウンリンク許可のための前記それぞれのＤＡＩが、前記ダウンリンク許可中でスケジュールされた少なくとも１つのダウンリンクＣＣと、別のダウンリンク許可中でスケジュールされた少なくとも１つのダウンリンクＣＣとの間の関係を示すシーケンス番号を備え、前記装置が、
前記ダウンリンク許可中でスケジュールされた各ダウンリンクＣＣを介した各送信に肯定応答／否定応答するために、前記シーケンス番号に少なくとも部分的に基づいて、前記ＰＵＣＣＨ  ＡＣＫ／ＮＡＫペイロード中でビットマッピングとリソース選択とを決定するための手段
をさらに備える、Ｃ５２に記載の装置。
［Ｃ５５］
基地局から前記ＵＥに、前記ＵＥのためにスケジュールされた前記ダウンリンクＣＣを示す複数のダウンリンク許可を送信するための手段と、
複数のＤＡＩを送信するための手段と、ここにおいて、前記複数のダウンリンク許可の各々が前記複数のＤＡＩ中の前記ＤＡＩのそれぞれの１つを含む、
をさらに備える、Ｃ３２に記載の装置。
［Ｃ５６］
前記複数のＤＡＩが複数のシーケンス番号を備え、前記装置が、
前記ＰＵＣＣＨ  ＡＣＫ／ＮＡＫペイロード中に含まれるべき前記ビット数を増加させるために、前記複数のシーケンス番号中にシーケンス不連続性を導入するための手段
をさらに備える、Ｃ５５に記載の装置。
［Ｃ５７］
前記ＰＵＣＣＨ  ＡＣＫ／ＮＡＫペイロードを受信するための手段と、
前記ＰＵＣＣＨ  ＡＣＫ／ＮＡＫペイロード中のＡＣＫ／ＮＡＫビットのセットを使用するための手段と、ＡＣＫ／ＮＡＫビットの前記セットが仮想巡回冗長検査（ＣＲＣ）として前記シーケンス不連続性に対応する、
をさらに備える、Ｃ５６に記載の装置。
［Ｃ５８］
前記ＵＥにおいて、少なくとも２つの異なるアップリンクＣＣを識別するＡＣＫ／ＮＡＫリソースインジケータ（ＡＲＩ）を受信するための手段
をさらに備える、Ｃ３２に記載の装置。
［Ｃ５９］
前記ＵＥにおいて、前記ＵＥのためにスケジュールされた前記ダウンリンクＣＣを示すいくつかのダウンリンク許可を受信するための手段
をさらに備え、
ここにおいて、前記ＰＵＣＣＨ  ＡＣＫ／ＮＡＫペイロードの前記フォーマットを選択するための前記手段が、前記ＰＵＣＣＨ  ＡＣＫ／ＮＡＫペイロードを送信するために使用されるフォーマットを選択するための手段を備える、Ｃ３２に記載の装置。
［Ｃ６０］
基地局から前記ＵＥに、前記ＵＥのためにスケジュールされた前記ダウンリンクＣＣを示す複数のダウンリンク許可を送信するための手段
をさらに備え、
ここにおいて、前記ＰＵＣＣＨ  ＡＣＫ／ＮＡＫペイロードの前記フォーマットを選択するための前記手段が、前記ＰＵＣＣＨ  ＡＣＫ／ＮＡＫペイロードを復号するために使用されるフォーマットを選択するための手段を備える、Ｃ３２に記載の装置。
［Ｃ６１］
ダウンリンクＣＣの少なくとも２つのグループを構成するための手段をさらに備え、ここにおいて、前記ＰＵＣＣＨ  ＡＣＫ／ＮＡＫペイロードの前記フォーマットを選択することが、ダウンリンクＣＣの前記少なくとも２つのグループの各々について実行される、Ｃ３２に記載の装置。
［Ｃ６２］
ダウンリンクＣＣの少なくとも２つのグループを構成するための手段をさらに備え、ここにおいて、前記ＰＵＣＣＨ  ＡＣＫ／ＮＡＫペイロードの前記フォーマットを選択することが、ダウンリンクＣＣの各グループ内の前記ダウンリンクＣＣのためのＡＣＫ／ＮＡＫビットのバンドリングを考慮して実行される、
Ｃ３２に記載の装置。
［Ｃ６３］
ワイヤレス通信のための装置であって、
プロセッサと、
前記プロセッサと電子通信しているメモリと、
前記メモリに記憶された命令と
を備え、前記命令が、
報告間隔中にユーザ機器（ＵＥ）のためにスケジュールされたダウンリンクコンポーネントキャリア（ＣＣ）の数に少なくとも部分的に基づいて、前記報告間隔について物理アップリンク制御チャネル（ＰＵＣＣＨ）肯定応答／否定応答（ＡＣＫ／ＮＡＫ）ペイロード中に含まれるべきビット数を決定することと、
前記決定されたビット数に少なくとも部分的に基づいて、前記ＰＵＣＣＨ  ＡＣＫ／ＮＡＫペイロードのフォーマットを選択することと
を行うために前記プロセッサによって実行可能である、装置。
［Ｃ６４］
前記ＰＵＣＣＨ  ＡＣＫ／ＮＡＫペイロードの前記フォーマットを選択するために前記プロセッサによって実行可能な前記命令が、
前記ＰＵＣＣＨ  ＡＣＫ／ＮＡＫペイロードのための複数のあらかじめ定義されたフォーマットのうちの１つを選択する
ために前記プロセッサによって実行可能な命令を備え、ここにおいて、前記ＰＵＣＣＨ  ＡＣＫ／ＮＡＫペイロードのための前記あらかじめ定義されたフォーマットが、リソースブロック（ＲＢ）内のＵＥ多重化密度、拡散率、またはシンボル期間ごとに割り振られるＲＢの数
の異なる組合せを備える、Ｃ６３に記載の装置。
［Ｃ６５］
前記ＰＵＣＣＨ  ＡＣＫ／ＮＡＫペイロードの前記選択されたフォーマットが、スロットごとに２つの基準信号シンボル期間を備えるフォーマットに少なくとも部分的に基づく、Ｃ６３に記載の装置。
［Ｃ６６］
前記ＰＵＣＣＨ  ＡＣＫ／ＮＡＫペイロードの前記選択されたフォーマットが、さらに、スロットごとに１つの基準信号シンボルを備えるフォーマットに少なくとも部分的に基づく、Ｃ６３に記載の装置。
［Ｃ６７］
前記ＰＵＣＣＨ  ＡＣＫ／ＮＡＫペイロードの前記フォーマットを選択するために前記プロセッサによって実行可能な前記命令が、
前記ＰＵＣＣＨ  ＡＣＫ／ＮＡＫペイロード中に含まれるべき前記ビット数を複数のビット範囲と比較することと、
前記比較することに少なくとも部分的に基づいて前記ＰＵＣＣＨ  ＡＣＫ／ＮＡＫペイロードの前記フォーマットを選択することと
を行うために前記プロセッサによって実行可能な命令を備える、Ｃ６３に記載の装置。
［Ｃ６８］
前記命令が、
前記ＵＥのための複数のダウンリンクＣＣの割振りを識別することと、
前記複数のダウンリンクＣＣ内のダウンリンクＣＣの第１のサブセットを識別することと
を行うために前記プロセッサによって実行可能であり、
ここにおいて、前記ＰＵＣＣＨ  ＡＣＫ／ＮＡＫペイロード中に含まれるべき前記ビット数がダウンリンクＣＣの前記第１のサブセットのために識別される、Ｃ６３に記載の装置。
［Ｃ６９］
前記命令が、
前記ＵＥにおいて、前記ＵＥのためにスケジュールされた前記ダウンリンクＣＣを示すいくつかのダウンリンク許可を受信することと、
前記ダウンリンク許可の各々とともに、それぞれのダウンリンク割当てインデックス（ＤＡＩ）を受信することと
を行うために前記プロセッサによって実行可能である、Ｃ６３に記載の装置。
［Ｃ７０］
前記命令は、
基地局から前記ＵＥに、前記ＵＥのためにスケジュールされた前記ダウンリンクＣＣを示す複数のダウンリンク許可を送信することと、
複数のＤＡＩを送信することと、ここにおいて、前記複数のダウンリンク許可の各々が前記複数のＤＡＩ中の前記ＤＡＩのそれぞれの１つを含む、
を行うために前記プロセッサによって実行可能である、Ｃ６３に記載の装置。
［Ｃ７１］
前記命令が、
ダウンリンクＣＣの少なくとも２つのグループを構成するために前記プロセッサによって実行可能であり、ここにおいて、前記ＰＵＣＣＨ  ＡＣＫ／ＮＡＫペイロードの前記フォーマットを選択することが、ダウンリンクＣＣの前記少なくとも２つのグループの各々について実行される、
Ｃ６３に記載の装置。
［Ｃ７２］
前記命令が、
ダウンリンクＣＣの少なくとも２つのグループを構成するために前記プロセッサによって実行可能であり、ここにおいて、前記ＰＵＣＣＨ  ＡＣＫ／ＮＡＫペイロードの前記フォーマットを選択することが、ダウンリンクＣＣの各グループ内の前記ダウンリンクＣＣのためのＡＣＫ／ＮＡＫビットのバンドリングを考慮して実行される、
Ｃ６３に記載の装置。
［Ｃ７３］
非一時的コンピュータ可読媒体を備えるコンピュータプログラム製品であって、前記非一時的コンピュータ可読媒体が、
報告間隔中にユーザ機器（ＵＥ）のためにスケジュールされたダウンリンクコンポーネントキャリア（ＣＣ）の数に少なくとも部分的に基づいて、前記報告間隔について物理アップリンク制御チャネル（ＰＵＣＣＨ）肯定応答／否定応答（ＡＣＫ／ＮＡＫ）ペイロード中に含まれるべきビット数を決定するための命令と、
前記決定されたビット数に少なくとも部分的に基づいて、前記ＰＵＣＣＨ  ＡＣＫ／ＮＡＫペイロードのフォーマットを選択するための命令と
を備える、コンピュータプログラム製品。
［Ｃ７４］
前記ＰＵＣＣＨ  ＡＣＫ／ＮＡＫペイロードの前記フォーマットを選択するための前記命令が、
前記ＰＵＣＣＨ  ＡＣＫ／ＮＡＫペイロードのための複数のあらかじめ定義されたフォーマットのうちの１つを選択するための命令
を備え、ここにおいて、前記ＰＵＣＣＨ  ＡＣＫ／ＮＡＫペイロードのための前記あらかじめ定義されたフォーマットが、リソースブロック（ＲＢ）内のＵＥ多重化密度、拡散率、またはシンボル期間ごとに割り振られるＲＢの数
の異なる組合せを備える、Ｃ７３に記載のコンピュータプログラム製品。
［Ｃ７５］
前記ＰＵＣＣＨ  ＡＣＫ／ＮＡＫペイロードの前記フォーマットを選択するための前記命令が、
前記ＰＵＣＣＨ  ＡＣＫ／ＮＡＫペイロード中に含まれるべき前記ビット数を複数のビット範囲と比較するための命令と、
前記比較することに少なくとも部分的に基づいて前記ＰＵＣＣＨ  ＡＣＫ／ＮＡＫペイロードの前記フォーマットを選択するための命令と
を備える、Ｃ７３に記載のコンピュータプログラム製品。
［Ｃ７６］
前記ＵＥのための複数のダウンリンクＣＣの割振りを識別するための命令と、
前記複数のダウンリンクＣＣ内のダウンリンクＣＣの第１のサブセットを識別するための命令と
をさらに備え、
ここにおいて、前記ＰＵＣＣＨ  ＡＣＫ／ＮＡＫペイロード中に含まれるべき前記ビット数がダウンリンクＣＣの前記第１のサブセットのために識別される、Ｃ７３に記載のコンピュータプログラム製品。
【外国語明細書】
2020109970000001.pdf